(57)【要約】  端末（１１２）は、端末（１１１）との間でＬ−ＧＷ（１４１，１４２）を経由する端末間通信を行う。基地局（１２１，１２２）は、端末（１１２）のハンドオーバを行う際に、該端末間通信がローカルネットワーク（１０２）を経由する場合は該端末間通信を切断してＳ−ＧＷ（１３１）およびＰ−ＧＷ（１３２）の経路変更によるハンドオーバを行い、該端末間通信がローカルネットワーク（１０２）を経由しない場合は該端末間通信を切断せずにＬ−ＧＷ（１４１，１４２）の経路変更によるハンドオーバを行う。
2016185531.tif 000002
【特許請求の範囲】
【請求項１】
第１の通信網に接続された第１の中継装置と、
前記第１の通信網と異なる第２の通信網に接続され、前記第１の中継装置と異なる第２の中継装置と、
第１の端末との間で前記第２の中継装置を経由する通信を行う第２の端末と、
前記第２の端末のハンドオーバを行う際に、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う無線通信装置と、
を含むことを特徴とする無線通信システム。
【請求項２】
前記無線通信装置は、
前記第２の中継装置を経由する通信が前記第２の通信網を経由し、前記第１の中継装置を経由する前記第２の端末の通信が存在する場合は、前記第２の中継装置を経由する通信を切断して前記第１の中継装置の経路変更による前記ハンドオーバを行い、
前記第２の中継装置を経由する通信が前記第２の通信網を経由し、前記第１の中継装置を経由する前記第２の端末の通信が存在しない場合は、前記第２の中継装置を経由する通信を切断し、前記第１の中継装置の経路変更による前記ハンドオーバを行わない、
ことを特徴とする請求項１に記載の無線通信システム。
【請求項３】
前記無線通信装置は、前記第２の中継装置を経由する通信が前記第２の通信網を経由するか否かに応じた情報を前記第２の端末のハンドオーバ先の基地局へ送信し、
前記第２の端末のハンドオーバ先の基地局は、前記無線通信装置によって送信された前記情報に基づいて、前記第２の中継装置を経由する通信が前記第２の通信網を経由する場合は前記第１の中継装置の経路変更を行い、前記第２の中継装置を経由する通信が前記第２の通信網を経由しない場合は前記第２の中継装置の経路変更を行う、
ことを特徴とする請求項１または２に記載の無線通信システム。
【請求項４】
前記第２の中継装置は、前記第２の中継装置の通信ポートのうちの、前記第２の中継装置を経由する通信におけるデータの宛先および送信元の少なくともいずれかに対応する通信ポートが前記第２の通信網へ接続されているか否かに基づいて、前記第２の中継装置を経由する通信が前記第２の通信網を経由するか否かの判定を行い、
前記無線通信装置は、前記判定の結果に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う、
ことを特徴とする請求項１〜３のいずれか一つに記載の無線通信システム。
【請求項５】
第１の通信網に接続された第１の中継装置と、前記第１の通信網と異なる第２の通信網に接続され、前記第１の中継装置と異なる第２の中継装置と、を含む無線通信システムにおける無線通信装置であって、
第１の端末との間で前記第２の中継装置を経由する通信を行う第２の端末のハンドオーバを行う際に、前記第２の中継装置を経由する通信が前記第２の通信網を経由するか否かを示す情報を取得する取得部と、
前記取得部によって取得された前記情報に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う制御部と、
を含むことを特徴とする無線通信装置。
【請求項６】
第１の通信網に接続された第１の中継装置と、前記第１の通信網と異なる第２の通信網に接続され、前記第１の中継装置と異なる第２の中継装置と、を含む無線通信システムにおけるハンドオーバ制御方法であって、
第１の端末との間で前記第２の中継装置を経由する通信を行う第２の端末のハンドオーバを行う際に、前記第２の中継装置を経由する通信が前記第２の通信網を経由するか否かを示す情報を取得し、
取得した前記情報に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う、
ことを特徴とするハンドオーバ制御方法。
【発明の詳細な説明】
【技術分野】
【０００１】
本発明は、無線通信システム、無線通信装置およびハンドオーバ制御方法に関する。
【背景技術】
【０００２】
従来、ユーザデータをローカルネットワークにオフロードすることによりコアネットワークのトラフィック負荷を軽減するＬＩＰＡ（Ｌｏｃａｌ  ＩＰ  Ａｃｃｅｓｓ：ローカルＩＰアクセス）が知られている。また、ローカルネットワークに接続されたＬ−ＧＷ（Ｌｏｃａｌ−Ｇａｔｅｗａｙ）と基地局を含む構成における基地局経由のハンドオーバ制御に関する技術が知られている（たとえば、下記特許文献１，２参照。）。【０００３】
また、ＬＴＥ−ＡのｅＩＣＢＤ（ｅｎｈａｎｃｅｍｅｎｔｓ  ｆｏｒ  Ｉｎｆｒａｓｔｒｕｃｔｕｒｅ  ｂａｓｅｄ  ｄａｔａ  Ｃｏｍｍｕｎｉｃａｔｉｏｎ  Ｂｅｔｗｅｅｎ  Ｄｅｖｉｃｅｓ）など、基地局やゲートウェイにおいて通信経路を折り返すことにより端末間通信における網内経路を短縮する技術が知られている（たとえば、下記非特許文献１参照。）。
【先行技術文献】
【特許文献】
【０００４】
【特許文献１】特表２０１３−５２６０８７号公報
【特許文献２】特開２０１３−１７０９３号公報
【非特許文献】
【０００５】
【非特許文献１】３ＧＰＰ  ＴＲ２２．８０７  Ｖ１３．０．０
【発明の概要】
【発明が解決しようとする課題】
【０００６】
しかしながら、上述した従来技術では、たとえばＬ−ＧＷにおいて折り返す短縮経路による音声通話のような端末間通信が行われている場合に端末のハンドオーバが発生すると、Ｌ−ＧＷ経由の端末間通信を切断してからＰ−ＧＷやＳ−ＧＷにおける経路切替が行われる。このため、ハンドオーバが完了するまでに時間がかかり、ハンドオーバによる端末間通信の瞬断時間が長くなるという問題がある。【０００７】
１つの側面では、本発明は、ハンドオーバ時の瞬断時間を削減することができる無線通信システム、無線通信装置およびハンドオーバ制御方法を提供することを目的とする。
【課題を解決するための手段】
【０００８】
上述した課題を解決し、目的を達成するため、本発明の一側面によれば、第１の通信網に接続された第１の中継装置と、前記第１の通信網と異なる第２の通信網に接続され、前記第１の中継装置と異なる第２の中継装置と、を含む無線通信システムにおいて、第１の端末との間で前記第２の中継装置を経由する通信を行う第２の端末のハンドオーバを行う際に、前記第２の中継装置を経由する通信が前記第２の通信網を経由するか否かを示す情報を取得し、取得した前記情報に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う無線通信システム、無線通信装置およびハンドオーバ制御方法が提案される。
【発明の効果】
【０００９】
本発明の一側面によれば、ハンドオーバ時の瞬断時間を削減することができる。
【図面の簡単な説明】
【００１０】
【図１】図１は、実施の形態１にかかる無線通信システムの一例を示す図である。
【図２】図２は、実施の形態１にかかる端末間の通信の一例を示す図である。
【図３】図３は、実施の形態１にかかるＬ−ＧＷの構成およびＨＯの一例を示す図（その１）である。
【図４】図４は、実施の形態１にかかるＬ−ＧＷの構成およびＨＯの一例を示す図（その２）である。
【図５】図５は、実施の形態１にかかるＬ−ＧＷの一例を示す図である。
【図６】図６は、実施の形態１にかかるＬ−ＧＷにおけるプロトコル変換の一例を示す図である。
【図７】図７は、実施の形態１にかかる基地局の一例を示す図である。
【図８】図８は、実施の形態１においてＨＯ要求を送信し経路変更処理を省略する場合の処理の一例を示すシーケンス図である。
【図９】図９は、実施の形態１においてＨＯ要求を送信しＮＷ側の経路変更処理を省略しない場合の処理の一例を示すシーケンス図である。
【図１０】図１０は、実施の形態１においてＨＯ要求を送信しない場合の処理の一例を示すシーケンス図である。
【図１１】図１１は、実施の形態１にかかるＨＯ要求の一例を示す図である。
【図１２】図１２は、実施の形態１にかかる通信種別検出の処理の一例を示すフローチャートである。
【図１３】図１３は、実施の形態１にかかるＨＯ元のＬ−ＧＷによる通信種別取得の処理の一例を示すフローチャートである。
【図１４】図１４は、実施の形態１にかかるＨＯ元省略判定の処理およびＨＯ元省略判定の処理に基づく処理の一例を示すフローチャートである。
【図１５】図１５は、実施の形態１にかかるＨＯ元経路判定の処理およびＨＯ元経路設定要求の送信の一例を示すフローチャートである。
【図１６】図１６は、実施の形態１にかかるＨＯ元経路変更の処理の一例を示すフローチャートである。
【図１７】図１７は、実施の形態１にかかるＨＯ先経路判定の処理およびＨＯ先経路判定の処理に基づく処理の一例を示すフローチャートである。
【図１８】図１８は、実施の形態１にかかるＨＯ先経路変更の処理の一例を示すフローチャートである。
【図１９】図１９は、実施の形態１においてＨＯ要求を送信しＮＷ側の経路変更処理を省略しない場合のＨＯによる通信経路の変化の一例を示す図である。
【図２０】図２０は、実施の形態１においてＨＯ要求を送信しない場合のＨＯによる通信経路の変化の一例を示す図である。
【図２１】図２１は、実施の形態１においてＨＯ要求を送信しＮＷ側の経路変更処理を省略する場合のＨＯによる通信経路の変化の一例を示す図である。
【図２２】図２２は、非折り返し通信においてＨＯ時に経路変更処理を省略した場合の例を参考として示す図である。
【図２３】図２３は、実施の形態２にかかるＬ−ＧＷの構成およびＨＯの一例を示す図（その１）である。
【図２４】図２４は、実施の形態２にかかるＬ−ＧＷの構成およびＨＯの一例を示す図（その２）である。
【図２５】図２５は、実施の形態２にかかる基地局の一例を示す図である。
【図２６】図２６は、実施の形態２においてＨＯ要求を送信し経路変更処理を省略する場合の処理の一例を示すシーケンス図である。
【図２７】図２７は、実施の形態２においてＨＯ要求を送信しＮＷ側の経路変更処理を省略しない場合の処理の一例を示すシーケンス図である。
【図２８】図２８は、実施の形態２においてＨＯ要求を送信しない場合の処理の一例を示すシーケンス図である。
【図２９】図２９は、実施の形態２にかかる通信種別検出の処理の一例を示すフローチャートである。
【図３０】図３０は、実施の形態２にかかるＨＯ元の基地局による通信種別取得の処理の一例を示すフローチャートである。
【図３１】図３１は、実施の形態２にかかるＨＯ元経路判定の処理およびＨＯ元経路変更の処理の一例を示すフローチャートである。
【図３２】図３２は、実施の形態２にかかるＨＯ先経路判定の処理およびＨＯ先経路変更の処理の一例を示すフローチャートである。
【図３３】図３３は、実施の形態３にかかるＬ−ＧＷの構成およびＨＯの一例を示す図（その１）である。
【図３４】図３４は、実施の形態３にかかるＬ−ＧＷの構成およびＨＯの一例を示す図（その２）である。
【図３５】図３５は、実施の形態３にかかるＬ−ＧＷの一例を示す図である。
【図３６】図３６は、実施の形態３においてＨＯ要求を送信し経路変更処理を省略する場合の処理の一例を示すシーケンス図である。
【図３７】図３７は、実施の形態３においてＨＯ要求を送信しＮＷ側の経路変更処理を省略しない場合の処理の一例を示すシーケンス図である。
【図３８】図３８は、実施の形態３においてＨＯ要求を送信しない場合の処理の一例を示すシーケンス図である。
【図３９】図３９は、実施の形態３にかかるＨＯ先経路判定の処理およびＨＯ先経路判定の処理に基づく処理の一例を示すフローチャートである。
【発明を実施するための形態】
【００１１】
以下に図面を参照して、本発明にかかる無線通信システム、無線通信装置およびハンドオーバ制御方法の実施の形態を詳細に説明する。
【００１２】
（実施の形態１）
（実施の形態１にかかる無線通信システム）
図１は、実施の形態１にかかる無線通信システムの一例を示す図である。図１に示すように、実施の形態１にかかる無線通信システム１００は、端末１１１，１１２と、基地局１２１，１２２と、Ｓ−ＧＷ１３１と、Ｐ−ＧＷ１３２と、ＭＭＥ１３３と、Ｌ−ＧＷ１４１，１４２と、を含む。インターネット１０１は、Ｐ−ＧＷ１３２と接続された広域のネットワークである。ローカルネットワーク１０２は、基地局１２１，１２２の付近に設けられたローカルなネットワークである。ローカルネットワーク１０２はインターネット１０１に接続されていてもよい。
【００１３】
端末１１１，１１２は、基地局１２１，１２２との間で無線通信を行うＵＥ（Ｕｓｅｒ  Ｅｑｕｉｐｍｅｎｔ：ユーザ端末）である。図１に示す例では、端末１１１は、基地局１２１のセル１２１ａに在圏しており、基地局１２１との間で無線通信を行う。また、端末１１２は、基地局１２２のセル１２２ａに在圏しており、基地局１２２との間で無線通信を行う。また、端末１１１，１１２は、互いに端末間通信を行うことができる。
【００１４】
基地局１２１，１２２は、それぞれセル１２１ａ，１２２ａを形成し、自セルに在圏する端末との間で無線通信を行う無線通信装置である。たとえば、基地局１２１，１２２はｅＮＢ（ｅｖｏｌｖｅｄ  Ｎｏｄｅ  Ｂ）である。図１に示す例では、基地局１２１は、セル１２１ａに在圏する端末１１１との間で無線通信を行う。基地局１２２は、セル１２２ａに在圏する端末１１２との間で無線通信を行う。また、基地局１２１，１２２は、Ｓ１インタフェースを介してＳ−ＧＷ１３１およびＭＭＥ１３３と接続されている。また、基地局１２１，１２２は、Ｘ２インタフェースを介して互いに接続されている。
【００１５】
Ｓ−ＧＷ１３１およびＰ−ＧＷ１３２は、インターネット１０１（第１の通信網）に接続された第１の中継装置である。Ｓ−ＧＷ１３１（Ｓｅｒｖｉｎｇ−Ｇａｔｅｗａｙ）は、基地局１２１，１２２を収容し、基地局１２１，１２２を経由する通信におけるＵ−ｐｌａｎｅ（Ｕｓｅｒ  ｐｌａｎｅ）の処理を行うサービングゲートウェイである。たとえば、Ｓ−ＧＷ１３１は、基地局１２１を経由する端末１１１の通信におけるＵ−ｐｌａｎｅの処理を行う。
【００１６】
Ｐ−ＧＷ１３２（Ｐａｃｋｅｔ  Ｄａｔａ  Ｎｅｔｗｏｒｋ−Ｇａｔｅｗａｙ）は、インターネット１０１などの外部ネットワークに接続するためのパケットデータネットワークゲートウェイである。たとえば、Ｐ−ＧＷ１３２は、Ｓ−ＧＷ１３１とインターネット１０１との間においてユーザデータを中継する。また、たとえば、Ｐ−ＧＷ１３２は、端末ごとにパケットフィルタリングやＩＰ（Ｉｎｔｅｒｎｅｔ  Ｐｒｏｔｏｃｏｌ）アドレスの割り当てなどを行う機能を有する。
【００１７】
ＭＭＥ１３３（Ｍｏｂｉｌｉｔｙ  Ｍａｎａｇｅｍｅｎｔ  Ｅｎｔｉｔｙ：移動性管理エンティティ）は、基地局１２１，１２２を収容し、基地局１２１，１２２を経由する通信におけるＣ−ｐｌａｎｅ（Ｃｏｎｔｒｏｌ  ｐｌａｎｅ）の処理を行う。たとえば、ＭＭＥ１３３は、基地局１２１を介した端末１１１の通信におけるＣ−ｐｌａｎｅの処理を行う。Ｃ−ｐｌａｎｅは、たとえば、各装置間で通話やネットワークを制御するための機能群である。一例としては、Ｃ−ｐｌａｎｅは、パケット呼の接続、ユーザデータを伝送するための経路の設定、ハンドオーバの制御などに用いられる。
【００１８】
Ｌ−ＧＷ１４１，１４２は、ローカルネットワーク１０２（第２の通信網）に接続された第２の中継装置である。Ｌ−ＧＷ１４１は、基地局１２１とローカルネットワーク１０２との間のローカルゲートウェイである。Ｌ−ＧＷ１４２は、基地局１２２とローカルネットワーク１０２との間のローカルゲートウェイである。また、Ｌ−ＧＷ１４１，１４２は、ゲートウェイ間インタフェースによって互いに接続されている。
【００１９】
Ｌ−ＧＷ１４１，１４２は、ＲＡＮ（Ｒａｄｉｏ  Ａｃｃｅｓｓ  Ｎｅｔｗｏｒｋ：無線接続網）との間の直接トンネリングやＩＰアドレスの割り当て等を行う機能を有する。
【００２０】
図１に示す例では、Ｌ−ＧＷ１４１，１４２は、それぞれ基地局１２１，１２２と物理的に独立して設けられているが、このような構成に限らない。たとえば、基地局１２１，１２２にそれぞれＬ−ＧＷ１４１，１４２の機能を設けてもよい。本実施の形態においては、Ｌ−ＧＷ１４１，１４２がそれぞれ基地局１２１，１２２と物理的に独立して設けられている場合について説明する。
【００２１】
（実施の形態１にかかる端末間の通信）
図２は、実施の形態１にかかる端末間の通信の一例を示す図である。図２において、図１に示した部分と同様の部分については同一の符号を付して説明を省略する。実施の形態１にかかる無線通信システム１００において、端末１１１と端末１１２との間で音声通信等の端末間通信を行う場合における通信経路について説明する。
【００２２】
端末１１１，１１２は、たとえばＳ−ＧＷ１３１やＰ−ＧＷ１３２を経由せずに、Ｌ−ＧＷ１４１，１４２を経由する端末間通信を行うことができる。これにより、Ｓ−ＧＷ１３１やＰ−ＧＷ１３２を含むコアネットワークのトラフィックを低減することができる。
【００２３】
このようなＬ−ＧＷ経由の通信コネクションには、たとえばＬＩＰＡ  ＰＤＮ（Ｐａｃｋｅｔ  Ｄａｔａ  Ｎｅｔｗｏｒｋ）コネクションを用いることができる。ＬＩＰＡ  ＰＤＮコネクションについては、たとえば３ＧＰＰのＴＳ２３．４０１やＴＲ２３．８２９に規定されている。
【００２４】
また、端末１１１，１１２は、図２に示すように、Ｌ−ＧＷ１４１，１４２において折り返すことにより、ローカルネットワーク１０２を経由しないデータパス（短縮経路）による端末間通信を行うことができる。このようなデータパスは、たとえば３ＧＰＰのＴＲ２２．８０７に規定されている。これにより、ローカルネットワーク１０２におけるトラフィックや端末間通信における遅延を低減することができる。
【００２５】
図２に示す例では、端末１１１から端末１１２へのデータは、基地局１２１、Ｌ−ＧＷ１４１，１４２、基地局１２２の順に経由し、ローカルネットワーク１０２は経由せずに端末１１２へ伝送される。また、端末１１２から端末１１１へのデータは、基地局１２２、Ｌ−ＧＷ１４１，１４２、基地局１２１の順に経由し、ローカルネットワーク１０２は経由せずに端末１１１へ伝送される。
【００２６】
ここで、図２に示したＬ−ＧＷ経由での折り返し通信を端末１１１，１１２の間で行う場合に、端末１１１，１１２の少なくともいずれかのＨＯ（Ｈａｎｄ  Ｏｖｅｒ：ハンドオーバ）が発生した場合について説明する。このような場合に、従来の処理では、ＨＯの実行に先立ってＬ−ＧＷ経由の通信コネクション（ＬＩＰＡ  ＰＤＮコネクション）が解放され、Ｐ−ＧＷ１３２を経由する通信のＨＯが行われる。このため、ＨＯが完了するまでに時間がかかり、ハンドオーバによる端末間通信の瞬断時間が長くなる。
【００２７】
これに対して、本実施の形態においては、ＨＯ対象の端末における端末間通信がＬ−ＧＷ経由の折り返し通信である場合は、Ｌ−ＧＷ経由の通信を切断せずにＨＯを行うことができる。Ｌ−ＧＷ経由の通信を切断せずにＨＯを行うことにより、Ｐ−ＧＷ１３２の側の経路変更処理は行われないため、ＨＯ時の瞬断時間を削減することができる。
【００２８】
（実施の形態１にかかるＬ−ＧＷの構成およびＨＯ）
図３および図４は、実施の形態１にかかるＬ−ＧＷの構成およびＨＯの一例を示す図である。図３および図４において、図１に示した部分と同様の部分については同一の符号を付して説明を省略する。図３，図４に示す基地局１２３は、基地局１２１，１２２とは異なるｅＮＢである。基地局１２３も、基地局１２１，１２２と同様に、Ｓ−ＧＷ１３１やＭＭＥ１３３と接続されている。図３，図４に示すＬ−ＧＷ１４３は、基地局１２３とローカルネットワーク１０２との間のローカルゲートウェイである。
【００２９】
図３，図４に示すように、実施の形態１においては、基地局１２１〜１２３にそれぞれＬ−ＧＷ１４１〜１４３が接続されている場合について説明する。また、端末１１１，１１２のＩＰアドレスをそれぞれＡ，Ｂとする。また、ローカルネットワーク１０２にはサーバ３０１，３０２が接続されており、サーバ３０１，３０２のＩＰアドレスをそれぞれＣ，Ｄとする。
【００３０】
まず、図３に示すように、端末１１１，１１２がそれぞれ基地局１２１，１２２に接続しており、端末１１１，１１２の間で基地局１２１、Ｌ−ＧＷ１４１，１４２、基地局１２２を経由するデータパスによって通信が行われているとする。つぎに、図４に示すように、端末１１２の移動等に伴い、端末１１２が基地局１２２から基地局１２３へＨＯしたとする。これにより、端末１１１，１１２の間で、基地局１２１、Ｌ−ＧＷ１４１〜１４３、基地局１２３を経由するデータパスによって通信が行われる。
【００３１】
図３，図４に示す（１）〜（４）は、ＨＯ元（ハンドオーバ元）の基地局１２２に対応するＬ−ＧＷ１４２における各出力ポート（通信ポート）の番号を示している。たとえば（１）は、Ｌ−ＧＷ１４２における基地局１２２に接続された出力ポート（ＵＥ方向）の番号を示している。（２）は、Ｌ−ＧＷ１４２におけるローカルネットワーク１０２に接続された出力ポート（ＮＷ（Ｎｅｔｗｏｒｋ）方向）の番号を示している。（３）は、Ｌ−ＧＷ１４２におけるＬ−ＧＷ１４１に接続された出力ポート（Ｌ−ＧＷ方向）の番号を示している。（４）は、Ｌ−ＧＷ１４２におけるＬ−ＧＷ１４３に接続された出力ポート（Ｌ−ＧＷ方向）の番号を示している。
【００３２】
図３，図４に示す（５）〜（７）は、ＨＯ先（ハンドオーバ先）の基地局１２３に対応するＬ−ＧＷ１４３における各出力ポートの番号を示している。たとえば、（５）は、Ｌ−ＧＷ１４３における基地局１２３に接続された出力ポート（ＵＥ方向）の番号を示している。（６）は、Ｌ−ＧＷ１４３におけるローカルネットワーク１０２に接続された出力ポート（ＮＷ方向）の番号を示している。（７）は、Ｌ−ＧＷ１４３におけるＬ−ＧＷ１４２に接続された出力ポート（Ｌ−ＧＷ方向）の番号を示している。
【００３３】
（実施の形態１にかかるＬ−ＧＷ）
図５は、実施の形態１にかかるＬ−ＧＷの一例を示す図である。図５においてはＬ−ＧＷ１４１の構成について説明するが、Ｌ−ＧＷ１４２，１４３の各構成もＬ−ＧＷ１４１の構成と同様である。図５に示すように、Ｌ−ＧＷ１４１は、メモリ５１０と、プロセッサ５２０と、基地局インタフェース５３０と、ネットワークインタフェース５４１，５４２と、スイッチ５５０と、を備える。
【００３４】
メモリ５１０は、たとえばメインメモリおよび補助メモリが含まれる。メインメモリは、たとえばＲＡＭ（Ｒａｎｄｏｍ  Ａｃｃｅｓｓ  Ｍｅｍｏｒｙ：ランダムアクセスメモリ）である。メインメモリは、プロセッサ５２０のワークエリアとして使用される。補助メモリは、たとえば磁気ディスク、光ディスク、フラッシュメモリなどの不揮発メモリである。補助メモリには、Ｌ−ＧＷ１４１を動作させる各種のプログラムが記憶されている。補助メモリに記憶されたプログラムは、メインメモリにロードされてプロセッサ５２０によって実行される。
【００３５】
また、Ｌ−ＧＷ１４１は、フロー記憶部５１１と、ＮＷ側経路記憶部５１２と、基地局側経路記憶部５１３と、ポート方向属性記憶部５１４と、通信種別記憶部５１５と、Ｌ−ＧＷ間通信経路記憶部５１６と、を備える。これらはメモリ５１０により実現される。
【００３６】
フロー記憶部５１１は、プロトコル変換のための情報を記憶する。プロトコル変換のための情報には、たとえば、外部ＩＰアドレス、ＴＥＩＤ（Ｔｕｎｎｅｌ  Ｅｎｄｐｏｉｎｔ  ＩＤｅｎｔｉｆｉｅｒ）、ＵＤＰ（Ｕｓｅｒ  Ｄａｔａｇｒａｍ  Ｐｒｏｔｏｃｏｌ）ポート番号、内部ＩＰアドレスの組み合わせ情報などが含まれる。
【００３７】
ＮＷ側経路記憶部５１２は、外部ＩＰアドレスに関するルーティング情報を記憶する。外部ＩＰアドレスに関するルーティング情報には、たとえば外部ＩＰアドレスとネットワークインタフェース（ＮＷ  ＩＦ）のポート番号との対応情報が含まれる。ＮＷ側経路記憶部５１２に記憶される情報については後述する（たとえば表８参照）。
【００３８】
基地局側経路記憶部５１３は、内部ＩＰアドレスに関するルーティング情報を記憶する。内部ＩＰアドレスに関するルーティング情報には、たとえば内部ＩＰアドレスと基地局インタフェース５３０のポート番号が含まれる。
【００３９】
ポート方向属性記憶部５１４は、出力ボート番号と、その出力ポートの先に接続されている装置（ｅＮＢ方向、ＵＥ方向、Ｌ−ＧＷ方向、ＮＷ方向）との関連性を記憶する。たとえば出力ポート番号と出力ポートの方向属性との対応情報が含まれる。ポート方向属性記憶部５１４に記憶される情報については後述する（たとえば表７参照）。
【００４０】
通信種別記憶部５１５は、プロセッサ５２０における通信種別検出部５２２によって検出された各端末の通信種別を記憶する。通信種別記憶部５１５に記憶される情報については後述する（たとえば表９参照）。
【００４１】
Ｌ−ＧＷ間通信経路記憶部５１６は、隣接基地局のセルＩＤと隣接Ｌ−ＧＷの出力ポート番号との対応情報を記憶する。Ｌ−ＧＷ間通信経路記憶部５１６に記憶される情報については後述する（たとえば表１参照）。
【００４２】
また、Ｌ−ＧＷ１４１は、プロトコル変換部５２１と、通信種別検出部５２２と、通信種別取得部５２３と、ＨＯ元経路変更部５２４と、ＨＯ先経路変更部５２５と、が実現される。これらはプロセッサ５２０により実現される。
【００４３】
プロトコル変換部５２１は、メモリ５１０のフロー記憶部５１１を参照し、Ｌ−ＧＷ１４１が中継するデータのプロトコル変換を行う。プロトコル変換部５２１によるプロトコル変換については後述する（たとえば図６参照）。
【００４４】
通信種別検出部５２２は、端末の通信における通信種別を取得する通信種別検出の処理を行う。たとえば、通信種別検出部５２２は、プロトコル変換部５２１によるプロトコル変換後のデータ（後述する図６のプロトコル変換６０１による変換後のデータ）から、宛先ＩＰアドレスと送信元ＩＰアドレスを取得する。または、通信種別検出部５２２は、ローカルネットワーク１０２から送信されるデータの宛先ＩＰアドレスと送信元ＩＰアドレスを取得してもよい。また、通信種別検出部５２２は、ＮＷ側経路記憶部５１２を参照し、取得した宛先ＩＰアドレスと送信元ＩＰアドレスのそれぞれに対応する出力ポート番号を取得する。また、通信種別検出部５２２は、ポート方向属性記憶部５１４を参照し、取得した出力ポート番号と対応するポートの方向属性を取得する。
【００４５】
そして、通信種別検出部５２２は、宛先ＩＰアドレスおよび送信元ＩＰアドレスと対応する出力ポートの各方向属性がともにＵＥ方向またはＬ−ＧＷ方向の場合は通信種別をＬ−ＧＷ折り返し通信と判定する。また、通信種別検出部５２２は、宛先ＩＰアドレスおよび送信元ＩＰアドレスと対応する出力ポートの各方向属性の少なくともいずれかがＵＥ方向でもＬ−ＧＷ方向でもない場合は通信種別を非Ｌ−ＧＷ折り返し通信と判定する。通信種別検出部５２２による通信種別検出の処理については後述する（たとえば図１２参照）。通信種別検出部５２２は、検出した通信種別を通信種別記憶部５１５に記憶させる。
【００４６】
通信種別取得部５２３は、端末の通信における通信種別を取得する通信種別取得の処理を行う。たとえば、通信種別取得部５２３は、基地局（たとえば基地局１２１）から通信種別問い合わせを受信した場合に、通信種別問い合わせ応答を生成して送信する。通信種別取得部５２３による通信種別取得の処理については後述する（たとえば図１３参照）。
【００４７】
ＨＯ元経路変更部５２４は、基地局（たとえば基地局１２１）からＨＯ元経路変更要求を受信した場合に、ＨＯを行う端末についてのＨＯ元のＬ−ＧＷにおける通信経路を変更するＨＯ元経路変更の処理を行う。ＨＯ元経路変更部５２４によるＨＯ元経路変更の処理については後述する（たとえば図１６参照）。
【００４８】
ＨＯ先経路変更部５２５は、基地局１２３からＨＯ先経路変更要求を受信した場合に、ＨＯを行う端末についてのＨＯ先のＬ−ＧＷにおける通信経路を変更するＨＯ先経路変更の処理を行う。ＨＯ先経路変更部５２５によるＨＯ先経路変更の処理については後述する（たとえば図１８参照）。
【００４９】
基地局インタフェース５３０（ｅＮＢ  ＩＦ）は、自装置の接続先の基地局（たとえば基地局１２１）との間の通信インタフェースである。プロセッサ５２０は、基地局インタフェース５３０を用いて自装置の接続先の基地局との間で通信を行う。
【００５０】
ネットワークインタフェース５４１，５４２は、それぞれローカルネットワーク１０２および他のＬ−ＧＷ（たとえばＬ−ＧＷ１４２）との間の通信インタフェースである。プロセッサ５２０は、ネットワークインタフェース５４１，５４２およびスイッチ５５０を用いて、ローカルネットワーク１０２や他のＬ−ＧＷとの間で通信を行う。
【００５１】
なお、ネットワークインタフェースの数は、接続先のローカルネットワーク１０２や他のＬ−ＧＷの数に応じた数とする。たとえばＬ−ＧＷ１４２は、Ｌ−ＧＷ１４１，１４３およびローカルネットワーク１０２に接続されているため、ネットワークインタフェースの数を３つとすることができる。
【００５２】
（実施の形態１にかかるＬ−ＧＷにおけるプロトコル変換）
図６は、実施の形態１にかかるＬ−ＧＷにおけるプロトコル変換の一例を示す図である。図５に示したプロトコル変換部５２１は、たとえば図６に示すプロトコル変換を行う。図６において、レイヤ群６１０は、Ｌ−ＧＷ１４１における基地局１２１の側の通信に対応するレイヤ群である。一方、レイヤ群６２０は、Ｌ−ＧＷ１４１におけるローカルネットワーク１０２の側の通信に対応するレイヤ群である。
【００５３】
レイヤ群６１０の外部ＩＰは、ローカルネットワーク１０２におけるルーティングに使用されるＩＰである。ＧＴＰ−Ｕ（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ  ｆｏｒ  Ｕｓｅｒ  Ｐｌａｎｅ）は、ユーザプレーンのためのＧＴＰ（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ）である。
【００５４】
ＵＤＰはユーザデータプロトコルである。内部ＩＰは基地局１２１〜１２３、Ｓ−ＧＷ１３１、Ｐ−ＧＷ１３２およびＭＭＥ１３３の間のルーティングに使われるＩＰである。Ｌ２は、レイヤ２（データリンク層）である。Ｌ１はレイヤ１（物理層）である。
【００５５】
プロトコル変換部５２１は、基地局１２１からのデータをローカルネットワーク１０２へ伝送する際には、基地局インタフェース５３０からネットワークインタフェース５４１へのデータについて、プロトコル変換６０１を行う。また、プロトコル変換部５２１は、ローカルネットワーク１０２からのデータを基地局１２１へ伝送する際には、ネットワークインタフェース５４１から基地局インタフェース５３０へのデータについて、プロトコル変換６０２を行う。
【００５６】
（実施の形態１にかかる基地局）
図７は、実施の形態１にかかる基地局の一例を示す図である。図７においては基地局１２１の構成について説明するが、基地局１２２，１２３の各構成も基地局１２１の構成と同様である。図７に示すように、実施の形態１にかかる基地局１２１は、アンテナ７１１と、無線処理回路７１２と、ベースバンド処理回路７１３と、メモリ７２０と、ベースバンド処理用プロセッサ７３０と、上位処理用プロセッサ７４０と、を備える。また、基地局１２１は、Ｓ−ＧＷインタフェース７６１と、Ｌ−ＧＷインタフェース７６２と、Ｘ２インタフェース７６３と、を備える。
【００５７】
ベースバンド処理用プロセッサ７３０および上位処理用プロセッサ７４０は、アンテナ７１１、無線処理回路７１２およびベースバンド処理回路７１３を用いて、基地局１２１のセル１２１ａに在圏する端末との間で無線通信を行う。
【００５８】
無線処理回路７１２は、ベースバンド周波数と無線周波数間の相互変換を行う。たとえば、無線処理回路７１２は、ベースバンド処理回路７１３から出力された信号をベースバンド周波数から無線周波数に変換してアンテナ７１１へ出力する。また、無線処理回路７１２は、アンテナ７１１から出力された信号を無線周波数からベースバンド周波数に変換してベースバンド処理回路７１３へ出力する。
【００５９】
また、無線処理回路７１２は、ベースバンド処理回路７１３から出力された信号をデジタル信号からアナログ信号に変換してアンテナ７１１へ出力してもよい。また、無線処理回路７１２は、アンテナ７１１から出力された信号をアナログ信号からデジタル信号に変換してベースバンド処理回路７１３へ出力してもよい。また、無線処理回路７１２は、信号の増幅等を行ってもよい。
【００６０】
アンテナ７１１は、端末（たとえば端末１１１）との間で無線信号の送受信を行う。たとえば、アンテナ７１１は、無線処理回路７１２から出力された信号を無線送信する。また、アンテナ７１１は、無線受信した信号を無線処理回路７１２へ出力する。
【００６１】
ベースバンド処理回路７１３は、基地局１２１が無線により送受信する信号について、主に物理層の処理を行う。ベースバンド処理回路７１３による処理には、たとえば送信信号の符号化および変調が含まれる。また、ベースバンド処理回路７１３による処理には、たとえば受信信号の復調および復号が含まれる。
【００６２】
メモリ７２０は、たとえばメインメモリおよび補助メモリが含まれる。メインメモリは、たとえばＲＡＭである。メインメモリは、ベースバンド処理用プロセッサ７３０や上位処理用プロセッサ７４０のワークエリアとして使用される。補助メモリは、たとえば磁気ディスク、光ディスク、フラッシュメモリなどの不揮発メモリである。補助メモリには、基地局１２１を動作させる各種のプログラムが記憶されている。補助メモリに記憶されたプログラムは、メインメモリにロードされてベースバンド処理用プロセッサ７３０や上位処理用プロセッサ７４０によって実行される。
【００６３】
また、基地局１２１は、省略可否記憶部７２１を備える。省略可否記憶部７２１はメモリ７２０により実現される。省略可否記憶部７２１は、ＮＷ側の経路変更処理の省略の可否を示す省略可否情報を記憶する。
【００６４】
ベースバンド処理用プロセッサ７３０は、ベースバンド処理回路７１３におけるベースバンド処理を制御する。また、ベースバンド処理用プロセッサ７３０は、スケジューラ７３１を備える。スケジューラ７３１は、ベースバンド処理用プロセッサ７３０により実現される。スケジューラ７３１は、複数端末への無線リソースの割り当て制御等を行う。
【００６５】
上位処理用プロセッサ７４０は、基地局１２１の通信における上位レイヤ（たとえばＬ２やアプリケーションレイヤ）の処理を行う。また、基地局１２１は、Ｌ２処理部７４１と、Ｌ３処理部７４２と、を備える。Ｌ２処理部７４１およびＬ３処理部７４２は上位処理用プロセッサ７４０により実現される。Ｌ−ＧＷ経由の通信がローカルネットワーク１０２を経由するか否かに応じてハンドオーバの制御を行う制御部は、たとえば上位処理用プロセッサ７４０により実現することができる。
【００６６】
Ｌ２処理部７４１は、基地局１２１の通信におけるＬ２の処理を行う。Ｌ２の処理には、たとえば、ＭＡＣ（Ｍｅｄｉｕｍ  Ａｃｃｅｓｓ  Ｃｏｎｔｒｏｌ）、ＲＬＣ（Ｒａｄｉｏ  Ｌｉｎｋ  Ｃｏｎｔｒｏｌ：無線リンク制御）、ＰＤＣＰ（Ｐａｃｋｅｔ  Ｄａｔａ  Ｃｏｎｖｅｒｇｅｎｃｅ  Ｐｒｏｔｏｃｏｌ）、ＧＴＰ−Ｕ、ＵＤＰ、内部ＩＰレイヤ等の処理が含まれる。
【００６７】
Ｌ３処理部７４２は、基地局１２１の通信におけるＲＲＣレイヤ、基地局間ＩＦの終端等のＬ２より上位の処理を行う。たとえば、無線リソースの制御や管理、基地局間信号の送受信、ＮＷ側装置との間の信号の送受信等の処理が含まれる。ＮＷ側装置には、たとえばＳ−ＧＷ１３１、Ｐ−ＧＷ１３２、Ｌ−ＧＷ１４１などが含まれる。
【００６８】
Ｌ３処理部７４２は、ＨＯ判定部７５１と、ＨＯ元省略判定部７５２と、ＨＯ元経路判定部７５３と、ＨＯ先経路判定部７５４と、を備える。ＨＯ判定部７５１は、端末（たとえば端末１１１）から送信される測定情報の受信やＨＯ要求受信時の受け入れ制御等を行う。
【００６９】
ＨＯ元省略判定部７５２は、ＨＯ判定部７５１によってＨＯを実施すると判定された場合に、ＨＯ元に対応するＬ−ＧＷ（たとえばＬ−ＧＷ１４２）に通信種別の問い合わせを行う。また、ＨＯ元省略判定部７５２は、通信種別問い合わせ応答を受信すると、ＮＷ側の経路変更処理を省略するか否かを判定するＨＯ元省略判定の処理を行う。ＨＯ元省略判定部７５２によるＨＯ元省略判定の処理については後述する（たとえば図１４参照）。
【００７０】
ＨＯ元経路判定部７５３は、ＨＯ元に対応するＬ−ＧＷ（たとえばＬ−ＧＷ１４２）に対して経路変更を要求するか否かを判定するＨＯ元経路判定の処理を行う。ＨＯ元経路判定部７５３によるＨＯ元経路判定の処理については後述する（たとえば図１５参照）。
【００７１】
ＨＯ先経路判定部７５４は、ＨＯ先に対応するＬ−ＧＷ（たとえばＬ−ＧＷ１４３）に対して経路変更を要求するか否かを判定するＨＯ先経路判定の処理を行う。ＨＯ先経路判定部７５４によるＨＯ先経路判定の処理については後述する（たとえば図１７参照）。
【００７２】
Ｓ−ＧＷインタフェース７６１（Ｓ−ＧＷ  ＩＦ）は、Ｓ−ＧＷ１３１との間の通信インタフェースである。たとえば、Ｓ−ＧＷインタフェース７６１はＳ１インタフェースである。ベースバンド処理用プロセッサ７３０および上位処理用プロセッサ７４０は、Ｓ−ＧＷインタフェース７６１を用いてＳ−ＧＷ１３１との間で通信を行う。
【００７３】
Ｌ−ＧＷインタフェース７６２（Ｌ−ＧＷ  ＩＦ）は、基地局１２１に接続されたＬ−ＧＷ（たとえばＬ−ＧＷ１４１）との間の通信インタフェースである。ベースバンド処理用プロセッサ７３０および上位処理用プロセッサ７４０は、Ｌ−ＧＷインタフェース７６２を用いて、基地局１２１に接続されたＬ−ＧＷ（たとえばＬ−ＧＷ１４１）との間で通信を行う。Ｌ−ＧＷ経由の通信がローカルネットワーク１０２を経由するか否かを示す情報を取得する取得部は、Ｌ−ＧＷインタフェース７６２により実現することができる。
【００７４】
Ｘ２インタフェース７６３（Ｘ２  ＩＦ）は、他の基地局（たとえば基地局１２２，１２３）との間の通信インタフェースである。ベースバンド処理用プロセッサ７３０および上位処理用プロセッサ７４０は、Ｘ２インタフェース７６３を用いて他の基地局（たとえば基地局１２２，１２３）との間で通信を行う。
【００７５】
（実施の形態１においてＨＯ要求を送信し経路変更処理を省略する場合の処理）
図８は、実施の形態１においてＨＯ要求を送信し経路変更処理を省略する場合の処理の一例を示すシーケンス図である。実施の形態１にかかる無線通信システム１００においては、たとえば図８に示す各ステップが実行される。図８に示す例では、端末１１２が基地局１２２から基地局１２３へＨＯする際に、ＨＯ要求を送信し経路変更処理を省略する場合について説明する。
【００７６】
まず、ＨＯ元の基地局１２２に対応するＬ−ＧＷ１４２に対して、隣接する基地局１２２のセルＩＤ（Ｃｅｌｌ  ＩＤ）と、Ｌ−ＧＷ１４２における出力ポート番号と、の対応情報を設定する隣接Ｌ−ＧＷ設定が行われる（ステップＳ８０１）。また、ＨＯ先の基地局１２３に対応するＬ−ＧＷ１４３に対して、隣接する基地局１２３のセルＩＤと、Ｌ−ＧＷ１４３における出力ポート番号と、の対応情報を設定する隣接Ｌ−ＧＷ設定が行われる（ステップＳ８０２）。ステップＳ８０１，Ｓ８０２による設定は、たとえばそれぞれＬ−ＧＷ１４２，１４３の置局時に行われる。これらの設定の例については後述する（たとえば表１，表２参照）。
【００７７】
つぎに、Ｌ−ＧＷ１４２が、端末（たとえば端末１１２）の通信種別を検出する通信種別検出の処理を行う（ステップＳ８０３）。通信種別には、ローカルネットワーク１０２を経由せずにＬ−ＧＷにて折り返す経路によるＬ−ＧＷ折り返し通信と、Ｌ−ＧＷおよびローカルネットワーク１０２を経由する経路による非Ｌ−ＧＷ折り返し通信と、がある。通信種別検出の処理については後述する（たとえば図１２参照）。
【００７８】
また、基地局１２２が、端末１１２に対して、無線品質の測定報告の送信条件を設定する測定制御を行う（ステップＳ８０４）。つぎに、端末１１２が、測定した無線品質がステップＳ８０４によって設定された送信条件を満たす場合に、基地局１２２に対して測定した無線品質の測定報告を送信する（ステップＳ８０５）。無線品質の測定報告には、たとえばＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）等の無線通信の無線品質情報が含まれる。なお、ステップＳ８０４，Ｓ８０５による測定制御や測定報告は、基地局１２２と端末１１２との間で定期的に行われてもよい。
【００７９】
つぎに、測定報告を受信した基地局１２２が、受信した測定報告に含まれる無線品質情報に基づいて、端末１１２のＨＯを実施するか否かを決定するＨＯ決定を行う（ステップＳ８０６）。たとえば、基地局１２２は、端末１１２において測定された基地局１２３の無線品質が、端末１１２において測定された基地局１２２の無線品質より高い場合に、端末１１２の基地局１２３へのＨＯの実施を決定する。図８に示す例では、基地局１２２は、端末１１２の基地局１２３へのＨＯを実施すると決定したとする。
【００８０】
つぎに、基地局１２２が、ＨＯ元の基地局１２２に対応するＬ−ＧＷ１４２に対して、ＨＯを行う端末１１２における通信種別を問い合わせる通信種別問い合わせを送信する（ステップＳ８０７）。通信種別問い合わせには、たとえば、ＨＯ先の基地局１２３のセルを示すターゲットセルＩＤと、ＨＯを行う端末１１２のＩＰアドレスを識別可能な情報（たとえば端末識別子）と、が含まれる。通信種別問い合わせについては後述する（たとえば表３参照）。
【００８１】
つぎに、Ｌ−ＧＷ１４２が、ステップＳ８０７の通信種別問い合わせに対して、端末１１２における通信種別を取得する通信種別取得の処理を行う（ステップＳ８０８）。ステップＳ８０８によって取得される通信種別には、たとえば、Ｌ−ＧＷ折り返し通信が可能か否かを示す通信種別と、端末１１２における通信におけるＬ−ＧＷ間直接通信の可否を示す通信種別と、が含まれる。通信種別取得の処理については後述する（たとえば図１３参照）。
【００８２】
つぎに、Ｌ−ＧＷ１４２が、基地局１２２に対して、ステップＳ８０８によって取得した通信種別を示す通信種別問い合わせ応答を送信する（ステップＳ８０９）。通信種別問い合わせ応答については後述する（たとえば表４参照）。
【００８３】
つぎに、基地局１２２が、基地局１２３へＨＯ要求を送信するか否かと、基地局１２３へＨＯ要求を送信する場合にＮＷ側の経路変更処理を省略するか否かを判定するＨＯ元省略判定の処理を行う（ステップＳ８１０）。ＨＯ元省略判定の処理については後述する（たとえば図１４参照）。図８に示す例では、基地局１２３へＨＯ要求を送信し、ＮＷ側の経路変更処理を省略すると判定された場合について説明する。
【００８４】
つぎに、基地局１２２は、ＨＯ先の基地局１２３へ、端末１１２のＨＯを要求するＨＯ要求を送信する（ステップＳ８１１）。ステップＳ８１１によって送信されるＨＯ要求には、たとえば、ＮＷ側の経路変更処理の省略可否情報、基地局１２３とＬ−ＧＷ１４３との間の経路設定に要する情報、Ｌ−ＧＷ１４２とＬ−ＧＷ１４３との間の経路設定に要する情報等が含まれる。
【００８５】
ＮＷ側の経路変更処理の省略可否情報は、ステップＳ８１０における判定結果を示す情報であり、図８に示す例では省略可を示す情報となる。基地局１２３とＬ−ＧＷ１４３間の経路設定に要する情報は、たとえばＳ５  ＴＥＩＤが含まれる。Ｌ−ＧＷ１４２とＬ−ＧＷ１４３との間の経路設定に要する情報には、たとえばＨＯ元の基地局１２２のセルＩＤ、ＨＯを行う端末１１２のＩＰアドレス、端末１１２と通信を行っている端末１１１のＩＰアドレスが含まれる。ＨＯ要求については後述する（たとえば図１１参照）。
【００８６】
つぎに、基地局１２３が、端末１１２の基地局１２３へのＨＯを受け入れ可能か否かを判断する受入制御を行う（ステップＳ８１２）。図８に示す例では、基地局１２３は、端末１１２の基地局１２３へのＨＯを受け入れ可能と判断したとする。つぎに、基地局１２３が、端末１１２のＨＯを受け入れ可能であることを示すＨＯ要求ＡＣＫを基地局１２２に送信する（ステップＳ８１３）。
【００８７】
つぎに、基地局１２２が、基地局１２２から基地局１２３への無線リンクの変更を指示するＲＲＣ（Ｒａｄｉｏ  Ｒｅｓｏｕｒｃｅ  Ｃｏｎｔｒｏｌ：無線リソース制御）コネクションリコンフィギュレーション（ＲＲＣ  Ｃｏｎｎｅｃｔｉｏｎ  Ｒｅｃｏｎｆｉｇｕｒａｔｉｏｎ）を端末１１２に送信する（ステップＳ８１４）。また、基地局１２２が、ステップＳ８１０による判定結果に基づいて、ＨＯ元に対応するＬ−ＧＷ１４２に対して経路変更を要求するか否かを判定するＨＯ元経路判定の処理を行う（ステップＳ８１５）。ＨＯ元経路判定の処理については後述する（たとえば図１５参照）。図８に示す例では、ステップＳ８１５において、Ｌ−ＧＷ１４２に対して経路変更を要求すると判定された場合について説明する。
【００８８】
つぎに、基地局１２２が、Ｌ−ＧＷ１４２にＨＯ元経路変更要求を送信する（ステップＳ８１６）。ＨＯ元経路変更要求には、たとえばＨＯ先の基地局１２３のセルを示すターゲットセルＩＤや、ＨＯを行う端末１１２（ＨＯ端末）のＩＰアドレスが含まれる。ＨＯ元経路変更要求については後述する（たとえば表５参照）。つぎに、ＨＯ元経路変更要求を受信したＬ−ＧＷ１４２が、ＨＯを行う端末１１２についてのＬ−ＧＷ１４２における通信経路を変更するＨＯ元経路変更の処理を行う（ステップＳ８１７）。ＨＯ元経路変更の処理については後述する（たとえば図１６参照）。
【００８９】
また、ＲＲＣコネクションリコンフィギュレーションを受信した端末１１２が、ＨＯ元の基地局１２２からＨＯ先の基地局１２３へ無線リンクの切り替えを行う（ステップＳ８１８）。つぎに、端末１１２が、無線リンクの切り替えが完了したことを示すＲＲＣコネクションリコンフィギュレーションコンプリート（ＲＲＣ  Ｃｏｎｎｅｃｔｉｏｎ  Ｒｅｃｏｎｆｉｇｕｒａｔｉｏｎ  Ｃｏｍｐｌｅｔｅ）を基地局１２３に送信する（ステップＳ８１９）。
【００９０】
つぎに、ＲＲＣコネクションリコンフィギュレーションコンプリートを受信した基地局１２３が、ＨＯ先に対応するＬ−ＧＷ１４３に対して経路変更を要求するか否かを判定するＨＯ先経路判定の処理を行う（ステップＳ８２０）。ＨＯ先経路判定の処理については後述する（たとえば図１７参照）。図８に示す例では、ステップＳ８２０において、Ｌ−ＧＷ１４３に対して経路変更を要求すると判断された場合について説明する。
【００９１】
つぎに、基地局１２３が、Ｌ−ＧＷ１４３にＨＯ先経路変更要求を送信する（ステップＳ８２１）。ＨＯ先経路変更要求には、たとえばＨＯ元の基地局１２２のセルを示すソースセルＩＤ、ＨＯを行う端末１１２のＩＰアドレス、端末１１２と通信を行っている端末１１１のＩＰアドレスが含まれる。ＨＯ先経路変更要求については後述する（たとえば表６参照）。また、基地局１２３が、ＵＥコンテキストの解放を要求するＵＥコンテキストリリース（ＵＥ  Ｃｏｎｔｅｘｔ  Ｒｅｌｅａｓｅ）を基地局１２２に送信する（ステップＳ８２２）。
【００９２】
つぎに、ＨＯ先経路変更要求を受信したＬ−ＧＷ１４３が、ＨＯを行う端末１１２と通信を行っている端末１１１についてのＬ−ＧＷ１４３における通信経路を変更するＨＯ先経路変更の処理を行う（ステップＳ８２３）。ＨＯ先経路変更の処理については後述する（たとえば図１８参照）。また、ＵＥコンテキストリリースを受信した基地局１２２が、ＨＯを行った端末１１２に関連するリソース（コンテキスト）を解放する（ステップＳ８２４）。
【００９３】
これにより、たとえば図４に示したように、端末１１１と端末１１２との間で、基地局１２１、Ｌ−ＧＷ１４１〜１４３、基地局１２３を経由する経路によって通信が再開（通信再開）される（ステップＳ８２５）。
【００９４】
図８に示す例においては、端末１１１，１１２の間のＬ−ＧＷ経由の折り返し通信が切断されずに、ステップＳ８２３によるＬ−ＧＷ１４３における経路変更によりＨＯが行われている。また、Ｓ−ＧＷ１３１、Ｐ−ＧＷ１３２およびＭＭＥ１３３などのＮＷ側の経路変更処理は省略されている。
【００９５】
（実施の形態１においてＨＯ要求を送信しＮＷ側の経路変更処理を省略しない場合の処理）
図９は、実施の形態１においてＨＯ要求を送信しＮＷ側の経路変更処理を省略しない場合の処理の一例を示すシーケンス図である。図９に示す例では、端末１１２が基地局１２２から基地局１２３へＨＯする際に、ＨＯ要求を送信しＮＷ側の経路変更処理を省略しない場合の処理について説明する。
【００９６】
図９に示すステップＳ９０１〜Ｓ９１０は、図８に示したステップＳ８０１〜Ｓ８１０と同様である。ただし、図９に示す例では、ステップＳ９１０のＨＯ元省略判定処理において、基地局１２３へＨＯ要求を送信し、ＮＷ側の経路変更処理を省略しないと判定される場合について説明する。
【００９７】
この場合は、ステップＳ９１０のつぎに、ＨＯ元の基地局１２２が、基地局１２２（ＨＯ元ｅＮＢ）とのＬＩＰＡ  ＰＤＮコネクションを解放する（ステップＳ９１１）。これにより、端末１１１，１１２の間のＬ−ＧＷ経由の折り返し通信が一旦切断される。
【００９８】
つぎに、基地局１２２が、ＨＯ先の基地局１２３へＨＯ要求を送信する（ステップＳ９１２）。図９に示す例では、ステップＳ９１０のＨＯ元省略判定処理においてＮＷ側の経路変更処理を省略しないと判定されているため、ステップＳ９１２によって送信されるＨＯ要求に含まれる省略可否情報は、省略不可を示す情報となる。
【００９９】
ステップＳ９１３〜Ｓ９１６は、図８に示したステップＳ８１２〜Ｓ８１５と同様である。ただし、図９に示す例では、省略可否情報が省略不可であることにより、ステップＳ９１６のＨＯ元経路判定の処理（たとえば図１５参照）において、Ｌ−ＧＷ１４２に対して経路変更を要求しないと判断される。この場合は、図８に示したステップＳ８１６のようなＨＯ元経路変更要求はＬ−ＧＷ１４２へ送信されない。このため、たとえば図８に示したステップＳ８１７のようなＬ−ＧＷ１４２によるＨＯ元経路変更は行われない。
【０１００】
ステップＳ９１７，Ｓ９１８は、図８に示したステップＳ８１８，Ｓ８１９と同様である。ステップＳ９１８のつぎに、ＲＲＣコネクションリコンフィギュレーションコンプリートを受信した基地局１２３が、ＨＯ先経路判定の処理を行う（ステップＳ９１９）。ＨＯ先経路判定の処理については後述する（たとえば図１７参照）。図９に示す例では、省略可否情報が省略不可であり、Ｐ−ＧＷ１３２を経由する通信の経路変更を行うために、基地局１２３は、経路変更を要求するパススイッチリクエスト（Ｐａｔｈ  ｓｗｉｔｃｈ  Ｒｅｑｕｅｓｔ）をＭＭＥ１３３に送信する（ステップＳ９２０）。
【０１０１】
つぎに、ＭＭＥ１３３が、受信したパススイッチリクエストに基づく経路変更を要求するモディファイベアラリクエスト（Ｍｏｄｉｆｙ  Ｂｅａｒｅｒ  Ｒｅｑｕｅｓｔ）をＳ−ＧＷ１３１およびＰ−ＧＷ１３２に送信する（ステップＳ９２１）。つぎに、Ｓ−ＧＷ１３１およびＰ−ＧＷ１３２が、受信したモディファイベアラリクエストに基づく通信経路変更を行う（ステップＳ９２２）。
【０１０２】
つぎに、Ｓ−ＧＷ１３１およびＰ−ＧＷ１３２が、通信経路変更を行ったことを示すモディファイベアラレスポンス（Ｍｏｄｉｆｙ  Ｂｅａｒｅｒ  Ｒｅｓｐｏｎｓｅ）をＭＭＥ１３３に送信する（ステップＳ９２３）。つぎに、ＭＭＥ１３３が、経路変更を行ったことを示すパススイッチリクエスト応答（Ｐａｔｈ  Ｓｗｉｔｃｈ  Ｒｅｑｕｅｓｔ  ＡＣＫ）を基地局１２３に送信する（ステップＳ９２４）。
【０１０３】
つぎに、パススイッチリクエスト応答を受信した基地局１２３が、ＵＥコンテキストのリリース（解放）を要求するＵＥコンテキストリリースを基地局１２２に送信する（ステップＳ９２５）。つぎに、ＵＥコンテキストリリースを受信した基地局１２２が、ＨＯを行った端末１１２に関連するリソースを解放するリソース解放を行い（ステップＳ９２６）、端末１１２におけるＰ−ＧＷ１３２を経由する通信についてのＨＯが完了する。
【０１０４】
つぎに、たとえば端末１１２がＬ−ＧＷ経由の通信を要求したとする。この場合に、ＨＯ先の基地局１２２（ＨＯ先ｅＮＢ）とのＬＩＰＡ  ＰＤＮコネクションが確立される（ステップＳ９２７）。これにより、たとえば図４に示したように、端末１１１と端末１１２との間で、基地局１２１、Ｌ−ＧＷ１４１〜１４３、基地局１２３を経由する経路によって通信が再開（通信再開）される（ステップＳ９２８）。図９に示す例においては、Ｓ−ＧＷ１３１、Ｐ−ＧＷ１３２およびＭＭＥ１３３などのＮＷ側の経路変更処理（たとえばステップＳ９２０〜Ｓ９２４）が行われている。
【０１０５】
（実施の形態１においてＨＯ要求を送信しない場合の処理）
図１０は、実施の形態１においてＨＯ要求を送信しない場合の処理の一例を示すシーケンス図である。図１０に示す例では、端末１１２が基地局１２２から基地局１２３へＨＯする際に、ＨＯ要求を送信しない場合の処理について説明する。
【０１０６】
図１０に示すステップＳ１００１〜Ｓ１０１０は、図８に示したステップＳ８０１〜Ｓ８１０と同様である。ただし、図１０に示す例では、ステップＳ１０１０のＨＯ元省略判定処理において、基地局１２３へＨＯ要求を送信しないと判定される場合について説明する。この場合は、ステップＳ１０１０のつぎに、ＨＯ元の基地局１２２が、Ｌ−ＧＷ経由の通信である基地局１２２（ＨＯ元ｅＮＢ）とのＬＩＰＡ  ＰＤＮコネクションを解放する（ステップＳ１０１１）。
【０１０７】
つぎに、たとえば端末１１２がＬ−ＧＷ経由の通信を要求したとする。この場合に、ＨＯ先の基地局１２３（ＨＯ先ｅＮＢ）とのＬＩＰＡ  ＰＤＮコネクションが確立される（ステップＳ１０１２）。これにより、たとえば図４に示したように、端末１１１と端末１１２との間で、基地局１２１、Ｌ−ＧＷ１４１〜１４３、基地局１２３を経由する経路によって通信が再開（通信再開）される（ステップＳ１０１３）。
【０１０８】
図１０に示す例においては、ステップＳ１０１１によってＬ−ＧＷ経由の通信が切断した後に、Ｐ−ＧＷ経由の通信が存在しないため、ＨＯのシーケンスの実行は不要となる。このため、Ｓ−ＧＷ１３１、Ｐ−ＧＷ１３２およびＭＭＥ１３３などのＮＷ側の経路変更処理も行われない。
【０１０９】
（実施の形態１にかかるＨＯ元のＬ−ＧＷにおけるＬ−ＧＷ間通信経路記憶部に記憶される情報）
表１は、実施の形態１にかかるＨＯ元のＬ−ＧＷにおけるＬ−ＧＷ間通信経路記憶部に記憶される情報の一例を示す表である。たとえば図８に示したステップＳ８０１の隣接Ｌ−ＧＷ設定により、ＨＯ元のＬ−ＧＷ１４２のＬ−ＧＷ間通信経路記憶部５１６には、たとえば表１に示すＬ−ＧＷ間通信経路情報が記憶される。表１に示すＬ−ＧＷ間通信経路情報においては、Ｌ−ＧＷ１４２と接続されたＬ−ＧＷごとに、該Ｌ−ＧＷに対応する基地局のセルＩＤと、該Ｌ−ＧＷと接続されたＬ−ＧＷ１４２の出力ポートと、が対応付けられている。
【０１１０】
【表１】
2016185531.tif 000003
【０１１１】
たとえば、Ｌ−ＧＷ１４２にはＬ−ＧＷ１４１が接続されている（たとえば図３，図４参照）。このため、表１に示すＬ−ＧＷ間通信経路情報においては、Ｌ−ＧＷ１４１に対応する基地局１２１のセルＩＤ＝１と、Ｌ−ＧＷ１４１と接続されたＬ−ＧＷ１４２の出力ポート＝（３）と、が対応付けられている。また、Ｌ−ＧＷ１４２にはＬ−ＧＷ１４３が接続されているため、表１に示すＬ−ＧＷ間通信経路情報においては、Ｌ−ＧＷ１４３に対応する基地局１２３のセルＩＤ＝３と、Ｌ−ＧＷ１４３と接続されたＬ−ＧＷ１４２の出力ポート＝（４）と、が対応付けられている。
【０１１２】
（実施の形態１にかかるＨＯ先のＬ−ＧＷにおけるＬ−ＧＷ間通信経路記憶部に記憶される情報）
表２は、実施の形態１にかかるＨＯ先のＬ−ＧＷにおけるＬ−ＧＷ間通信経路記憶部に記憶される情報の一例を示す表である。たとえば図８に示したステップＳ８０２の隣接Ｌ−ＧＷ設定により、ＨＯ先のＬ−ＧＷ１４３のＬ−ＧＷ間通信経路記憶部５１６には、たとえば表２に示すＬ−ＧＷ間通信経路情報が記憶される。表２に示すＬ−ＧＷ間通信経路情報においては、Ｌ−ＧＷ１４３と接続されたＬ−ＧＷごとに、該Ｌ−ＧＷに対応する基地局のセルＩＤと、該Ｌ−ＧＷと接続されたＬ−ＧＷ１４３の出力ポートと、が対応付けられている。
【０１１３】
【表２】
2016185531.tif 000004
【０１１４】
たとえば、Ｌ−ＧＷ１４３にはＬ−ＧＷ１４２が接続されている。このため、表２に示すＬ−ＧＷ間通信経路情報においては、Ｌ−ＧＷ１４２に対応する基地局１２２のセルＩＤ＝２と、Ｌ−ＧＷ１４２と接続されたＬ−ＧＷ１４３の出力ポート＝（７）と、が対応付けられている。
【０１１５】
（実施の形態１にかかる通信種別問い合わせの処理）
表３は、実施の形態１にかかる通信種別問い合わせの一例を示す表である。たとえば図８に示したステップＳ８０７において、ＨＯ元の基地局１２２は、Ｌ−ＧＷ１４２に対して、たとえば表３に示す通信種別問い合わせを送信する。表３に示す通信種別問い合わせには、ＨＯを行う端末１１２の端末識別子と、ＨＯ先の基地局１２３のセルを示すターゲットセルＩＤと、が含まれる。
【０１１６】
【表３】
2016185531.tif 000005
【０１１７】
（実施の形態１にかかる通信種別問い合わせ応答）
表４は、実施の形態１にかかる通信種別問い合わせ応答の一例を示す表である。たとえば図８に示したステップＳ８０９において、Ｌ−ＧＷ１４２は、基地局１２２に対して、たとえば表４に示す通信種別問い合わせ応答を送信する。表４に示す通信種別問い合わせ応答には、通信種別と、Ｌ−ＧＷ間直接通信可否と、ＨＯを行う端末１１２のＩＰアドレスと、端末１１２と通信中の端末１１１のＩＰアドレスと、が含まれる。
【０１１８】
【表４】
2016185531.tif 000006
【０１１９】
通信種別は、Ｌ−ＧＷ折り返し通信が可能か否かを示す情報である。この通信種別は、たとえば図１３に示すステップＳ１３０２によって取得された情報である。Ｌ−ＧＷ間直接通信可否は、Ｌ−ＧＷ間における直接通信の可否を示す情報である。このＬ−ＧＷ間直接通信可否は、図１３に示すステップＳ１３０４またはステップＳ１３０５によって判断される。
【０１２０】
（実施の形態１にかかるＨＯ要求）
図１１は、実施の形態１にかかるＨＯ要求の一例を示す図である。たとえば図８に示したステップＳ８１１において、基地局１２２は、たとえば図１１に示すＨＯ要求１１００を基地局１２３に送信する。ＨＯ要求１１００は、３ＧＰＰに規定された「Ｘ２  ＡＰ：ＨＡＮＤＯＶＥＲ  ＲＥＱＵＥＳＴ」において、省略可否情報１１０１、Ｓ５トンネル終端点識別子１１０２（Ｓ５  ＴＥＩＤ）、ＩＰアドレス１１０３，１１０４と、ソースセルＩＤ１１０５と、を追加したＨＯ要求である。
【０１２１】
省略可否情報１１０１は、ＮＷ側の経路変更の省略可否をＨＯ先へ通知する情報である。Ｓ５トンネル終端点識別子１１０２は、ＨＯ先の基地局１２３とＬ−ＧＷ１４３の間のパスを生成するための情報である。
【０１２２】
ＩＰアドレス１１０３，１１０４およびソースセルＩＤ１１０５は、ＨＯ元のＬ−ＧＷ１４２とＨＯ先のＬ−ＧＷ１４３と間の直接通信経路を設定するための情報である。ＩＰアドレス１１０３には、ＨＯを行う端末１１２のＩＰアドレス＝Ｂが格納される。ＩＰアドレス１１０４には、ＨＯを行う端末１１２と通信を行っている端末１１１のＩＰアドレス＝Ａが格納される。ソースセルＩＤ１１０５には、ＨＯ元の基地局１２２のセルのＩＤ＝２が格納される。
【０１２３】
このように、ＨＯ要求１１００は、端末１１２の通信がＬ−ＧＷ折り返し通信か否か（ローカルネットワーク１０２を経由するか否か）に応じた省略可否情報１１０１を含む。なお、図８に示したステップＳ８１１において送信されるＨＯ要求は図１１に示したＨＯ要求１１００に限らず、各種のフォーマットの制御信号を用いることができる。
【０１２４】
（実施の形態１にかかるＨＯ元経路変更要求）
表５は、実施の形態１にかかるＨＯ元経路変更要求の一例を示す表である。たとえば図８に示したステップＳ８１６において、基地局１２２は、Ｌ−ＧＷ１４２に対して、たとえば表５に示すＨＯ元経路変更要求を送信する。表５に示すＨＯ元経路変更要求には、ＨＯ先の基地局１２３のセルを示すターゲットセルＩＤと、ＨＯを行う端末１１２のＩＰアドレスが含まれる。
【０１２５】
【表５】
2016185531.tif 000007
【０１２６】
（実施の形態１にかかるＨＯ先経路変更要求）
表６は、実施の形態１にかかるＨＯ先経路変更要求の一例を示す図である。たとえば図８に示したステップＳ８２１において、基地局１２３は、Ｌ−ＧＷ１４３に対して、たとえば表６に示すＨＯ先経路変更要求を送信する。表６に示すＨＯ先経路変更要求には、ＨＯ元の基地局１２２のセルを示すソースセルＩＤと、ＨＯを行う端末１１２のＩＰアドレスと、ＨＯを行う端末１１２と通信を行っている端末１１１のＩＰアドレスと、が含まれる。
【０１２７】
【表６】
2016185531.tif 000008
【０１２８】
（実施の形態１にかかる通信種別検出の処理）
図１２は、実施の形態１にかかる通信種別検出の処理の一例を示すフローチャートである。たとえば図８に示したステップＳ８０３において、Ｌ−ＧＷ１４２は、通信種別検出の処理として、たとえば図１２に示す各ステップを実行する。
【０１２９】
まず、Ｌ−ＧＷ１４２は、Ｌ−ＧＷ１４２のポートごとに方向属性を設定する（ステップＳ１２０１）。ポートごとの方向属性の設定については後述する（たとえば表７参照）。ステップＳ１２０１は、たとえばＬ−ＧＷ１４２の置局時に行われた設定を読み込むことで行うことができる。
【０１３０】
つぎに、Ｌ−ＧＷ１４２は、ＮＷ側経路記憶部５１２に宛先ＩＰアドレスと出力ポートとの対応情報を設定する（ステップＳ１２０２）。ＮＷ側経路記憶部５１２への宛先ＩＰアドレスおよび出力ポートの設定については後述する（たとえば表８参照）。ステップＳ１２０２は、たとえば端末１１１と端末１１２との間の通信開始時に行われた情報を読み込むことで行うことができる。
【０１３１】
つぎに、Ｌ−ＧＷ１４２は、宛先または送信元が端末１１２であるパケットを受信すると、受信したパケット（受信パケット）の宛先ＩＰアドレスおよび送信元ＩＰアドレスを取得する（ステップＳ１２０３）。つぎに、Ｌ−ＧＷ１４２は、ステップＳ１２０３によって取得した宛先ＩＰアドレスに対応する出力ポートの方向属性がＮＷ方向であるか否かを判断する（ステップＳ１２０４）。
【０１３２】
ステップＳ１２０４において、宛先ＩＰアドレスに対応する出力ポートの方向属性がＮＷ方向である場合（ステップＳ１２０４：Ｙｅｓ）は、端末１１２における通信は、ローカルネットワーク１０２を経由するものであると判断することができる。この場合は、Ｌ−ＧＷ１４２は、端末１１２の通信種別として非Ｌ−ＧＷ折り返し通信を設定し（ステップＳ１２０５）、ステップＳ１２０８へ移行する。宛先ＩＰアドレスに対応する出力ポートの方向属性がＮＷ方向でない場合（ステップＳ１２０４：Ｎｏ）は、ステップＳ１２０６へ移行する。
【０１３３】
すなわち、Ｌ−ＧＷ１４２は、ステップＳ１２０３によって取得した送信元ＩＰアドレスに対応する出力ポートの方向属性がＮＷ方向であるか否かを判断する（ステップＳ１２０６）。方向属性がＮＷ方向である場合（ステップＳ１２０６：Ｙｅｓ）は、端末１１２における通信は、ローカルネットワーク１０２を経由するものであると判断することができる。この場合は、Ｌ−ＧＷ１４２は、ステップＳ１２０５へ移行する。
【０１３４】
ステップＳ１２０６において、方向属性がＮＷ方向でない場合（ステップＳ１２０６：Ｎｏ）は、端末１１２における通信は、ローカルネットワーク１０２を経由しないものであると判断することができる。この場合は、Ｌ−ＧＷ１４２は、端末１１２の通信種別としてＬ−ＧＷ折り返し通信を設定する（ステップＳ１２０７）。
【０１３５】
つぎに、Ｌ−ＧＷ１４２は、通信種別記憶部５１５に、ステップＳ１２０５またはステップＳ１２０７により設定した通信種別と、ステップＳ１２０３により取得した宛先ＩＰアドレスおよび送信元ＩＰアドレスと、を対応付けて設定する（ステップＳ１２０８）。そして、Ｌ−ＧＷ１４２は、一連の処理を終了する。
【０１３６】
このように、Ｌ−ＧＷ１４２は、各通信ポートのうちの、Ｌ−ＧＷ１４２を経由する端末１１２の通信におけるデータの宛先および送信元の少なくともいずれかに対応する通信ポートがローカルネットワーク１０２へ接続されているか否かを判定する。これにより、Ｌ−ＧＷ１４２を経由する端末１１２の通信が、ローカルネットワーク１０２を経由するか否か（非Ｌ−ＧＷ折り返し通信かＬ−ＧＷ折り返し通信か）を判定することができる。
【０１３７】
（実施の形態１にかかるＨＯ元のＬ−ＧＷにおけるポート方向属性記憶部に記憶される情報）
表７は、実施の形態１にかかるＨＯ元のＬ−ＧＷにおけるポート方向属性記憶部に記憶される情報の一例を示す表である。たとえば図１２に示したステップＳ１２０１により、ＨＯ元に対応するＬ−ＧＷ１４２のポート方向属性記憶部５１４には、たとえば表７に示すポート方向属性情報が記憶される。表７に示すポート方向属性情報においては、Ｌ−ＧＷ１４２の出力ポートごとに方向属性が対応付けられている。
【０１３８】
【表７】
2016185531.tif 000009
【０１３９】
方向属性は、出力ポートに対応する送信先を示す情報である。表７に示す例では、方向属性には、端末１１２などのＵＥが送信先となるＵＥ方向、Ｌ−ＧＷ１４１，１４３などの他のＬ−ＧＷが送信先となるＬ−ＧＷ方向、ローカルネットワーク１０２が送信先となるＮＷ方向がある。Ｌ−ＧＷ１４２は基地局１２２を介して端末１１２へパケットを送信するため、基地局１２２に接続された出力ポートの方向属性もＵＥ方向となる。
【０１４０】
たとえば、図３，図４に示したように、Ｌ−ＧＷ１４２の出力ポート＝（１）は基地局１２２に接続されているため、出力ポート＝（１）の方向属性はＵＥ方向となっている。また、Ｌ−ＧＷ１４２の出力ポート＝（２）はローカルネットワーク１０２に接続されているため、出力ポート＝（２）の方向属性はＮＷ方向となっている。また、Ｌ−ＧＷ１４２の出力ポート＝（３）はＬ−ＧＷ１４１に接続されているため、出力ポート＝（３）の方向属性はＬ−ＧＷ方向となっている。また、Ｌ−ＧＷ１４２の出力ポート＝（４）はＬ−ＧＷ１４３に接続されているため、出力ポート＝（４）の方向属性はＬ−ＧＷ方向となっている。
【０１４１】
（実施の形態１にかかるＨＯ元のＬ−ＧＷのＮＷ側経路記憶部に記憶される情報）
表８は、実施の形態１にかかるＨＯ元のＬ−ＧＷのＮＷ側経路記憶部に記憶される情報の一例を示す表である。たとえば図１２に示したステップＳ１２０２により、ＨＯ元のＬ−ＧＷ１４２のＮＷ側経路記憶部５１２には、たとえば表８に示すＮＷ側経路情報が記憶される。表８に示すＮＷ側経路情報においては、宛先ＩＰアドレスごとに、Ｌ−ＧＷ１４２の出力ポートが対応付けられている。
【０１４２】
【表８】
2016185531.tif 000010
【０１４３】
たとえば、図３，図４に示したように、宛先ＩＰアドレス＝Ａは端末１１１のアドレスであるため、宛先ＩＰアドレス＝Ａには端末１１１（基地局１２１）の方向に対応する出力ポート＝（３）が対応付けられている。また、宛先ＩＰアドレス＝Ｂは端末１１２のアドレスであるため、宛先ＩＰアドレス＝Ｂには端末１１２（基地局１２２）の方向に対応する出力ポート＝（１）が対応付けられている。
【０１４４】
また、宛先ＩＰアドレス＝Ｃはサーバ３０１のアドレスであるため、宛先ＩＰアドレスのＣにはサーバ３０１（ローカルネットワーク１０２）の方向に対応する出力ポート＝（２）が対応付けられている。また、宛先ＩＰアドレス＝Ｄはサーバ３０２のアドレスであるため、宛先ＩＰアドレス＝Ｄにはサーバ３０２（ローカルネットワーク１０２）の方向に対応する出力ポート＝（２）が対応付けられている。
【０１４５】
（実施の形態１にかかるＨＯ元のＬ−ＧＷの通信種別記憶部に記憶される情報）
表９は、実施の形態１にかかるＨＯ元のＬ−ＧＷの通信種別記憶部に記憶される情報の一例を示す図である。たとえば図１２に示したステップＳ１２０８により、ＨＯ元のＬ−ＧＷ１４２の通信種別記憶部５１５には、たとえば表９に示す通信種別情報が記憶される。表９に示す通信種別情報においては、送信元ＩＰアドレスと、宛先ＩＰアドレスと、通信種別と、が対応付けられている。
【０１４６】
【表９】
2016185531.tif 000011
【０１４７】
たとえば図１２に示したステップＳ１２０３において、Ｌ−ＧＷ１４２は、端末１１１のＩＰアドレス＝Ａを送信元とし、端末１１２のＩＰアドレス＝Ｂを宛先とするパケットを受信したとする。この場合に、ＩＰアドレス＝Ａに対応する出力ポートは出力ポート＝（３）であり（表８参照）、出力ポート＝（３）の方向属性はＬ−ＧＷ方向である（表７参照）。また、ＩＰアドレス＝Ｂに対応する出力ポートは出力ポート＝（１）であり（表８参照）、出力ポート＝（１）の方向属性はＵＥ方向である（表７参照）。
【０１４８】
このため、Ｌ−ＧＷ１４２は、受信したパケットの通信種別としてＬ−ＧＷ折り返し通信を設定する。したがって、Ｌ−ＧＷ１４２は、表９の通信種別情報に示すように、送信元ＩＰアドレス＝Ａと、宛先ＩＰアドレス＝Ｂと、通信種別＝Ｌ−ＧＷ折り返し通信と、を対応付けて通信種別記憶部５１５に記憶する。
【０１４９】
（実施の形態１にかかるＨＯ元のＬ−ＧＷによる通信種別取得の処理）
図１３は、実施の形態１にかかるＨＯ元のＬ−ＧＷによる通信種別取得の処理の一例を示すフローチャートである。ＨＯ元のＬ−ＧＷ１４２は、たとえば図８に示したステップＳ８０８において、通信種別取得の処理として、たとえば図１３に示す各ステップを実行する。
【０１５０】
まず、Ｌ−ＧＷ１４２は、ＨＯを行う端末（端末１１２）の端末識別子をＩＰアドレスに変換する（ステップＳ１３０１）。端末識別子は、表３に示した通信種別問い合わせに含まれる、ＨＯを行う端末（端末１１２）のＩＰアドレスを識別可能な情報である。
【０１５１】
つぎに、Ｌ−ＧＷ１４２は、ステップＳ１３０１によって変換した端末１１２のＩＰアドレスに基づいて通信種別記憶部５１５を参照し、端末１１２の通信相手のＩＰアドレスと通信種別を取得する（ステップＳ１３０２）。たとえば表９に示した例では、端末１１２のＩＰアドレス＝Ｂと端末１１１のＩＰアドレス＝Ａとが対応付けられている。このため、ステップＳ１３０２において、端末１１２の通信相手のＩＰアドレスとして端末１１１のＩＰアドレス＝Ａが取得される。
【０１５２】
つぎに、Ｌ−ＧＷ１４２は、Ｌ−ＧＷ間通信経路記憶部５１６に、端末１１２のＨＯ先の基地局１２３のターゲットセルＩＤが存在するか否かを判断する（ステップＳ１３０３）。ターゲットセルＩＤは、表３に示した通信種別問い合わせに含まれる情報である。たとえば表１に示した例では、Ｌ−ＧＷ間通信経路情報において、端末１１２のＨＯ先の基地局１２３のセルＩＤ＝３が存在する。
【０１５３】
ステップＳ１３０３において、ターゲットセルＩＤが存在すると判断した場合（ステップＳ１３０３：Ｙｅｓ）は、Ｌ−ＧＷ１４２は、Ｌ−ＧＷ間直接通信可能と判断し（ステップＳ１３０４）、一連の処理を終了する。ターゲットセルＩＤが存在しないと判断した場合（ステップＳ１３０３：Ｎｏ）は、Ｌ−ＧＷ１４２は、Ｌ−ＧＷ間直接通信不可能と判断し（ステップＳ１３０５）、一連の処理を終了する。
【０１５４】
（実施の形態１にかかるＨＯ元省略判定の処理およびＨＯ元省略判定の処理に基づく処理）
図１４は、実施の形態１にかかるＨＯ元省略判定の処理およびＨＯ元省略判定の処理に基づく処理の一例を示すフローチャートである。ＨＯ元の基地局１２２は、図８に示したステップＳ８１０，Ｓ８１１において、ＨＯ元省略判定の処理およびＨＯ要求の送信として、たとえば図１４に示す各ステップを実行する。
【０１５５】
まず、基地局１２２は、Ｌ−ＧＷ１４２から受信した通信種別問い合わせ応答に基づいて、Ｌ−ＧＷ間直接通信可能か否かを判断する（ステップＳ１４０１）。Ｌ−ＧＷ間直接通信は、Ｌ−ＧＷ１４２とＬ−ＧＷ１４３との間の直接通信である。Ｌ−ＧＷ間直接通信可能でない場合（ステップＳ１４０１：Ｎｏ）は、基地局１２２は、ステップＳ１４０６へ移行する。Ｌ−ＧＷ間直接通信可能である場合（ステップＳ１４０１：Ｙｅｓ）は、基地局１２２は、ＨＯを行う端末１１２の通信中のベアラがＰ−ＧＷ１３２を経由するベアラを含むか否かを判断する（ステップＳ１４０２）。
【０１５６】
ステップＳ１４０２において、Ｐ−ＧＷ１３２を経由するベアラを含む場合（ステップＳ１４０２：Ｙｅｓ）は、基地局１２２は、ステップＳ１４０６へ移行する。Ｐ−ＧＷ１３２を経由するベアラを含まない場合（ステップＳ１４０２：Ｎｏ）は、基地局１２２は、通信種別がＬ−ＧＷ折り返し通信か否かを判断する（ステップＳ１４０３）。
【０１５７】
ステップＳ１４０３において、通信種別がＬ−ＧＷ折り返し通信である場合（ステップＳ１４０３：Ｙｅｓ）は、基地局１２２は、省略可否記憶部７２１の省略可否情報に省略可を設定する（ステップＳ１４０４）。つぎに、基地局１２２は、端末１１２についてのＬＩＰＡ  ＰＤＮコネクションを解放せずに、省略可を示す省略可否情報を含むＨＯ要求をＨＯ先の基地局１２３（ＨＯ先ｅＮＢ）に送信し（ステップＳ１４０５）、一連の処理を終了する。この場合は、たとえば図８に示した処理となる。
【０１５８】
ステップＳ１４０３において、通信種別がＬ−ＧＷ折り返し通信でない場合（ステップＳ１４０３：Ｎｏ）は、基地局１２２は、端末１１２についてのＬＩＰＡ  ＰＤＮコネクションを解放する（ステップＳ１４０６）。つぎに、基地局１２２は、ＨＯを行う端末１１２の通信中のベアラがＰ−ＧＷ１３２を経由するベアラを含むか否かを判断する（ステップＳ１４０７）。
【０１５９】
ステップＳ１４０７において、Ｐ−ＧＷ１３２を経由するベアラを含まない場合（ステップＳ１４０７：Ｎｏ）は、基地局１２２は、ＨＯ要求を送信せずに一連の処理を終了する。この場合は、たとえば図１０に示した処理となる。
【０１６０】
ステップＳ１４０７において、Ｐ−ＧＷ１３２を経由するベアラを含む場合（ステップＳ１４０７：Ｙｅｓ）は、基地局１２２は、省略可否記憶部７２１の省略可否情報に省略不可を設定する（ステップＳ１４０８）。つぎに、基地局１２２は、省略不可を示す省略可否情報を含むＨＯ要求をＨＯ先の基地局１２３（ＨＯ先ｅＮＢ）に送信し（ステップＳ１４０９）、一連の処理を終了する。この場合は、たとえば図９に示した処理となる。
【０１６１】
このように、基地局１２２は、Ｌ−ＧＷ１４２とＬ−ＧＷ１４３が直接通信可能、かつ、ＨＯを行う端末１１２の通信中のベアラがＰ−ＧＷ経由の通信を含まない、かつ、端末１１２がＬ−ＧＷ折り返し通信を行う端末の場合に、省略可否情報を省略可とする。すなわち、この場合に、基地局１２２は、ＬＩＰＡ  ＰＤＮコネクションの解放を行わず、ＨＯ先でのＮＷ側の経路変更処理の省略をＨＯ先の基地局１２３に指示する。
【０１６２】
（実施の形態１にかかるＨＯ元経路判定の処理およびＨＯ元経路設定要求の送信）
図１５は、実施の形態１にかかるＨＯ元経路判定の処理およびＨＯ元経路設定要求の送信の一例を示すフローチャートである。たとえば図８に示したステップＳ８１５において、ＨＯ元の基地局１２２は、ＨＯ元経路判定の処理として、たとえば図１５に示す各ステップを実行する。
【０１６３】
まず、基地局１２２は、図１４に示したＨＯ元省略判定の処理によって省略可否記憶部７２１に設定した省略可否情報が省略可であるか否かを判断する（ステップＳ１５０１）。省略可否情報が省略可である場合（ステップＳ１５０１：Ｙｅｓ）は、基地局１２２は、ＨＯ元のＬ−ＧＷ１４２にＨＯ元経路設定要求を送信する（ステップＳ１５０２）。この場合は、たとえば図８に示した処理となる。省略可否情報が省略可でない場合（ステップＳ１５０１：Ｎｏ）は、基地局１２２は、ＨＯ元経路設定要求を送信せずに一連の処理を終了する。この場合は、たとえば図９に示した処理となる。
【０１６４】
（実施の形態１にかかるＨＯ元経路変更の処理）
図１６は、実施の形態１にかかるＨＯ元経路変更の処理の一例を示すフローチャートである。たとえば図８に示したステップＳ８１７において、ＨＯ元のＬ−ＧＷ１４２は、ＨＯ元経路変更の処理として、たとえば図１６に示す各ステップを実行する。
【０１６５】
まず、Ｌ−ＧＷ１４２は、Ｌ−ＧＷ間通信経路記憶部５１６を参照し、基地局１２２からのＨＯ元経路変更要求に含まれるＨＯ先のターゲットセルＩＤをポート番号に変換する（ステップＳ１６０１）。つぎに、Ｌ−ＧＷ１４２は、ＮＷ側経路記憶部５１２におけるＨＯを行う端末１１２のＩＰアドレスに対応する出力ポートを、ステップＳ１６０１による変換後のポート番号に変更し（ステップＳ１６０２）、一連の処理を終了する。
【０１６６】
たとえば、ＨＯ先は基地局１２３であり、ターゲットセルＩＤ＝３であるため、ステップＳ１６０１によって基地局１２３に対応する出力ポート＝（４）が得られる（たとえば表１参照）。また、ステップＳ１６０２により、表８に示した例では、ＮＷ側経路情報における、端末１１２のＩＰアドレス＝Ｂに対応する出力ポート＝（１）が出力ポート＝（４）に変更される。以降、Ｌ−ＧＷ１４２は、宛先ＩＰアドレスがＢであるパケットを出力ポート＝（４）から出力する。これにより、Ｌ−ＧＷ１４２が受信した端末１１２へのパケットがＬ−ＧＷ１４３へ転送される。
【０１６７】
（実施の形態１にかかるＨＯ先経路判定の処理およびＨＯ先経路判定の処理に基づく処理）
図１７は、実施の形態１にかかるＨＯ先経路判定の処理およびＨＯ先経路判定の処理に基づく処理の一例を示すフローチャートである。たとえば図８に示したステップＳ８２０において、ＨＯ先の基地局１２３は、ＨＯ先経路判定の処理として、たとえば図１７に示す各ステップを実行する。
【０１６８】
まず、基地局１２３は、基地局１２２から受信したＨＯ要求に含まれる省略可否情報が省略可であるか否かを判断する（ステップＳ１７０１）。省略可否情報が省略可である場合（ステップＳ１７０１：Ｙｅｓ）は、基地局１２３は、ＨＯ先のＬ−ＧＷ１４３にＨＯ先経路設定要求を送信する（ステップＳ１７０２）。つぎに、基地局１２３は、ＵＥコンテキストリリースをＨＯ元の基地局１２２（ＨＯ元ｅＮＢ）に送信し（ステップＳ１７０３）、一連の処理を終了する。この場合は、たとえば図８に示した処理となる。
【０１６９】
ステップＳ１７０１において、省略可否情報が省略可でない場合（ステップＳ１７０１：Ｎｏ）は、基地局１２３は、パススイッチリクエストをＭＭＥ１３３に送信し（ステップＳ１７０４）、一連の処理を終了する。この場合はたとえば図９に示した処理となる。
【０１７０】
（実施の形態１にかかるＨＯ先経路変更の処理）
図１８は、実施の形態１にかかるＨＯ先経路変更の処理の一例を示すフローチャートである。たとえば図８に示したステップＳ８２３において、ＨＯ先のＬ−ＧＷ１４３は、ＨＯ先経路変更の処理として、たとえば図１８に示す各ステップを実行する。
【０１７１】
まず、Ｌ−ＧＷ１４３は、ＨＯを行う端末１１２のＩＰアドレス＝Ｂに対応する出力ポートをＵＥ方向に設定する（ステップＳ１８０１）。つぎに、Ｌ−ＧＷ１４３は、Ｌ−ＧＷ間通信経路記憶部５１６を参照し、基地局１２３からのＨＯ先経路変更要求に含まれるソースセルＩＤをポート番号に変換する（ステップＳ１８０２）。
【０１７２】
つぎに、Ｌ−ＧＷ１４３は、ＮＷ側経路記憶部５１２におけるＨＯを行う端末１１２と通信を行っている端末１１１のＩＰアドレスに対応する出力ポートを、ステップＳ１８０２による変換後のポート番号に変更し（ステップＳ１８０３）、一連の処理を終了する。
【０１７３】
たとえば、ＨＯ元は基地局１２２であり、ソースセルＩＤ＝２であるため、ステップＳ１８０２によって基地局１２２に対応する出力ポート＝（７）が得られる（たとえば図３，図４参照）。また、ステップＳ１８０３により、Ｌ−ＧＷ１４３におけるＮＷ側経路記憶部５１２のＮＷ側経路情報における、端末１１１のＩＰアドレス＝Ａに対応する出力ポートが出力ポート＝（７）に変更される。以降、Ｌ−ＧＷ１４３は、宛先ＩＰアドレスがＡであるパケットを出力ポート＝（７）から出力する。これにより、Ｌ−ＧＷ１４３が受信した端末１１１へのパケットがＬ−ＧＷ１４２へ転送される。
【０１７４】
（実施の形態１においてＨＯ要求を送信しＮＷ側の経路変更処理を省略しない場合のＨＯによる通信経路の変化）
図１９は、実施の形態１においてＨＯ要求を送信しＮＷ側の経路変更処理を省略しない場合のＨＯによる通信経路の変化の一例を示す図である。図１９において、図３，図４に示した部分と同様の部分については同一の符号を付して説明を省略する。図１９においては、図９に示した例のように、端末１１２が基地局１２２から基地局１２３へＨＯする際に、ＨＯ要求を送信しＮＷ側の経路変更処理を省略しない場合の処理について説明する。
【０１７５】
図１９に示す例においては、端末１１１，１１２がともに基地局１２２に接続しており、ローカルネットワーク１０２を経由せずＬ−ＧＷ１４２において折り返す経路によって端末１１１，１１２の間の通信が行われている。また、Ｌ−ＧＷ間直接通信経路１９０１が設定可能である。また、端末１１２は、Ｓ−ＧＷ１３１およびＰ−ＧＷ１３２を経由する通信も行っている。
【０１７６】
この場合に、端末１１２の移動にともなって端末１１２の基地局１２２から基地局１２３へのＨＯが発生すると、Ｌ−ＧＷ経由の通信とＰ−ＧＷ経由の通信が存在するため、Ｌ−ＧＷ経由の通信が切断され、Ｐ−ＧＷ経由の通信がＨＯされる（図１４参照）。したがって、この場合はＮＷ側の経路変更処理が行われる（図９参照）。
【０１７７】
（実施の形態１においてＨＯ要求を送信しない場合のＨＯによる通信経路の変化）
図２０は、実施の形態１においてＨＯ要求を送信しない場合のＨＯによる通信経路の変化の一例を示す図である。図２０において、図３，図４に示した部分と同様の部分については同一の符号を付して説明を省略する。図２０においては、図１０に示した例のように、端末１１２が基地局１２２から基地局１２３へＨＯする際に、ＨＯ要求を送信しない場合の処理について説明する。
【０１７８】
図２０に示す例においては、端末１１１，１１２がともに基地局１２２に接続しており、Ｌ−ＧＷ１４２において折り返す経路によって端末１１１，１１２の間の通信が行われている。また、Ｌ−ＧＷ間直接通信経路１９０１が設定可能である。一方、図１９に示した例と異なり、端末１１２は、Ｓ−ＧＷ１３１およびＰ−ＧＷ１３２を経由する通信（Ｐ−ＧＷ経由の通信）は行っていない。
【０１７９】
この場合に、端末１１２の移動にともなって端末１１２の基地局１２２から基地局１２３へのＨＯが発生すると、Ｌ−ＧＷ経由の通信のみが存在し、非折り返し通信であるため、Ｌ−ＧＷ経由の通信が切断される（図１４参照）。この場合は、端末１１２におけるＰ−ＧＷ経由の通信は存在しないため、ＨＯシーケンス自体が不要となる（図１０参照）。
【０１８０】
これにより、たとえば端末１１２がＬ−ＧＷ経由の通信を再度要求することによりＬＩＰＡ  ＰＤＮコネクションが確立され、端末１１１，１１２の間の通信を再開することができる。
【０１８１】
（実施の形態１においてＨＯ要求を送信しＮＷ側の経路変更処理を省略する場合のＨＯによる通信経路の変化）
図２１は、実施の形態１においてＨＯ要求を送信しＮＷ側の経路変更処理を省略する場合のＨＯによる通信経路の変化の一例を示す図である。図２１において、図３，図４に示した部分と同様の部分については同一の符号を付して説明を省略する。図２１においては、図８に示した例のように、端末１１２が基地局１２２から基地局１２３へＨＯする際に、ＨＯ要求を送信しない場合の処理について説明する。
【０１８２】
図２１に示す例においては、端末１１１，１１２がともに基地局１２２に接続しており、Ｌ−ＧＷ１４２、ローカルネットワーク１０２およびサーバ３０１を経由する経路によって端末１１１，１１２の間の非折り返し通信が行われている。また、Ｌ−ＧＷ間直接通信経路１９０１が設定可能である。また、端末１１２は、Ｓ−ＧＷ１３１およびＰ−ＧＷ１３２を経由する通信（Ｐ−ＧＷ経由の通信）は行っていない。
【０１８３】
この場合に、端末１１２の移動にともなって端末１１２の基地局１２２から基地局１２３へのＨＯが発生すると、Ｌ−ＧＷ経由の通信のみが存在し、折り返し通信であるため、Ｌ−ＧＷ経由の通信が切断されない。そして、Ｌ−ＧＷ１４２，１４３の間のＬ−ＧＷ間直接通信経路１９０１が設定されるとともに、ＮＷ側の経路変更処理を省略したＨＯが行われる（図８参照）。
【０１８４】
（非折り返し通信においてＨＯ時に経路変更処理を省略した場合の例）
図２２は、非折り返し通信においてＨＯ時に経路変更処理を省略した場合の例を参考として示す図である。図２２において、図３，図４に示した部分と同様の部分については同一の符号を付して説明を省略する。図２２においては、端末１１２が基地局１２２、Ｌ−ＧＷ１４２およびローカルネットワーク１０２を介してサーバ３０１との間で通信を行っている場合に、端末１１２が基地局１２３へＨＯを行う場合について説明する。
【０１８５】
この場合に、仮に、図２１に示したようにＨＯ要求を送信しＮＷ側の経路変更処理を省略する処理を適応すると、ＨＯ先のＬ−ＧＷ１４３からＨＯ元のＬ−ＧＷ１４２へ方向のＬ−ＧＷ間の直接通信経路を設定することができない。これは、Ｌ−ＧＷ１４２，１４３がサーバ３０１のＩＰアドレスを認識していないためである。
【０１８６】
図２２においては端末１１２がサーバ３０１との間で通信を行っている場合について説明したが、端末１１２がサーバ３０１を介して端末１１１との間で通信を行っている場合についても同様である。このため、Ｌ−ＧＷ経由の通信のみが存在し非折り返し通信の場合には、図２０に示したように、Ｌ−ＧＷ経由の通信を切断する処理としている。これにより、たとえば端末１１２がＬ−ＧＷ経由の通信を再度要求することによりＬＩＰＡ  ＰＤＮコネクションが確立され、端末１１１，１１２の間の通信を再開することができる。
【０１８７】
このように、実施の形態１にかかる無線通信システム１００においては、ＨＯ対象の端末１１２における端末間通信がＬ−ＧＷ経由の折り返し通信であるか否かが判定される。そして、Ｌ−ＧＷ経由の折り返し通信である場合は、Ｌ−ＧＷ経由の通信を切断せずにＨＯを行うことができる。Ｌ−ＧＷ経由の通信を切断せずにＨＯを行うことにより（たとえば図８，図２１参照）、ＨＯ時の瞬断時間を削減することができる。
【０１８８】
（実施の形態２）
実施の形態２について、実施の形態１と異なる部分について説明する。実施の形態１においてはＬ−ＧＷと基地局が物理的に別の装置として設けられる構成について説明したが、実施の形態２においてはＬ−ＧＷとｅＮＢが物理的に一体の装置として設けられる構成について説明する。
【０１８９】
（実施の形態２にかかるＬ−ＧＷの構成およびＨＯ）
図２３および図２４は、実施の形態２にかかるＬ−ＧＷの構成およびＨＯの一例を示す図である。図２３，図２４において、図３，図４に示した部分と同様の部分については同一の符号を付して説明を省略する。図２３，図２４に示す例では、Ｌ−ＧＷ１４１〜１４３の機能がそれぞれ基地局１２１〜１２３に設けられている。
【０１９０】
まず、図２３に示すように、端末１１１，１１２がそれぞれ基地局１２１，１２２に接続しており、端末１１１，１１２の間で基地局１２１、基地局１２２を経由するデータパスによって通信が行われているとする。つぎに、図２４に示すように、端末１１２の移動等に伴い、端末１１２が基地局１２２から基地局１２３へＨＯしたとする。これにより、端末１１１，１１２の間で、基地局１２１〜１２３を経由するデータパスによって通信が行われる。
【０１９１】
図２３，図２４に示す（１）〜（４）は、ＨＯ元の基地局１２２における各出力ポートの番号を示している。たとえば、（１）は、基地局１２２における端末側に接続された出力ポート（ＵＥ方向）、すなわち無線通信の出力ポートの番号を示している。（２）は、基地局１２２におけるローカルネットワーク１０２に接続された出力ポート（ＮＷ方向）の番号を示している。（３）は、基地局１２２における基地局１２１に接続された出力ポート（ｅＮＢ方向）の番号を示している。（４）は、基地局１２２における基地局１２３に接続された出力ポート（ｅＮＢ方向）の番号を示している。
【０１９２】
図２３，図２４に示す（５）〜（７）は、ＨＯ先の基地局１２３における各出力ポートの番号を示している。たとえば、（５）は、基地局１２３における端末側に接続された出力ポート（ＵＥ方向）、すなわち無線通信の出力ポートの番号を示している。（６）は、基地局１２３におけるローカルネットワーク１０２に接続された出力ポート（ＮＷ方向）の番号を示している。（７）は、基地局１２３における基地局１２２に接続された出力ポート（ｅＮＢ方向）の番号を示している。
【０１９３】
（実施の形態２にかかる基地局）
図２５は、実施の形態２にかかる基地局の一例を示す図である。図２５において、図５，図７に示した部分と同様の部分については同一の符号を付して説明を省略する。図２５においては基地局１２１の構成について説明するが、基地局１２２，１２３の各構成も基地局１２１の構成と同様である。
【０１９４】
図２５に示すように、実施の形態２にかかる基地局１２１は、図７に示した基地局１２１の構成に加えて、図５に示したＬ−ＧＷ１４１の構成を加えたものである。ただし図５に示した基地局インタフェース５３０は基地局１２１に設けなくてもよい。すなわち、基地局１２１は、図７に示した基地局１２１の構成に加えて、ネットワークインタフェース５４１，５４２と、スイッチ５５０と、を備える。
【０１９５】
また、基地局１２１のメモリ７２０においては、図７に示した構成に加えて、ｅＮＢ間通信経路記憶部２５２１が実現されている。ｅＮＢ間通信経路記憶部２５２１は、図５に示したＬ−ＧＷ間通信経路記憶部５１６に対応する記憶部である。ｅＮＢ間通信経路記憶部２５２１に記憶される情報については後述する（たとえば表１０，表１１参照）。
【０１９６】
また、基地局１２１の上位処理用プロセッサ７４０においては、図７に示したＬ３処理部７４２に加えて、Ｌ−ＧＷ１４１の機能に対応するＬ−ＧＷ部２５１０が実現される。Ｌ−ＧＷ部２５１０は、図５に示したプロトコル変換部５２１、通信種別検出部５２２、通信種別取得部５２３、ＨＯ元経路判定／変更部２５１１、ＨＯ先経路判定／変更部２５１２を含む。
【０１９７】
ＨＯ元経路判定／変更部２５１１は、図７に示したＨＯ元経路判定部７５３と、図５に示したＨＯ元経路変更部５２４と、の機能を有する。ＨＯ先経路判定／変更部２５１２は、図７に示したＨＯ先経路判定部７５４と、図５に示したＨＯ先経路変更部５２５と、の機能を有する。
【０１９８】
（実施の形態２においてＨＯ要求を送信し経路変更処理を省略する場合の処理）
図２６は、実施の形態２においてＨＯ要求を送信し経路変更処理を省略する場合の処理の一例を示すシーケンス図である。実施の形態２にかかる無線通信システム１００においては、たとえば図２６に示す各ステップが実行される。図２６に示す例では、端末１１２が基地局１２２から基地局１２３へＨＯする際に、ＨＯ要求を送信し経路変更処理を省略する場合について説明する。
【０１９９】
図２６に示すステップＳ２６０１〜Ｓ２６１９は、図８に示したステップＳ８０１〜Ｓ８２５と同様である。ただし、実施の形態２においては、Ｌ−ＧＷ１４２の機能が基地局１２２に設けられているため、ステップＳ２６０１，Ｓ２６０２は隣接Ｌ−ＧＷ設定ではなく隣接ｅＮＢ設定となる。
【０２００】
また、図８に示したＬ−ＧＷ１４２による処理は基地局１２２によって実行される。また、図８に示した基地局１２２とＬ−ＧＷ１４２との間の通信は行われない。また、実施の形態２においては、Ｌ−ＧＷ１４３の機能が基地局１２３に設けられているため、図８に示したＬ−ＧＷ１４３による処理は基地局１２３によって実行される。また、図８に示した基地局１２３とＬ−ＧＷ１４３との間の通信は行われない。
【０２０１】
また、ステップＳ２６１４のＨＯ元経路判定／変更の処理は、図８に示したステップＳ８１５の基地局１２２によるＨＯ元経路判定の処理と、ステップＳ８１７のＬ−ＧＷ１４２によるＨＯ元経路変更の処理と、を統合した処理である。ＨＯ元経路判定／変更の処理については後述する（たとえば図３１参照）。
【０２０２】
また、ステップＳ２６１６のＨＯ先経路判定／変更の処理は、図８に示したステップＳ８２０の基地局１２３によるＨＯ先経路判定の処理と、ステップＳ８２３のＬ−ＧＷ１４３によるＨＯ先経路変更の処理と、を統合した処理である。ＨＯ先経路判定／変更の処理については後述する（たとえば図３２参照）。
【０２０３】
また、実施の形態２においては、ステップＳ２６０９によって送信されるＨＯ要求について、図１１に示したＳ５トンネル終端点識別子１１０２を省略してもよい。
【０２０４】
（実施の形態２においてＨＯ要求を送信しＮＷ側の経路変更処理を省略しない場合の処理）
図２７は、実施の形態２においてＨＯ要求を送信しＮＷ側の経路変更処理を省略しない場合の処理の一例を示すシーケンス図である。図２７に示す例では、端末１１２が基地局１２２から基地局１２３へＨＯする際に、ＨＯ要求を送信しＮＷ側の経路変更処理を省略しない場合の処理について説明する。
【０２０５】
図２７に示すステップＳ２７０１〜Ｓ２７２５は、図９に示したステップＳ９０１〜Ｓ９２８と同様である。ただし、実施の形態２においては、Ｌ−ＧＷ１４２の機能が基地局１２２に設けられているため、図９に示したＬ−ＧＷ１４２による処理は基地局１２２によって実行される。また、図９に示した基地局１２２とＬ−ＧＷ１４２との間の通信は行われない。また、実施の形態２においては、Ｌ−ＧＷ１４３の機能が基地局１２３に設けられているため、図９に示したＬ−ＧＷ１４３による処理は基地局１２３によって実行される。また、図９に示した基地局１２３とＬ−ＧＷ１４３との間の通信は行われない。
【０２０６】
（実施の形態２においてＨＯ要求を送信しない場合の処理）
図２８は、実施の形態２においてＨＯ要求を送信しない場合の処理の一例を示すシーケンス図である。図２８に示す例では、端末１１２が基地局１２２から基地局１２３へＨＯする際に、端末１１２の通信中のベアラがＰ−ＧＷ１３２を経由する通信を含まず、ＨＯ要求を送信しない場合の処理について説明する。
【０２０７】
図２８に示すステップＳ２８０１〜Ｓ２８１１は、図１０に示したステップＳ１００１〜Ｓ１０１３と同様である。ただし、実施の形態２においては、Ｌ−ＧＷ１４２の機能が基地局１２２に設けられているため、図１０に示したＬ−ＧＷ１４２による処理は基地局１２２によって実行される。また、図１０に示した基地局１２２とＬ−ＧＷ１４２との間の通信は行われない。また、実施の形態２においては、Ｌ−ＧＷ１４３の機能が基地局１２３に設けられているため、図１０に示したＬ−ＧＷ１４３による処理は基地局１２３によって実行される。また、図１０に示した基地局１２３とＬ−ＧＷ１４３との間の通信は行われない。
【０２０８】
（実施の形態２にかかるＨＯ元の基地局におけるｅＮＢ間通信経路記憶部に記憶される情報）
表１０は、実施の形態２にかかるＨＯ元の基地局におけるｅＮＢ間通信経路記憶部に記憶される情報の一例を示す表である。たとえば図２６に示したステップＳ２６０１の隣接ｅＮＢ設定により、ＨＯ元の基地局１２２のｅＮＢ間通信経路記憶部２５２１には、たとえば表１０に示すｅＮＢ間通信経路情報が記憶される。表１０に示すｅＮＢ間通信経路情報においては、基地局１２２と接続された基地局ごとに、該基地局のセルＩＤと、該基地局と接続された基地局１２２の出力ポートと、が対応付けられている。
【０２０９】
【表１０】
2016185531.tif 000012
【０２１０】
たとえば、基地局１２２には基地局１２１が接続されているため（たとえば図２３，図２４参照）、表１０に示すｅＮＢ間通信経路情報においては、基地局１２１のセルＩＤ＝１と、基地局１２１と接続された基地局１２２の出力ポート＝（３）と、が対応付けられている。また、基地局１２２には基地局１２３が接続されているため、表１０に示すｅＮＢ間通信経路情報においては、基地局１２３のセルＩＤ＝３と、基地局１２３と接続された基地局１２２の出力ポート＝（４）と、が対応付けられている。
【０２１１】
（実施の形態２にかかるＨＯ先の基地局におけるｅＮＢ間通信経路記憶部に記憶される情報）
表１１は、実施の形態２にかかるＨＯ先の基地局におけるｅＮＢ間通信経路記憶部に記憶される情報の一例を示す表である。たとえば図２６に示したステップＳ２６０２の隣接ｅＮＢ設定により、ＨＯ先の基地局１２３のｅＮＢ間通信経路記憶部２５２１には、たとえば表１１に示すｅＮＢ間通信経路情報が記憶される。表１１に示すｅＮＢ間通信経路情報においては、基地局１２３と接続された基地局ごとに、該基地局のセルＩＤと、該基地局と接続された基地局１２３の出力ポートと、が対応付けられている。
【０２１２】
【表１１】
2016185531.tif 000013
【０２１３】
たとえば、基地局１２３には基地局１２２が接続されているため、表１１に示すｅＮＢ間通信経路情報においては、基地局１２２に対応する基地局１２２のセルＩＤ＝２と、基地局１２２と接続された基地局１２３の出力ポート＝（７）と、が対応付けられている。
【０２１４】
（実施の形態２にかかる通信種別検出の処理）
図２９は、実施の形態２にかかる通信種別検出の処理の一例を示すフローチャートである。たとえば図２６に示したステップＳ２６０３において、基地局１２２は、通信種別検出の処理として、たとえば図２９に示す各ステップを実行する。
【０２１５】
図２９に示すステップＳ２９０１〜Ｓ２９０８は、図１２に示したＬ−ＧＷ１４２によるステップＳ１２０１〜Ｓ１２０８と同様である。ただし、ステップＳ２９０５において、基地局１２２は、端末１１２の通信種別として、非Ｌ−ＧＷ折り返し通信ではなく非ｅＮＢ折り返し通信を設定する（ステップＳ２９０５）。また、ステップＳ２９０７において、基地局１２２は、端末１１２の通信種別として、Ｌ−ＧＷ折り返し通信ではなくｅＮＢ折り返し通信を設定する（ステップＳ２９０７）。
【０２１６】
このように、実施の形態２においては、Ｌ−ＧＷとｅＮＢが物理的に一体の装置として設けられるため、折り返し通信は基地局（ｅＮＢ）において折り返すｅＮＢ折り返し通信となる。このため、基地局１２２は、端末１１２の通信種別として、ｅＮＢ折り返し通信または非ｅＮＢ折り返し通信を設定する。
【０２１７】
（実施の形態２にかかるＨＯ元の基地局におけるポート方向属性記憶部に記憶される情報）
表１２は、実施の形態２にかかるＨＯ元の基地局におけるポート方向属性記憶部に記憶される情報の一例を示す表である。たとえば図２９に示したステップＳ２９０１により、ＨＯ元の基地局１２２のポート方向属性記憶部５１４には、たとえば表１２に示すポート方向属性情報が記憶される。表１２に示すポート方向属性情報においては、基地局１２２の出力ポートごとに方向属性が対応付けられている。
【０２１８】
【表１２】
2016185531.tif 000014
【０２１９】
たとえば、図２３，図２４に示したように、基地局１２２の出力ポート＝（１）は端末側に対応しているため、出力ポート＝（１）の方向属性はＵＥ方向となっている。また、基地局１２２の出力ポート＝（２）はローカルネットワーク１０２に接続されているため、出力ポート＝（２）の方向属性はＮＷ方向となっている。また、基地局１２２の出力ポート＝（３）は基地局１２１に接続されているため、出力ポート＝（３）の方向属性はｅＮＢ方向となっている。また、基地局１２２の出力ポート＝（４）は基地局１２３に接続されているため、出力ポート＝（４）の方向属性はｅＮＢ方向となっている。
【０２２０】
（実施の形態２にかかるＨＯ元の基地局のＮＷ側経路記憶部に記憶される情報）
図２９に示したステップＳ２９０２によりＨＯ元の基地局１２２のＮＷ側経路記憶部５１２に記憶されるＮＷ側経路情報は、たとえば表８に示したＮＷ側経路情報と同様である。
【０２２１】
（実施の形態２にかかるＨＯ元の基地局の通信種別記憶部に記憶される情報）
表１３は、実施の形態２にかかるＨＯ元の基地局の通信種別記憶部に記憶される情報の一例を示す表である。たとえば図２９に示したステップＳ２９０８により、ＨＯ元の基地局１２２の通信種別記憶部５１５には、たとえば表１３に示す通信種別情報が記憶される。表１３に示す通信種別情報においては、送信元ＩＰアドレスと、宛先ＩＰアドレスと、通信種別と、が対応付けられている。
【０２２２】
【表１３】
2016185531.tif 000015
【０２２３】
表１３に示す通信種別情報は、たとえば表９に示した通信種別情報と同様である。ただし、実施の形態２においてはＬ−ＧＷとｅＮＢが物理的に一体の装置として設けられるため、表１３に示す通信種別情報における通信種別はｅＮＢ折り返し通信または非ｅＮＢ折り返し通信となる。
【０２２４】
（実施の形態２にかかるＨＯ元の基地局による通信種別取得の処理）
図３０は、実施の形態２にかかるＨＯ元の基地局による通信種別取得の処理の一例を示すフローチャートである。ＨＯ元の基地局１２２は、たとえば図２６に示したステップＳ２６０７において、通信種別取得の処理として、たとえば図３０に示す各ステップを実行する。図３０に示すステップＳ３００１〜Ｓ３００５は、図１３に示したＬ−ＧＷ１４２によるステップＳ１３０１〜Ｓ１３０５と同様である。
【０２２５】
ただし、ステップＳ３００３において、基地局１２２は、ｅＮＢ間通信経路記憶部２５２１に、端末１１２のＨＯ先の基地局１２３のターゲットセルＩＤが存在するか否かを判断する（ステップＳ３００３）。また、ステップＳ３００４において、基地局１２２は、端末１１２についてｅＮＢ間直接通信可能と判断する（ステップＳ３００４）。また、ステップＳ３００５において、基地局１２２は、端末１１２についてｅＮＢ間直接通信不可能と判断する（ステップＳ３００５）。
【０２２６】
（実施の形態２にかかるＨＯ元省略判定の処理およびＨＯ元省略判定の処理に基づく処理）
たとえば図２６に示したステップＳ２６０８，Ｓ２６０９においてＨＯ元の基地局１２２が実行するＨＯ元省略判定の処理およびＨＯ元省略判定の処理に基づく処理は、たとえば図１４に示した処理と同様である。
【０２２７】
（実施の形態２にかかるＨＯ元経路判定の処理およびＨＯ元経路変更の処理）
図３１は、実施の形態２にかかるＨＯ元経路判定の処理およびＨＯ元経路変更の処理の一例を示すフローチャートである。図２６に示したステップＳ２６１４において、ＨＯ元の基地局１２２は、ＨＯ元経路判定の処理およびＨＯ元経路変更の処理（ＨＯ元経路判定／変更の処理）として、たとえば図３１に示す各ステップを実行する。
【０２２８】
図３１に示す各ステップは、図１５に示した基地局１２２によるＨＯ元経路判定の処理と、図１６に示したＬ−ＧＷ１４２によるＨＯ元経路変更の処理と、を統合したものである。すなわち、まず、基地局１２２は、図１４に示したＨＯ元省略判定の処理によって省略可否記憶部７２１に設定した省略可否情報が省略可であるか否かを判断する（ステップＳ３１０１）。
【０２２９】
ステップＳ３１０１において、省略可否情報が省略可である場合（ステップＳ３１０１：Ｙｅｓ）は、基地局１２２は、ｅＮＢ間通信経路記憶部２５２１を参照し、基地局１２２からのＨＯ元経路変更要求に含まれるＨＯ先のターゲットセルＩＤをポート番号に変換する（ステップＳ３１０２）。
【０２３０】
つぎに、基地局１２２は、ＮＷ側経路記憶部５１２におけるＨＯを行う端末１１２のＩＰアドレスに対応する出力ポートを、ステップＳ３１０２による変換後のポート番号に変更し（ステップＳ３１０３）、一連の処理を終了する。
【０２３１】
ステップＳ３１０１において、省略可否情報が省略可でない場合（ステップＳ３１０１：Ｎｏ）は、基地局１２２は、ＨＯ元経路変更の処理を行わずに一連の処理を終了する。この場合は、たとえば図２７に示した処理となる。
【０２３２】
（実施の形態２にかかるＨＯ先経路判定の処理およびＨＯ先経路変更の処理）
図３２は、実施の形態２にかかるＨＯ先経路判定の処理およびＨＯ先経路変更の処理の一例を示すフローチャートである。図２６に示したステップＳ２６１６において、ＨＯ先の基地局１２３は、ＨＯ先経路判定の処理およびＨＯ先経路変更の処理として、たとえば図３２に示す各ステップを実行する。
【０２３３】
図３２に示す各ステップは、図１７に示した基地局１２３によるＨＯ先経路判定の処理と、図１８に示したＬ−ＧＷ１４３によるＨＯ先経路変更の処理と、を統合したものである。すなわち、まず、基地局１２３は、基地局１２２から受信したＨＯ要求に含まれる省略可否情報が省略可であるか否かを判断する（ステップＳ３２０１）。
【０２３４】
ステップＳ３２０１において、省略可否情報が省略可である場合（ステップＳ３２０１：Ｙｅｓ）は、基地局１２３は、ＨＯを行う端末１１２のＩＰアドレス＝Ｂに対応する出力ポートをＵＥ方向に設定する（ステップＳ３２０２）。つぎに、基地局１２３は、ｅＮＢ間通信経路記憶部２５２１を参照し、基地局１２３のＩＤであるソースセルＩＤをポート番号に変換する（ステップＳ３２０３）。
【０２３５】
つぎに、基地局１２３は、ＮＷ側経路記憶部５１２におけるＨＯを行う端末１１２と通信を行っている端末１１１のＩＰアドレスに対応する出力ポートを、ステップＳ３２０３による変換後のポート番号に変更する（ステップＳ３２０４）。
【０２３６】
つぎに、基地局１２３は、ＵＥコンテキストリリースをＨＯ元の基地局１２２（ＨＯ元ｅＮＢ）に送信し（ステップＳ３２０５）、一連の処理を終了する。この場合は、たとえば図２６に示した処理となる。
【０２３７】
ステップＳ３２０１において、省略可否情報が省略可でない場合（ステップＳ３２０１：Ｎｏ）は、基地局１２３は、パススイッチリクエストをＭＭＥ１３３に送信し（ステップＳ３２０６）、一連の処理を終了する。この場合は、たとえば図２７に示した処理となる。
【０２３８】
このように、実施の形態２にかかる無線通信システム１００によれば、Ｌ−ＧＷとｅＮＢが物理的に一体の装置として設けられる構成においても、実施の形態１にかかる無線通信システム１００と同様に、ＨＯ時の瞬断時間を削減することができる。
【０２３９】
（実施の形態３）
実施の形態３について、実施の形態１と異なる部分について説明する。実施の形態１においては基地局ごとにＬ−ＧＷが設けられる構成について説明したが、実施の形態３においては複数の基地局が同一のＬ−ＧＷを共用する構成について説明する。
【０２４０】
（実施の形態３にかかるＬ−ＧＷの構成およびＨＯ）
図３３および図３４は、実施の形態３にかかるＬ−ＧＷの構成およびＨＯの一例を示す図である。図３３，図３４において、図３，図４に示した部分と同様の部分については同一の符号を付して説明を省略する。図３３，図３４に示す例では、基地局１２１〜１２３が１つのＬ−ＧＷ１４１に接続されている。
【０２４１】
まず、図３３に示すように、端末１１１，１１２がそれぞれ基地局１２１，１２２に接続しており、端末１１１，１１２の間で基地局１２１、Ｌ−ＧＷ１４１、基地局１２２を経由するデータパスによって通信が行われているとする。つぎに、図３４に示すように、端末１１２の移動等に伴い、端末１１２が基地局１２２から基地局１２３へＨＯしたとする。これにより、端末１１１，１１２の間で、基地局１２１、Ｌ−ＧＷ１４１、基地局１２３を経由するデータパスによって通信が行われる。
【０２４２】
図３３，図３４に示す（１）〜（４）は、基地局１２１〜１２３によって共用されるＬ−ＧＷ１４１における各出力ポートの番号を示している。たとえば、（１）は、Ｌ−ＧＷ１４１における基地局１２１に接続された出力ポート（ＵＥ方向）の番号を示している。（２）は、Ｌ−ＧＷ１４１における基地局１２２に接続された出力ポート（ＵＥ方向）の番号を示している。（３）は、Ｌ−ＧＷ１４１における基地局１２３に接続された出力ポート（ＵＥ方向）の番号を示している。（４）は、Ｌ−ＧＷ１４１におけるローカルネットワーク１０２に接続された出力ポート（ＮＷ方向）の番号を示している。
【０２４３】
（実施の形態３にかかるＬ−ＧＷ）
図３５は、実施の形態３にかかるＬ−ＧＷの一例を示す図である。図３５において、図５に示した部分と同様の部分については同一の符号を付して説明を省略する。図３５に示すように、実施の形態３にかかるＬ−ＧＷ１４１は、図５に示した構成に加えて、基地局インタフェース３５１１，３５１２と、スイッチ３５２０と、を備える。
【０２４４】
基地局インタフェース５３０は、基地局１２１との間の通信インタフェースである。基地局インタフェース３５１１，３５１２（ｅＮＢ  ＩＦ）は、それぞれ基地局１２２，１２３との間の通信インタフェースである。基地局インタフェース５３０，３５１１，３５１２は、スイッチ３５２０（ＳＷ）によって切り替えて用いられる。
【０２４５】
また、実施の形態３にかかるＬ−ＧＷ１４１は、ＨＯ元の基地局１２２およびＨＯ先の基地局１２３の両方に対応するため、図５に示したＨＯ先経路変更部５２５を省くことができる。
【０２４６】
（実施の形態３においてＨＯ要求を送信し経路変更処理を省略する場合の処理）
図３６は、実施の形態３においてＨＯ要求を送信し経路変更処理を省略する場合の処理の一例を示すシーケンス図である。実施の形態３にかかる無線通信システム１００においては、たとえば図３６に示す各ステップが実行される。図３６に示す例では、端末１１２が基地局１２２から基地局１２３へＨＯする際に、ＨＯ要求を送信し経路変更処理を省略する場合について説明する。
【０２４７】
図３６に示すステップＳ３６０１〜Ｓ３６２２は、図８に示したステップＳ８０１〜Ｓ８２５と同様である。ただし、実施の形態３においては基地局１２１〜１２３によってＬ−ＧＷ１４１を共用する構成であるため、図８に示したＬ−ＧＷ１４２による処理はＬ−ＧＷ１４１によって実行される。
【０２４８】
また、図８に示したＬ−ＧＷ１４３による処理は不要となる。たとえば、ステップＳ３６１７におけるＬ−ＧＷ１４１によるＨＯ元経路変更の処理により、Ｌ−ＧＷ経由の直接通信経路の設定が可能である。このため、基地局１２３によるＨＯ先経路変更要求の送信や、ＨＯ先経路変更の処理は不要となる。
【０２４９】
なお、実施の形態３においては、ステップＳ３６１０によって送信されるＨＯ要求について、図１１に示したＩＰアドレス１１０３，１１０４およびソースセルＩＤ１１０５を省略してもよい。
【０２５０】
（実施の形態３においてＨＯ要求を送信しＮＷ側の経路変更処理を省略しない場合の処理）
図３７は、実施の形態３においてＨＯ要求を送信しＮＷ側の経路変更処理を省略しない場合の処理の一例を示すシーケンス図である。図３７に示す例では、端末１１２が基地局１２２から基地局１２３へＨＯする際に、ＨＯ要求を送信しＮＷ側の経路変更処理を省略しない場合の処理について説明する。
【０２５１】
図３７に示すステップＳ３７０１〜Ｓ３７２７は、図９に示したステップＳ９０１〜Ｓ９２８と同様である。ただし、実施の形態３においては基地局１２１〜１２３によってＬ−ＧＷ１４１を共用する構成であるため、図９に示したＬ−ＧＷ１４２による処理はＬ−ＧＷ１４１によって実行される。
【０２５２】
（実施の形態３においてＨＯ要求を送信しない場合の処理）
図３８は、実施の形態３においてＨＯ要求を送信しない場合の処理の一例を示すシーケンス図である。図３８に示す例では、端末１１２が基地局１２２から基地局１２３へＨＯする際に、端末１１２の通信中のベアラがＰ−ＧＷ１３２を経由する通信を含まず、ＨＯ要求を送信しない場合の処理について説明する。
【０２５３】
図３８に示すステップＳ３８０１〜Ｓ３８１２は、図１０に示したステップＳ１００１〜Ｓ１０１３と同様である。ただし、実施の形態３においては基地局１２１〜１２３によってＬ−ＧＷ１４１を共用する構成であるため、図１０に示したＬ−ＧＷ１４２による処理はＬ−ＧＷ１４１によって実行される。
【０２５４】
（実施の形態３にかかるＬ−ＧＷにおけるＬ−ＧＷ間通信経路記憶部に記憶される情報）
表１４は、実施の形態３にかかるＬ−ＧＷにおけるＬ−ＧＷ間通信経路記憶部に記憶される情報の一例を示す表である。たとえば図３６に示したステップＳ３６０１の隣接Ｌ−ＧＷ設定により、Ｌ−ＧＷ１４１のＬ−ＧＷ間通信経路記憶部５１６には、たとえば表１４に示すＬ−ＧＷ間通信経路情報が記憶される。表１４に示すＬ−ＧＷ間通信経路情報においては、Ｌ−ＧＷ１４１と接続された基地局ごとに、該基地局のセルＩＤと、該基地局と接続されたＬ−ＧＷ１４１の出力ポートと、が対応付けられている。
【０２５５】
【表１４】
2016185531.tif 000016
【０２５６】
たとえば、図３３，図３４に示したように、Ｌ−ＧＷ１４１には基地局１２１が接続されている。このため、表１４に示すＬ−ＧＷ間通信経路情報においては、基地局１２１のセルＩＤ＝１と、基地局１２１と接続されたＬ−ＧＷ１４１の出力ポート＝（１）と、が対応付けられている。
【０２５７】
また、Ｌ−ＧＷ１４１には基地局１２２が接続されているため、表１４に示すＬ−ＧＷ間通信経路情報においては、基地局１２２のセルＩＤ＝２と、基地局１２２と接続されたＬ−ＧＷ１４１の出力ポート＝（２）と、が対応付けられている。また、Ｌ−ＧＷ１４１には基地局１２３が接続されているため、表１４に示すＬ−ＧＷ間通信経路情報においては、基地局１２３のセルＩＤ＝３と、基地局１２３と接続されたＬ−ＧＷ１４１の出力ポート＝（３）と、が対応付けられている。
【０２５８】
（実施の形態３にかかる通信種別検出の処理）
たとえば図３６に示したステップＳ３６０２においてＬ−ＧＷ１４１が実行する通信種別検出の処理は、たとえば図１２に示したＬ−ＧＷ１４２による処理と同様である。
【０２５９】
（実施の形態３にかかるＬ−ＧＷにおけるポート方向属性記憶部に記憶される情報）
表１５は、実施の形態３にかかるＬ−ＧＷにおけるポート方向属性記憶部に記憶される情報の一例を示す表である。実施の形態３においては、図１２に示したステップＳ１２０１により、Ｌ−ＧＷ１４１のポート方向属性記憶部５１４には、たとえば表１５に示すポート方向属性情報が記憶される。表１５に示すポート方向属性情報においては、Ｌ−ＧＷ１４１の出力ポートごとに方向属性が対応付けられている。
【０２６０】
【表１５】
2016185531.tif 000017
【０２６１】
たとえば、図３３，図３４に示したように、Ｌ−ＧＷ１４１の出力ポート＝（１）は基地局１２１に接続されているため、出力ポート＝（１）の方向属性はＵＥ方向となっている。また、Ｌ−ＧＷ１４１の出力ポート＝（２）は基地局１２２に接続されているため、出力ポート＝（２）の方向属性はＵＥ方向となっている。
【０２６２】
また、Ｌ−ＧＷ１４１の出力ポート＝（３）は基地局１２３に接続されているため、出力ポート＝（３）の方向属性はＵＥ方向となっている。また、Ｌ−ＧＷ１４１の出力ポート＝（４）はローカルネットワーク１０２に接続されているため、出力ポート＝（４）の方向属性はＮＷ方向となっている。
【０２６３】
（実施の形態３にかかるＬ−ＧＷのＮＷ側経路記憶部に記憶される情報）
表１６は、実施の形態３にかかるＬ−ＧＷのＮＷ側経路記憶部に記憶される情報の一例を示す表である。実施の形態３においては、図１２に示したステップＳ１２０２により、Ｌ−ＧＷ１４１のＮＷ側経路記憶部５１２には、たとえば表１６に示すＮＷ側経路情報が記憶される。表１６に示すＮＷ側経路情報においては、宛先ＩＰアドレスごとに、Ｌ−ＧＷ１４１の出力ポートが対応付けられている。
【０２６４】
【表１６】
2016185531.tif 000018
【０２６５】
たとえば、図３３，図３４に示したように、宛先ＩＰアドレス＝Ａは端末１１１のアドレスであるため、宛先ＩＰアドレス＝Ａには端末１１１（基地局１２１）の方向に対応する出力ポート＝（１）が対応付けられている。また、宛先ＩＰアドレス＝Ｂは端末１１２のアドレスであるため、基地局１２２のＨＯの前においては、宛先ＩＰアドレス＝Ｂには端末１１２（基地局１２２）の方向に対応する出力ポート＝（２）が対応付けられている。また、端末１１２の基地局１２３へのＨＯにより、宛先ＩＰアドレス＝Ｂに対応付けられる出力ポートは、端末１１２（基地局１２３）の方向に対応する出力ポート＝（３）に変更される。
【０２６６】
また、宛先ＩＰアドレス＝Ｃはサーバ３０１のアドレスであるため、宛先ＩＰアドレスのＣにはサーバ３０１（ローカルネットワーク１０２）の方向に対応する出力ポート＝（４）が対応付けられている。また、宛先ＩＰアドレス＝Ｄはサーバ３０２のアドレスであるため、宛先ＩＰアドレス＝Ｄにはサーバ３０２（ローカルネットワーク１０２）の方向に対応する出力ポート＝（４）が対応付けられている。
【０２６７】
（実施の形態３にかかるＨＯ元のＬ−ＧＷの通信種別記憶部に記憶される情報）
実施の形態３において、図１２に示したステップＳ１２０８によりＬ−ＧＷ１４１の通信種別記憶部５１５に記憶される通信種別情報は、たとえば表９に示した通信種別情報と同様である。
【０２６８】
（実施の形態３にかかるＨＯ先経路判定の処理およびＨＯ先経路判定の処理に基づく処理）
図３９は、実施の形態３にかかるＨＯ先経路判定の処理およびＨＯ先経路判定の処理に基づく処理の一例を示すフローチャートである。たとえば図３６に示したステップＳ３６１９において、ＨＯ先の基地局１２３は、ＨＯ先経路判定の処理として、たとえば図３９に示す各ステップを実行する。
【０２６９】
図３９に示す各ステップは、図１７に示した各ステップと同様である。ただし、実施の形態３においては基地局１２１〜１２３によってＬ−ＧＷ１４１を共用する構成であり、図３６に示したステップＳ３６１７によるＨＯ元経路変更の処理によって経路設定は完了している。このため、図３９に示すように、図１７に示したステップＳ１７０２のようなＨＯ先のＬ−ＧＷ１４３にＨＯ先経路設定要求を送信する処理は省くことができる。
【０２７０】
このように、実施の形態３に無線通信システム１００によれば、複数の基地局が同一のＬ−ＧＷを共用する構成においても、実施の形態１にかかる無線通信システム１００と同様に、ＨＯ時の瞬断時間を削減することができる。
【０２７１】
以上説明したように、無線通信システム、無線通信装置およびハンドオーバ制御方法によれば、ハンドオーバ時の瞬断時間を削減することができる。
【符号の説明】
【０２７２】
１００  無線通信システム
１０１  インターネット
１０２  ローカルネットワーク
１１１，１１２  端末
１２１〜１２３  基地局
１２１ａ，１２２ａ  セル
１３１  Ｓ−ＧＷ
１３２  Ｐ−ＧＷ
１３３  ＭＭＥ
１４１〜１４３  Ｌ−ＧＷ
３０１，３０２  サーバ
５１０，７２０  メモリ
５１１  フロー記憶部
５１２  ＮＷ側経路記憶部
５１３  基地局側経路記憶部
５１４  ポート方向属性記憶部
５１５  通信種別記憶部
５１６  Ｌ−ＧＷ間通信経路記憶部
５２０  プロセッサ
５２１  プロトコル変換部
５２２  通信種別検出部
５２３  通信種別取得部
５２４  ＨＯ元経路変更部
５２５  ＨＯ先経路変更部
５３０，３５１１，３５１２  基地局インタフェース
５４１，５４２  ネットワークインタフェース
５５０，３５２０  スイッチ
６０１，６０２  プロトコル変換
６１０，６２０  レイヤ群
７１１  アンテナ
７１２  無線処理回路
７１３  ベースバンド処理回路
７２１  省略可否記憶部
７３０  ベースバンド処理用プロセッサ
７３１  スケジューラ
７４０  上位処理用プロセッサ
７４１  Ｌ２処理部
７４２  Ｌ３処理部
７５１  ＨＯ判定部
７５２  ＨＯ元省略判定部
７５３  ＨＯ元経路判定部
７５４  ＨＯ先経路判定部
７６１  Ｓ−ＧＷインタフェース
７６２  Ｌ−ＧＷインタフェース
７６３  Ｘ２インタフェース
１１００  ＨＯ要求
１１０１  省略可否情報
１１０２  Ｓ５トンネル終端点識別子
１１０３，１１０４  ＩＰアドレス
１１０５  ソースセルＩＤ
１９０１  Ｌ−ＧＷ間直接通信経路
２５１０  Ｌ−ＧＷ部
２５１１  ＨＯ元経路判定／変更部
２５１２  ＨＯ先経路判定／変更部
２５２１  ｅＮＢ間通信経路記憶部
【図１】
2016185531.tif 000019
【図２】
2016185531.tif 000020
【図３】
2016185531.tif 000021
【図４】
2016185531.tif 000022
【図５】
2016185531.tif 000023
【図６】
2016185531.tif 000024
【図７】
2016185531.tif 000025
【図８】
2016185531.tif 000026
【図９】
2016185531.tif 000027
【図１０】
2016185531.tif 000028
【図１１】
2016185531.tif 000029
【図１２】
2016185531.tif 000030
【図１３】
2016185531.tif 000031
【図１４】
2016185531.tif 000032
【図１５】
2016185531.tif 000033
【図１６】
2016185531.tif 000034
【図１７】
2016185531.tif 000035
【図１８】
2016185531.tif 000036
【図１９】
2016185531.tif 000037
【図２０】
2016185531.tif 000038
【図２１】
2016185531.tif 000039
【図２２】
2016185531.tif 000040
【図２３】
2016185531.tif 000041
【図２４】
2016185531.tif 000042
【図２５】
2016185531.tif 000043
【図２６】
2016185531.tif 000044
【図２７】
2016185531.tif 000045
【図２８】
2016185531.tif 000046
【図２９】
2016185531.tif 000047
【図３０】
2016185531.tif 000048
【図３１】
2016185531.tif 000049
【図３２】
2016185531.tif 000050
【図３３】
2016185531.tif 000051
【図３４】
2016185531.tif 000052
【図３５】
2016185531.tif 000053
【図３６】
2016185531.tif 000054
【図３７】
2016185531.tif 000055
【図３８】
2016185531.tif 000056
【図３９】
2016185531.tif 000057
【手続補正書】
【提出日】平成29年11月6日(2017.11.6)
【手続補正１】
【補正対象書類名】特許請求の範囲
【補正対象項目名】全文
【補正方法】変更
【補正の内容】
【特許請求の範囲】
【請求項１】
第１の通信網に接続された第１の中継装置と、
前記第１の通信網と異なる第２の通信網に接続され、前記第１の中継装置と異なる第２の中継装置と、
第１の端末との間で前記第２の中継装置を経由する通信を行う第２の端末と、
前記第２の端末のハンドオーバを行う際に、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う無線通信装置と、
を含むことを特徴とする無線通信システム。
【請求項２】
前記無線通信装置は、
前記第２の中継装置を経由する通信が前記第２の通信網を経由し、前記第１の中継装置を経由する前記第２の端末の通信が存在する場合は、前記第２の中継装置を経由する通信を切断して前記第１の中継装置の経路変更による前記ハンドオーバを行い、
前記第２の中継装置を経由する通信が前記第２の通信網を経由し、前記第１の中継装置を経由する前記第２の端末の通信が存在しない場合は、前記第２の中継装置を経由する通信を切断し、前記第１の中継装置の経路変更による前記ハンドオーバを行わない、
ことを特徴とする請求項１に記載の無線通信システム。
【請求項３】
前記無線通信装置は、前記第２の中継装置を経由する通信が前記第２の通信網を経由するか否かに応じた情報を前記第２の端末のハンドオーバ先の基地局へ送信し、
前記第２の端末のハンドオーバ先の基地局は、前記無線通信装置によって送信された前記情報に基づいて、前記第２の中継装置を経由する通信が前記第２の通信網を経由する場合は前記第１の中継装置の経路変更を行い、前記第２の中継装置を経由する通信が前記第２の通信網を経由しない場合は前記第２の中継装置の経路変更を行う、
ことを特徴とする請求項１または２に記載の無線通信システム。
【請求項４】
前記第２の中継装置は、前記第２の中継装置の通信ポートのうちの、前記第２の中継装置を経由する通信におけるデータの宛先および送信元の少なくともいずれかに対応する通信ポートが前記第２の通信網へ接続されているか否かに基づいて、前記第２の中継装置を経由する通信が前記第２の通信網を経由するか否かの判定を行い、
前記無線通信装置は、前記判定の結果に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う、
ことを特徴とする請求項１〜３のいずれか一つに記載の無線通信システム。
【請求項５】
第１の通信網に接続された第１の中継装置と、前記第１の通信網と異なる第２の通信網に接続され、前記第１の中継装置と異なる第２の中継装置と、を含む無線通信システムにおける無線通信装置であって、
第１の端末との間で前記第２の中継装置を経由する通信を行う第２の端末のハンドオーバを行う際に、前記第２の中継装置を経由する通信が前記第２の通信網を経由するか否かを示す情報を取得する取得部と、
前記取得部によって取得された前記情報に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う制御部と、
を含むことを特徴とする無線通信装置。
【請求項６】
第１の通信網に接続された第１の中継装置と、前記第１の通信網と異なる第２の通信網に接続され、前記第１の中継装置と異なる第２の中継装置と、を含む無線通信システムにおけるハンドオーバ制御方法であって、
第１の端末との間で前記第２の中継装置を経由する通信を行う第２の端末のハンドオーバを行う際に、前記第２の中継装置を経由する通信が前記第２の通信網を経由するか否かを示す情報を取得し、
取得した前記情報に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う、
ことを特徴とするハンドオーバ制御方法。
【手続補正２】
【補正対象書類名】明細書
【補正対象項目名】全文
【補正方法】変更
【補正の内容】
【発明の詳細な説明】
【技術分野】
【０００１】
本発明は、無線通信システム、無線通信装置およびハンドオーバ制御方法に関する。
【背景技術】
【０００２】
従来、ユーザデータをローカルネットワークにオフロードすることによりコアネットワークのトラフィック負荷を軽減するＬＩＰＡ（Ｌｏｃａｌ  ＩＰ  Ａｃｃｅｓｓ：ローカルＩＰアクセス）が知られている。また、ローカルネットワークに接続されたＬ−ＧＷ（Ｌｏｃａｌ−Ｇａｔｅｗａｙ）と基地局を含む構成における基地局経由のハンドオーバ制御に関する技術が知られている（たとえば、下記特許文献１，２参照。）。
【０００３】
また、ＬＴＥ−ＡのｅＩＣＢＤ（ｅｎｈａｎｃｅｍｅｎｔｓ  ｆｏｒ  Ｉｎｆｒａｓｔｒｕｃｔｕｒｅ  ｂａｓｅｄ  ｄａｔａ  Ｃｏｍｍｕｎｉｃａｔｉｏｎ  Ｂｅｔｗｅｅｎ  Ｄｅｖｉｃｅｓ）など、基地局やゲートウェイにおいて通信経路を折り返すことにより端末間通信における網内経路を短縮する技術が知られている（たとえば、下記非特許文献１参照。）。
【先行技術文献】
【特許文献】
【０００４】
【特許文献１】特表２０１３−５２６０８７号公報
【特許文献２】特開２０１３−１７０９３号公報
【非特許文献】
【０００５】
【非特許文献１】３ＧＰＰ  ＴＲ２２．８０７  Ｖ１３．０．０
【発明の概要】
【発明が解決しようとする課題】
【０００６】
しかしながら、上述した従来技術では、たとえばＬ−ＧＷにおいて折り返す短縮経路による音声通話のような端末間通信が行われている場合に端末のハンドオーバが発生すると、Ｌ−ＧＷ経由の端末間通信を切断してからＰ−ＧＷやＳ−ＧＷにおける経路切替が行われる。このため、ハンドオーバが完了するまでに時間がかかり、ハンドオーバによる端末間通信の瞬断時間が長くなるという問題がある。
【０００７】
１つの側面では、本発明は、ハンドオーバ時の瞬断時間を削減することができる無線通信システム、無線通信装置およびハンドオーバ制御方法を提供することを目的とする。
【課題を解決するための手段】
【０００８】
上述した課題を解決し、目的を達成するため、本発明の一側面によれば、第１の通信網に接続された第１の中継装置と、前記第１の通信網と異なる第２の通信網に接続され、前記第１の中継装置と異なる第２の中継装置と、を含む無線通信システムにおいて、第１の端末との間で前記第２の中継装置を経由する通信を行う第２の端末のハンドオーバを行う際に、前記第２の中継装置を経由する通信が前記第２の通信網を経由するか否かを示す情報を取得し、取得した前記情報に基づいて、前記第２の中継装置を経由する通信が前記第２の通信網を経由する場合は前記第２の中継装置を経由する通信を切断して前記第１の中継装置の経路変更による前記ハンドオーバを行い、前記第２の中継装置を経由する通信が前記第２の通信網を経由しない場合は前記第２の中継装置を経由する通信を切断せずに前記第２の中継装置の経路変更による前記ハンドオーバを行う無線通信システム、無線通信装置およびハンドオーバ制御方法が提案される。
【発明の効果】
【０００９】
本発明の一側面によれば、ハンドオーバ時の瞬断時間を削減することができる。
【図面の簡単な説明】
【００１０】
【図１】図１は、実施の形態１にかかる無線通信システムの一例を示す図である。
【図２】図２は、実施の形態１にかかる端末間の通信の一例を示す図である。
【図３】図３は、実施の形態１にかかるＬ−ＧＷの構成およびＨＯの一例を示す図（その１）である。
【図４】図４は、実施の形態１にかかるＬ−ＧＷの構成およびＨＯの一例を示す図（その２）である。
【図５】図５は、実施の形態１にかかるＬ−ＧＷの一例を示す図である。
【図６】図６は、実施の形態１にかかるＬ−ＧＷにおけるプロトコル変換の一例を示す図である。
【図７】図７は、実施の形態１にかかる基地局の一例を示す図である。
【図８】図８は、実施の形態１においてＨＯ要求を送信し経路変更処理を省略する場合の処理の一例を示すシーケンス図である。
【図９】図９は、実施の形態１においてＨＯ要求を送信しＮＷ側の経路変更処理を省略しない場合の処理の一例を示すシーケンス図である。
【図１０】図１０は、実施の形態１においてＨＯ要求を送信しない場合の処理の一例を示すシーケンス図である。
【図１１】図１１は、実施の形態１にかかるＨＯ要求の一例を示す図である。
【図１２】図１２は、実施の形態１にかかる通信種別検出の処理の一例を示すフローチャートである。
【図１３】図１３は、実施の形態１にかかるＨＯ元のＬ−ＧＷによる通信種別取得の処理の一例を示すフローチャートである。
【図１４】図１４は、実施の形態１にかかるＨＯ元省略判定の処理およびＨＯ元省略判定の処理に基づく処理の一例を示すフローチャートである。
【図１５】図１５は、実施の形態１にかかるＨＯ元経路判定の処理およびＨＯ元経路設定要求の送信の一例を示すフローチャートである。
【図１６】図１６は、実施の形態１にかかるＨＯ元経路変更の処理の一例を示すフローチャートである。
【図１７】図１７は、実施の形態１にかかるＨＯ先経路判定の処理およびＨＯ先経路判定の処理に基づく処理の一例を示すフローチャートである。
【図１８】図１８は、実施の形態１にかかるＨＯ先経路変更の処理の一例を示すフローチャートである。
【図１９】図１９は、実施の形態１においてＨＯ要求を送信しＮＷ側の経路変更処理を省略しない場合のＨＯによる通信経路の変化の一例を示す図である。
【図２０】図２０は、実施の形態１においてＨＯ要求を送信しない場合のＨＯによる通信経路の変化の一例を示す図である。
【図２１】図２１は、実施の形態１においてＨＯ要求を送信しＮＷ側の経路変更処理を省略する場合のＨＯによる通信経路の変化の一例を示す図である。
【図２２】図２２は、非折り返し通信においてＨＯ時に経路変更処理を省略した場合の例を参考として示す図である。
【図２３】図２３は、実施の形態２にかかるＬ−ＧＷの構成およびＨＯの一例を示す図（その１）である。
【図２４】図２４は、実施の形態２にかかるＬ−ＧＷの構成およびＨＯの一例を示す図（その２）である。
【図２５】図２５は、実施の形態２にかかる基地局の一例を示す図である。
【図２６】図２６は、実施の形態２においてＨＯ要求を送信し経路変更処理を省略する場合の処理の一例を示すシーケンス図である。
【図２７】図２７は、実施の形態２においてＨＯ要求を送信しＮＷ側の経路変更処理を省略しない場合の処理の一例を示すシーケンス図である。
【図２８】図２８は、実施の形態２においてＨＯ要求を送信しない場合の処理の一例を示すシーケンス図である。
【図２９】図２９は、実施の形態２にかかる通信種別検出の処理の一例を示すフローチャートである。
【図３０】図３０は、実施の形態２にかかるＨＯ元の基地局による通信種別取得の処理の一例を示すフローチャートである。
【図３１】図３１は、実施の形態２にかかるＨＯ元経路判定の処理およびＨＯ元経路変更の処理の一例を示すフローチャートである。
【図３２】図３２は、実施の形態２にかかるＨＯ先経路判定の処理およびＨＯ先経路変更の処理の一例を示すフローチャートである。
【図３３】図３３は、実施の形態３にかかるＬ−ＧＷの構成およびＨＯの一例を示す図（その１）である。
【図３４】図３４は、実施の形態３にかかるＬ−ＧＷの構成およびＨＯの一例を示す図（その２）である。
【図３５】図３５は、実施の形態３にかかるＬ−ＧＷの一例を示す図である。
【図３６】図３６は、実施の形態３においてＨＯ要求を送信し経路変更処理を省略する場合の処理の一例を示すシーケンス図である。
【図３７】図３７は、実施の形態３においてＨＯ要求を送信しＮＷ側の経路変更処理を省略しない場合の処理の一例を示すシーケンス図である。
【図３８】図３８は、実施の形態３においてＨＯ要求を送信しない場合の処理の一例を示すシーケンス図である。
【図３９】図３９は、実施の形態３にかかるＨＯ先経路判定の処理およびＨＯ先経路判定の処理に基づく処理の一例を示すフローチャートである。
【発明を実施するための形態】
【００１１】
以下に図面を参照して、本発明にかかる無線通信システム、無線通信装置およびハンドオーバ制御方法の実施の形態を詳細に説明する。
【００１２】
（実施の形態１）
（実施の形態１にかかる無線通信システム）
図１は、実施の形態１にかかる無線通信システムの一例を示す図である。図１に示すように、実施の形態１にかかる無線通信システム１００は、端末１１１，１１２と、基地局１２１，１２２と、Ｓ−ＧＷ１３１と、Ｐ−ＧＷ１３２と、ＭＭＥ１３３と、Ｌ−ＧＷ１４１，１４２と、を含む。インターネット１０１は、Ｐ−ＧＷ１３２と接続された広域のネットワークである。ローカルネットワーク１０２は、基地局１２１，１２２の付近に設けられたローカルなネットワークである。ローカルネットワーク１０２はインターネット１０１に接続されていてもよい。
【００１３】
端末１１１，１１２は、基地局１２１，１２２との間で無線通信を行うＵＥ（Ｕｓｅｒ  Ｅｑｕｉｐｍｅｎｔ：ユーザ端末）である。図１に示す例では、端末１１１は、基地局１２１のセル１２１ａに在圏しており、基地局１２１との間で無線通信を行う。また、端末１１２は、基地局１２２のセル１２２ａに在圏しており、基地局１２２との間で無線通信を行う。また、端末１１１，１１２は、互いに端末間通信を行うことができる。
【００１４】
基地局１２１，１２２は、それぞれセル１２１ａ，１２２ａを形成し、自セルに在圏する端末との間で無線通信を行う無線通信装置である。たとえば、基地局１２１，１２２はｅＮＢ（ｅｖｏｌｖｅｄ  Ｎｏｄｅ  Ｂ）である。図１に示す例では、基地局１２１は、セル１２１ａに在圏する端末１１１との間で無線通信を行う。基地局１２２は、セル１２２ａに在圏する端末１１２との間で無線通信を行う。また、基地局１２１，１２２は、Ｓ１インタフェースを介してＳ−ＧＷ１３１およびＭＭＥ１３３と接続されている。また、基地局１２１，１２２は、Ｘ２インタフェースを介して互いに接続されている。
【００１５】
Ｓ−ＧＷ１３１およびＰ−ＧＷ１３２は、インターネット１０１（第１の通信網）に接続された第１の中継装置である。Ｓ−ＧＷ１３１（Ｓｅｒｖｉｎｇ−Ｇａｔｅｗａｙ）は、基地局１２１，１２２を収容し、基地局１２１，１２２を経由する通信におけるＵ−ｐｌａｎｅ（Ｕｓｅｒ  ｐｌａｎｅ）の処理を行うサービングゲートウェイである。たとえば、Ｓ−ＧＷ１３１は、基地局１２１を経由する端末１１１の通信におけるＵ−ｐｌａｎｅの処理を行う。
【００１６】
Ｐ−ＧＷ１３２（Ｐａｃｋｅｔ  Ｄａｔａ  Ｎｅｔｗｏｒｋ−Ｇａｔｅｗａｙ）は、インターネット１０１などの外部ネットワークに接続するためのパケットデータネットワークゲートウェイである。たとえば、Ｐ−ＧＷ１３２は、Ｓ−ＧＷ１３１とインターネット１０１との間においてユーザデータを中継する。また、たとえば、Ｐ−ＧＷ１３２は、端末ごとにパケットフィルタリングやＩＰ（Ｉｎｔｅｒｎｅｔ  Ｐｒｏｔｏｃｏｌ）アドレスの割り当てなどを行う機能を有する。
【００１７】
ＭＭＥ１３３（Ｍｏｂｉｌｉｔｙ  Ｍａｎａｇｅｍｅｎｔ  Ｅｎｔｉｔｙ：移動性管理エンティティ）は、基地局１２１，１２２を収容し、基地局１２１，１２２を経由する通信におけるＣ−ｐｌａｎｅ（Ｃｏｎｔｒｏｌ  ｐｌａｎｅ）の処理を行う。たとえば、ＭＭＥ１３３は、基地局１２１を介した端末１１１の通信におけるＣ−ｐｌａｎｅの処理を行う。Ｃ−ｐｌａｎｅは、たとえば、各装置間で通話やネットワークを制御するための機能群である。一例としては、Ｃ−ｐｌａｎｅは、パケット呼の接続、ユーザデータを伝送するための経路の設定、ハンドオーバの制御などに用いられる。
【００１８】
Ｌ−ＧＷ１４１，１４２は、ローカルネットワーク１０２（第２の通信網）に接続された第２の中継装置である。Ｌ−ＧＷ１４１は、基地局１２１とローカルネットワーク１０２との間のローカルゲートウェイである。Ｌ−ＧＷ１４２は、基地局１２２とローカルネットワーク１０２との間のローカルゲートウェイである。また、Ｌ−ＧＷ１４１，１４２は、ゲートウェイ間インタフェースによって互いに接続されている。
【００１９】
Ｌ−ＧＷ１４１，１４２は、ＲＡＮ（Ｒａｄｉｏ  Ａｃｃｅｓｓ  Ｎｅｔｗｏｒｋ：無線接続網）との間の直接トンネリングやＩＰアドレスの割り当て等を行う機能を有する。
【００２０】
図１に示す例では、Ｌ−ＧＷ１４１，１４２は、それぞれ基地局１２１，１２２と物理的に独立して設けられているが、このような構成に限らない。たとえば、基地局１２１，１２２にそれぞれＬ−ＧＷ１４１，１４２の機能を設けてもよい。本実施の形態においては、Ｌ−ＧＷ１４１，１４２がそれぞれ基地局１２１，１２２と物理的に独立して設けられている場合について説明する。
【００２１】
（実施の形態１にかかる端末間の通信）
図２は、実施の形態１にかかる端末間の通信の一例を示す図である。図２において、図１に示した部分と同様の部分については同一の符号を付して説明を省略する。実施の形態１にかかる無線通信システム１００において、端末１１１と端末１１２との間で音声通信等の端末間通信を行う場合における通信経路について説明する。
【００２２】
端末１１１，１１２は、たとえばＳ−ＧＷ１３１やＰ−ＧＷ１３２を経由せずに、Ｌ−ＧＷ１４１，１４２を経由する端末間通信を行うことができる。これにより、Ｓ−ＧＷ１３１やＰ−ＧＷ１３２を含むコアネットワークのトラフィックを低減することができる。
【００２３】
このようなＬ−ＧＷ経由の通信コネクションには、たとえばＬＩＰＡ  ＰＤＮ（Ｐａｃｋｅｔ  Ｄａｔａ  Ｎｅｔｗｏｒｋ）コネクションを用いることができる。ＬＩＰＡ  ＰＤＮコネクションについては、たとえば３ＧＰＰのＴＳ２３．４０１やＴＲ２３．８２９に規定されている。
【００２４】
また、端末１１１，１１２は、図２に示すように、Ｌ−ＧＷ１４１，１４２において折り返すことにより、ローカルネットワーク１０２を経由しないデータパス（短縮経路）による端末間通信を行うことができる。このようなデータパスは、たとえば３ＧＰＰのＴＲ２２．８０７に規定されている。これにより、ローカルネットワーク１０２におけるトラフィックや端末間通信における遅延を低減することができる。
【００２５】
図２に示す例では、端末１１１から端末１１２へのデータは、基地局１２１、Ｌ−ＧＷ１４１，１４２、基地局１２２の順に経由し、ローカルネットワーク１０２は経由せずに端末１１２へ伝送される。また、端末１１２から端末１１１へのデータは、基地局１２２、Ｌ−ＧＷ１４１，１４２、基地局１２１の順に経由し、ローカルネットワーク１０２は経由せずに端末１１１へ伝送される。
【００２６】
ここで、図２に示したＬ−ＧＷ経由での折り返し通信を端末１１１，１１２の間で行う場合に、端末１１１，１１２の少なくともいずれかのＨＯ（Ｈａｎｄ  Ｏｖｅｒ：ハンドオーバ）が発生した場合について説明する。このような場合に、従来の処理では、ＨＯの実行に先立ってＬ−ＧＷ経由の通信コネクション（ＬＩＰＡ  ＰＤＮコネクション）が解放され、Ｐ−ＧＷ１３２を経由する通信のＨＯが行われる。このため、ＨＯが完了するまでに時間がかかり、ハンドオーバによる端末間通信の瞬断時間が長くなる。
【００２７】
これに対して、本実施の形態においては、ＨＯ対象の端末における端末間通信がＬ−ＧＷ経由の折り返し通信である場合は、Ｌ−ＧＷ経由の通信を切断せずにＨＯを行うことができる。Ｌ−ＧＷ経由の通信を切断せずにＨＯを行うことにより、Ｐ−ＧＷ１３２の側の経路変更処理は行われないため、ＨＯ時の瞬断時間を削減することができる。
【００２８】
（実施の形態１にかかるＬ−ＧＷの構成およびＨＯ）
図３および図４は、実施の形態１にかかるＬ−ＧＷの構成およびＨＯの一例を示す図である。図３および図４において、図１に示した部分と同様の部分については同一の符号を付して説明を省略する。図３，図４に示す基地局１２３は、基地局１２１，１２２とは異なるｅＮＢである。基地局１２３も、基地局１２１，１２２と同様に、Ｓ−ＧＷ１３１やＭＭＥ１３３と接続されている。図３，図４に示すＬ−ＧＷ１４３は、基地局１２３とローカルネットワーク１０２との間のローカルゲートウェイである。
【００２９】
図３，図４に示すように、実施の形態１においては、基地局１２１〜１２３にそれぞれＬ−ＧＷ１４１〜１４３が接続されている場合について説明する。また、端末１１１，１１２のＩＰアドレスをそれぞれＡ，Ｂとする。また、ローカルネットワーク１０２にはサーバ３０１，３０２が接続されており、サーバ３０１，３０２のＩＰアドレスをそれぞれＣ，Ｄとする。
【００３０】
まず、図３に示すように、端末１１１，１１２がそれぞれ基地局１２１，１２２に接続しており、端末１１１，１１２の間で基地局１２１、Ｌ−ＧＷ１４１，１４２、基地局１２２を経由するデータパスによって通信が行われているとする。つぎに、図４に示すように、端末１１２の移動等に伴い、端末１１２が基地局１２２から基地局１２３へＨＯしたとする。これにより、端末１１１，１１２の間で、基地局１２１、Ｌ−ＧＷ１４１〜１４３、基地局１２３を経由するデータパスによって通信が行われる。
【００３１】
図３，図４に示す（１）〜（４）は、ＨＯ元（ハンドオーバ元）の基地局１２２に対応するＬ−ＧＷ１４２における各出力ポート（通信ポート）の番号を示している。たとえば（１）は、Ｌ−ＧＷ１４２における基地局１２２に接続された出力ポート（ＵＥ方向）の番号を示している。（２）は、Ｌ−ＧＷ１４２におけるローカルネットワーク１０２に接続された出力ポート（ＮＷ（Ｎｅｔｗｏｒｋ）方向）の番号を示している。（３）は、Ｌ−ＧＷ１４２におけるＬ−ＧＷ１４１に接続された出力ポート（Ｌ−ＧＷ方向）の番号を示している。（４）は、Ｌ−ＧＷ１４２におけるＬ−ＧＷ１４３に接続された出力ポート（Ｌ−ＧＷ方向）の番号を示している。
【００３２】
図３，図４に示す（５）〜（７）は、ＨＯ先（ハンドオーバ先）の基地局１２３に対応するＬ−ＧＷ１４３における各出力ポートの番号を示している。たとえば、（５）は、Ｌ−ＧＷ１４３における基地局１２３に接続された出力ポート（ＵＥ方向）の番号を示している。（６）は、Ｌ−ＧＷ１４３におけるローカルネットワーク１０２に接続された出力ポート（ＮＷ方向）の番号を示している。（７）は、Ｌ−ＧＷ１４３におけるＬ−ＧＷ１４２に接続された出力ポート（Ｌ−ＧＷ方向）の番号を示している。
【００３３】
（実施の形態１にかかるＬ−ＧＷ）
図５は、実施の形態１にかかるＬ−ＧＷの一例を示す図である。図５においてはＬ−ＧＷ１４１の構成について説明するが、Ｌ−ＧＷ１４２，１４３の各構成もＬ−ＧＷ１４１の構成と同様である。図５に示すように、Ｌ−ＧＷ１４１は、メモリ５１０と、プロセッサ５２０と、基地局インタフェース５３０と、ネットワークインタフェース５４１，５４２と、スイッチ５５０と、を備える。
【００３４】
メモリ５１０は、たとえばメインメモリおよび補助メモリが含まれる。メインメモリは、たとえばＲＡＭ（Ｒａｎｄｏｍ  Ａｃｃｅｓｓ  Ｍｅｍｏｒｙ：ランダムアクセスメモリ）である。メインメモリは、プロセッサ５２０のワークエリアとして使用される。補助メモリは、たとえば磁気ディスク、光ディスク、フラッシュメモリなどの不揮発メモリである。補助メモリには、Ｌ−ＧＷ１４１を動作させる各種のプログラムが記憶されている。補助メモリに記憶されたプログラムは、メインメモリにロードされてプロセッサ５２０によって実行される。
【００３５】
また、Ｌ−ＧＷ１４１は、フロー記憶部５１１と、ＮＷ側経路記憶部５１２と、基地局側経路記憶部５１３と、ポート方向属性記憶部５１４と、通信種別記憶部５１５と、Ｌ−ＧＷ間通信経路記憶部５１６と、を備える。これらはメモリ５１０により実現される。
【００３６】
フロー記憶部５１１は、プロトコル変換のための情報を記憶する。プロトコル変換のための情報には、たとえば、外部ＩＰアドレス、ＴＥＩＤ（Ｔｕｎｎｅｌ  Ｅｎｄｐｏｉｎｔ  ＩＤｅｎｔｉｆｉｅｒ）、ＵＤＰ（Ｕｓｅｒ  Ｄａｔａｇｒａｍ  Ｐｒｏｔｏｃｏｌ）ポート番号、内部ＩＰアドレスの組み合わせ情報などが含まれる。
【００３７】
ＮＷ側経路記憶部５１２は、外部ＩＰアドレスに関するルーティング情報を記憶する。外部ＩＰアドレスに関するルーティング情報には、たとえば外部ＩＰアドレスとネットワークインタフェース（ＮＷ  ＩＦ）のポート番号との対応情報が含まれる。ＮＷ側経路記憶部５１２に記憶される情報については後述する（たとえば表８参照）。
【００３８】
基地局側経路記憶部５１３は、内部ＩＰアドレスに関するルーティング情報を記憶する。内部ＩＰアドレスに関するルーティング情報には、たとえば内部ＩＰアドレスと基地局インタフェース５３０のポート番号が含まれる。
【００３９】
ポート方向属性記憶部５１４は、出力ボート番号と、その出力ポートの先に接続されている装置（ｅＮＢ方向、ＵＥ方向、Ｌ−ＧＷ方向、ＮＷ方向）との関連性を記憶する。たとえば出力ポート番号と出力ポートの方向属性との対応情報が含まれる。ポート方向属性記憶部５１４に記憶される情報については後述する（たとえば表７参照）。
【００４０】
通信種別記憶部５１５は、プロセッサ５２０における通信種別検出部５２２によって検出された各端末の通信種別を記憶する。通信種別記憶部５１５に記憶される情報については後述する（たとえば表９参照）。
【００４１】
Ｌ−ＧＷ間通信経路記憶部５１６は、隣接基地局のセルＩＤと隣接Ｌ−ＧＷの出力ポート番号との対応情報を記憶する。Ｌ−ＧＷ間通信経路記憶部５１６に記憶される情報については後述する（たとえば表１参照）。
【００４２】
また、Ｌ−ＧＷ１４１は、プロトコル変換部５２１と、通信種別検出部５２２と、通信種別取得部５２３と、ＨＯ元経路変更部５２４と、ＨＯ先経路変更部５２５と、が実現される。これらはプロセッサ５２０により実現される。
【００４３】
プロトコル変換部５２１は、メモリ５１０のフロー記憶部５１１を参照し、Ｌ−ＧＷ１４１が中継するデータのプロトコル変換を行う。プロトコル変換部５２１によるプロトコル変換については後述する（たとえば図６参照）。
【００４４】
通信種別検出部５２２は、端末の通信における通信種別を取得する通信種別検出の処理を行う。たとえば、通信種別検出部５２２は、プロトコル変換部５２１によるプロトコル変換後のデータ（後述する図６のプロトコル変換６０１による変換後のデータ）から、宛先ＩＰアドレスと送信元ＩＰアドレスを取得する。または、通信種別検出部５２２は、ローカルネットワーク１０２から送信されるデータの宛先ＩＰアドレスと送信元ＩＰアドレスを取得してもよい。また、通信種別検出部５２２は、ＮＷ側経路記憶部５１２を参照し、取得した宛先ＩＰアドレスと送信元ＩＰアドレスのそれぞれに対応する出力ポート番号を取得する。また、通信種別検出部５２２は、ポート方向属性記憶部５１４を参照し、取得した出力ポート番号と対応するポートの方向属性を取得する。
【００４５】
そして、通信種別検出部５２２は、宛先ＩＰアドレスおよび送信元ＩＰアドレスと対応する出力ポートの各方向属性がともにＵＥ方向またはＬ−ＧＷ方向の場合は通信種別をＬ−ＧＷ折り返し通信と判定する。また、通信種別検出部５２２は、宛先ＩＰアドレスおよび送信元ＩＰアドレスと対応する出力ポートの各方向属性の少なくともいずれかがＵＥ方向でもＬ−ＧＷ方向でもない場合は通信種別を非Ｌ−ＧＷ折り返し通信と判定する。通信種別検出部５２２による通信種別検出の処理については後述する（たとえば図１２参照）。通信種別検出部５２２は、検出した通信種別を通信種別記憶部５１５に記憶させる。
【００４６】
通信種別取得部５２３は、端末の通信における通信種別を取得する通信種別取得の処理を行う。たとえば、通信種別取得部５２３は、基地局（たとえば基地局１２１）から通信種別問い合わせを受信した場合に、通信種別問い合わせ応答を生成して送信する。通信種別取得部５２３による通信種別取得の処理については後述する（たとえば図１３参照）。
【００４７】
ＨＯ元経路変更部５２４は、基地局（たとえば基地局１２１）からＨＯ元経路変更要求を受信した場合に、ＨＯを行う端末についてのＨＯ元のＬ−ＧＷにおける通信経路を変更するＨＯ元経路変更の処理を行う。ＨＯ元経路変更部５２４によるＨＯ元経路変更の処理については後述する（たとえば図１６参照）。
【００４８】
ＨＯ先経路変更部５２５は、基地局１２３からＨＯ先経路変更要求を受信した場合に、ＨＯを行う端末についてのＨＯ先のＬ−ＧＷにおける通信経路を変更するＨＯ先経路変更の処理を行う。ＨＯ先経路変更部５２５によるＨＯ先経路変更の処理については後述する（たとえば図１８参照）。
【００４９】
基地局インタフェース５３０（ｅＮＢ  ＩＦ）は、自装置の接続先の基地局（たとえば基地局１２１）との間の通信インタフェースである。プロセッサ５２０は、基地局インタフェース５３０を用いて自装置の接続先の基地局との間で通信を行う。
【００５０】
ネットワークインタフェース５４１，５４２は、それぞれローカルネットワーク１０２および他のＬ−ＧＷ（たとえばＬ−ＧＷ１４２）との間の通信インタフェースである。プロセッサ５２０は、ネットワークインタフェース５４１，５４２およびスイッチ５５０を用いて、ローカルネットワーク１０２や他のＬ−ＧＷとの間で通信を行う。
【００５１】
なお、ネットワークインタフェースの数は、接続先のローカルネットワーク１０２や他のＬ−ＧＷの数に応じた数とする。たとえばＬ−ＧＷ１４２は、Ｌ−ＧＷ１４１，１４３およびローカルネットワーク１０２に接続されているため、ネットワークインタフェースの数を３つとすることができる。
【００５２】
（実施の形態１にかかるＬ−ＧＷにおけるプロトコル変換）
図６は、実施の形態１にかかるＬ−ＧＷにおけるプロトコル変換の一例を示す図である。図５に示したプロトコル変換部５２１は、たとえば図６に示すプロトコル変換を行う。図６において、レイヤ群６１０は、Ｌ−ＧＷ１４１における基地局１２１の側の通信に対応するレイヤ群である。一方、レイヤ群６２０は、Ｌ−ＧＷ１４１におけるローカルネットワーク１０２の側の通信に対応するレイヤ群である。
【００５３】
レイヤ群６１０の外部ＩＰは、ローカルネットワーク１０２におけるルーティングに使用されるＩＰである。ＧＴＰ−Ｕ（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ  ｆｏｒ  Ｕｓｅｒ  Ｐｌａｎｅ）は、ユーザプレーンのためのＧＴＰ（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ）である。
【００５４】
ＵＤＰはユーザデータプロトコルである。内部ＩＰは基地局１２１〜１２３、Ｓ−ＧＷ１３１、Ｐ−ＧＷ１３２およびＭＭＥ１３３の間のルーティングに使われるＩＰである。Ｌ２は、レイヤ２（データリンク層）である。Ｌ１はレイヤ１（物理層）である。
【００５５】
プロトコル変換部５２１は、基地局１２１からのデータをローカルネットワーク１０２へ伝送する際には、基地局インタフェース５３０からネットワークインタフェース５４１へのデータについて、プロトコル変換６０１を行う。また、プロトコル変換部５２１は、ローカルネットワーク１０２からのデータを基地局１２１へ伝送する際には、ネットワークインタフェース５４１から基地局インタフェース５３０へのデータについて、プロトコル変換６０２を行う。
【００５６】
（実施の形態１にかかる基地局）
図７は、実施の形態１にかかる基地局の一例を示す図である。図７においては基地局１２１の構成について説明するが、基地局１２２，１２３の各構成も基地局１２１の構成と同様である。図７に示すように、実施の形態１にかかる基地局１２１は、アンテナ７１１と、無線処理回路７１２と、ベースバンド処理回路７１３と、メモリ７２０と、ベースバンド処理用プロセッサ７３０と、上位処理用プロセッサ７４０と、を備える。また、基地局１２１は、Ｓ−ＧＷインタフェース７６１と、Ｌ−ＧＷインタフェース７６２と、Ｘ２インタフェース７６３と、を備える。
【００５７】
ベースバンド処理用プロセッサ７３０および上位処理用プロセッサ７４０は、アンテナ７１１、無線処理回路７１２およびベースバンド処理回路７１３を用いて、基地局１２１のセル１２１ａに在圏する端末との間で無線通信を行う。
【００５８】
無線処理回路７１２は、ベースバンド周波数と無線周波数間の相互変換を行う。たとえば、無線処理回路７１２は、ベースバンド処理回路７１３から出力された信号をベースバンド周波数から無線周波数に変換してアンテナ７１１へ出力する。また、無線処理回路７１２は、アンテナ７１１から出力された信号を無線周波数からベースバンド周波数に変換してベースバンド処理回路７１３へ出力する。
【００５９】
また、無線処理回路７１２は、ベースバンド処理回路７１３から出力された信号をデジタル信号からアナログ信号に変換してアンテナ７１１へ出力してもよい。また、無線処理回路７１２は、アンテナ７１１から出力された信号をアナログ信号からデジタル信号に変換してベースバンド処理回路７１３へ出力してもよい。また、無線処理回路７１２は、信号の増幅等を行ってもよい。
【００６０】
アンテナ７１１は、端末（たとえば端末１１１）との間で無線信号の送受信を行う。たとえば、アンテナ７１１は、無線処理回路７１２から出力された信号を無線送信する。また、アンテナ７１１は、無線受信した信号を無線処理回路７１２へ出力する。
【００６１】
ベースバンド処理回路７１３は、基地局１２１が無線により送受信する信号について、主に物理層の処理を行う。ベースバンド処理回路７１３による処理には、たとえば送信信号の符号化および変調が含まれる。また、ベースバンド処理回路７１３による処理には、たとえば受信信号の復調および復号が含まれる。
【００６２】
メモリ７２０は、たとえばメインメモリおよび補助メモリが含まれる。メインメモリは、たとえばＲＡＭである。メインメモリは、ベースバンド処理用プロセッサ７３０や上位処理用プロセッサ７４０のワークエリアとして使用される。補助メモリは、たとえば磁気ディスク、光ディスク、フラッシュメモリなどの不揮発メモリである。補助メモリには、基地局１２１を動作させる各種のプログラムが記憶されている。補助メモリに記憶されたプログラムは、メインメモリにロードされてベースバンド処理用プロセッサ７３０や上位処理用プロセッサ７４０によって実行される。
【００６３】
また、基地局１２１は、省略可否記憶部７２１を備える。省略可否記憶部７２１はメモリ７２０により実現される。省略可否記憶部７２１は、ＮＷ側の経路変更処理の省略の可否を示す省略可否情報を記憶する。
【００６４】
ベースバンド処理用プロセッサ７３０は、ベースバンド処理回路７１３におけるベースバンド処理を制御する。また、ベースバンド処理用プロセッサ７３０は、スケジューラ７３１を備える。スケジューラ７３１は、ベースバンド処理用プロセッサ７３０により実現される。スケジューラ７３１は、複数端末への無線リソースの割り当て制御等を行う。
【００６５】
上位処理用プロセッサ７４０は、基地局１２１の通信における上位レイヤ（たとえばＬ２やアプリケーションレイヤ）の処理を行う。また、基地局１２１は、Ｌ２処理部７４１と、Ｌ３処理部７４２と、を備える。Ｌ２処理部７４１およびＬ３処理部７４２は上位処理用プロセッサ７４０により実現される。Ｌ−ＧＷ経由の通信がローカルネットワーク１０２を経由するか否かに応じてハンドオーバの制御を行う制御部は、たとえば上位処理用プロセッサ７４０により実現することができる。
【００６６】
Ｌ２処理部７４１は、基地局１２１の通信におけるＬ２の処理を行う。Ｌ２の処理には、たとえば、ＭＡＣ（Ｍｅｄｉｕｍ  Ａｃｃｅｓｓ  Ｃｏｎｔｒｏｌ）、ＲＬＣ（Ｒａｄｉｏ  Ｌｉｎｋ  Ｃｏｎｔｒｏｌ：無線リンク制御）、ＰＤＣＰ（Ｐａｃｋｅｔ  Ｄａｔａ  Ｃｏｎｖｅｒｇｅｎｃｅ  Ｐｒｏｔｏｃｏｌ）、ＧＴＰ−Ｕ、ＵＤＰ、内部ＩＰレイヤ等の処理が含まれる。
【００６７】
Ｌ３処理部７４２は、基地局１２１の通信におけるＲＲＣレイヤ、基地局間ＩＦの終端等のＬ２より上位の処理を行う。たとえば、無線リソースの制御や管理、基地局間信号の送受信、ＮＷ側装置との間の信号の送受信等の処理が含まれる。ＮＷ側装置には、たとえばＳ−ＧＷ１３１、Ｐ−ＧＷ１３２、Ｌ−ＧＷ１４１などが含まれる。
【００６８】
Ｌ３処理部７４２は、ＨＯ判定部７５１と、ＨＯ元省略判定部７５２と、ＨＯ元経路判定部７５３と、ＨＯ先経路判定部７５４と、を備える。ＨＯ判定部７５１は、端末（たとえば端末１１１）から送信される測定情報の受信やＨＯ要求受信時の受け入れ制御等を行う。
【００６９】
ＨＯ元省略判定部７５２は、ＨＯ判定部７５１によってＨＯを実施すると判定された場合に、ＨＯ元に対応するＬ−ＧＷ（たとえばＬ−ＧＷ１４２）に通信種別の問い合わせを行う。また、ＨＯ元省略判定部７５２は、通信種別問い合わせ応答を受信すると、ＮＷ側の経路変更処理を省略するか否かを判定するＨＯ元省略判定の処理を行う。ＨＯ元省略判定部７５２によるＨＯ元省略判定の処理については後述する（たとえば図１４参照）。
【００７０】
ＨＯ元経路判定部７５３は、ＨＯ元に対応するＬ−ＧＷ（たとえばＬ−ＧＷ１４２）に対して経路変更を要求するか否かを判定するＨＯ元経路判定の処理を行う。ＨＯ元経路判定部７５３によるＨＯ元経路判定の処理については後述する（たとえば図１５参照）。
【００７１】
ＨＯ先経路判定部７５４は、ＨＯ先に対応するＬ−ＧＷ（たとえばＬ−ＧＷ１４３）に対して経路変更を要求するか否かを判定するＨＯ先経路判定の処理を行う。ＨＯ先経路判定部７５４によるＨＯ先経路判定の処理については後述する（たとえば図１７参照）。
【００７２】
Ｓ−ＧＷインタフェース７６１（Ｓ−ＧＷ  ＩＦ）は、Ｓ−ＧＷ１３１との間の通信インタフェースである。たとえば、Ｓ−ＧＷインタフェース７６１はＳ１インタフェースである。ベースバンド処理用プロセッサ７３０および上位処理用プロセッサ７４０は、Ｓ−ＧＷインタフェース７６１を用いてＳ−ＧＷ１３１との間で通信を行う。
【００７３】
Ｌ−ＧＷインタフェース７６２（Ｌ−ＧＷ  ＩＦ）は、基地局１２１に接続されたＬ−ＧＷ（たとえばＬ−ＧＷ１４１）との間の通信インタフェースである。ベースバンド処理用プロセッサ７３０および上位処理用プロセッサ７４０は、Ｌ−ＧＷインタフェース７６２を用いて、基地局１２１に接続されたＬ−ＧＷ（たとえばＬ−ＧＷ１４１）との間で通信を行う。Ｌ−ＧＷ経由の通信がローカルネットワーク１０２を経由するか否かを示す情報を取得する取得部は、Ｌ−ＧＷインタフェース７６２により実現することができる。
【００７４】
Ｘ２インタフェース７６３（Ｘ２  ＩＦ）は、他の基地局（たとえば基地局１２２，１２３）との間の通信インタフェースである。ベースバンド処理用プロセッサ７３０および上位処理用プロセッサ７４０は、Ｘ２インタフェース７６３を用いて他の基地局（たとえば基地局１２２，１２３）との間で通信を行う。
【００７５】
（実施の形態１においてＨＯ要求を送信し経路変更処理を省略する場合の処理）
図８は、実施の形態１においてＨＯ要求を送信し経路変更処理を省略する場合の処理の一例を示すシーケンス図である。実施の形態１にかかる無線通信システム１００においては、たとえば図８に示す各ステップが実行される。図８に示す例では、端末１１２が基地局１２２から基地局１２３へＨＯする際に、ＨＯ要求を送信し経路変更処理を省略する場合について説明する。
【００７６】
まず、ＨＯ元の基地局１２２に対応するＬ−ＧＷ１４２に対して、隣接する基地局１２２のセルＩＤ（Ｃｅｌｌ  ＩＤ）と、Ｌ−ＧＷ１４２における出力ポート番号と、の対応情報を設定する隣接Ｌ−ＧＷ設定が行われる（ステップＳ８０１）。また、ＨＯ先の基地局１２３に対応するＬ−ＧＷ１４３に対して、隣接する基地局１２３のセルＩＤと、Ｌ−ＧＷ１４３における出力ポート番号と、の対応情報を設定する隣接Ｌ−ＧＷ設定が行われる（ステップＳ８０２）。ステップＳ８０１，Ｓ８０２による設定は、たとえばそれぞれＬ−ＧＷ１４２，１４３の置局時に行われる。これらの設定の例については後述する（たとえば表１，表２参照）。
【００７７】
つぎに、Ｌ−ＧＷ１４２が、端末（たとえば端末１１２）の通信種別を検出する通信種別検出の処理を行う（ステップＳ８０３）。通信種別には、ローカルネットワーク１０２を経由せずにＬ−ＧＷにて折り返す経路によるＬ−ＧＷ折り返し通信と、Ｌ−ＧＷおよびローカルネットワーク１０２を経由する経路による非Ｌ−ＧＷ折り返し通信と、がある。通信種別検出の処理については後述する（たとえば図１２参照）。
【００７８】
また、基地局１２２が、端末１１２に対して、無線品質の測定報告の送信条件を設定する測定制御を行う（ステップＳ８０４）。つぎに、端末１１２が、測定した無線品質がステップＳ８０４によって設定された送信条件を満たす場合に、基地局１２２に対して測定した無線品質の測定報告を送信する（ステップＳ８０５）。無線品質の測定報告には、たとえばＲＳＲＰ（Ｒｅｆｅｒｅｎｃｅ  Ｓｉｇｎａｌ  Ｒｅｃｅｉｖｅｄ  Ｐｏｗｅｒ）、ＲＳＲＱ（Ｒｅｆｅｒｅｎｃｅ  Ｓｉｇｎａｌ  Ｒｅｃｅｉｖｅｄ  Ｑｕａｌｉｔｙ）等の無線通信の無線品質情報が含まれる。なお、ステップＳ８０４，Ｓ８０５による測定制御や測定報告は、基地局１２２と端末１１２との間で定期的に行われてもよい。
【００７９】
つぎに、測定報告を受信した基地局１２２が、受信した測定報告に含まれる無線品質情報に基づいて、端末１１２のＨＯを実施するか否かを決定するＨＯ決定を行う（ステップＳ８０６）。たとえば、基地局１２２は、端末１１２において測定された基地局１２３の無線品質が、端末１１２において測定された基地局１２２の無線品質より高い場合に、端末１１２の基地局１２３へのＨＯの実施を決定する。図８に示す例では、基地局１２２は、端末１１２の基地局１２３へのＨＯを実施すると決定したとする。
【００８０】
つぎに、基地局１２２が、ＨＯ元の基地局１２２に対応するＬ−ＧＷ１４２に対して、ＨＯを行う端末１１２における通信種別を問い合わせる通信種別問い合わせを送信する（ステップＳ８０７）。通信種別問い合わせには、たとえば、ＨＯ先の基地局１２３のセルを示すターゲットセルＩＤと、ＨＯを行う端末１１２のＩＰアドレスを識別可能な情報（たとえば端末識別子）と、が含まれる。通信種別問い合わせについては後述する（たとえば表３参照）。
【００８１】
つぎに、Ｌ−ＧＷ１４２が、ステップＳ８０７の通信種別問い合わせに対して、端末１１２における通信種別を取得する通信種別取得の処理を行う（ステップＳ８０８）。ステップＳ８０８によって取得される通信種別には、たとえば、Ｌ−ＧＷ折り返し通信が可能か否かを示す通信種別と、端末１１２における通信におけるＬ−ＧＷ間直接通信の可否を示す通信種別と、が含まれる。通信種別取得の処理については後述する（たとえば図１３参照）。
【００８２】
つぎに、Ｌ−ＧＷ１４２が、基地局１２２に対して、ステップＳ８０８によって取得した通信種別を示す通信種別問い合わせ応答を送信する（ステップＳ８０９）。通信種別問い合わせ応答については後述する（たとえば表４参照）。
【００８３】
つぎに、基地局１２２が、基地局１２３へＨＯ要求を送信するか否かと、基地局１２３へＨＯ要求を送信する場合にＮＷ側の経路変更処理を省略するか否かを判定するＨＯ元省略判定の処理を行う（ステップＳ８１０）。ＨＯ元省略判定の処理については後述する（たとえば図１４参照）。図８に示す例では、基地局１２３へＨＯ要求を送信し、ＮＷ側の経路変更処理を省略すると判定された場合について説明する。
【００８４】
つぎに、基地局１２２は、ＨＯ先の基地局１２３へ、端末１１２のＨＯを要求するＨＯ要求を送信する（ステップＳ８１１）。ステップＳ８１１によって送信されるＨＯ要求には、たとえば、ＮＷ側の経路変更処理の省略可否情報、基地局１２３とＬ−ＧＷ１４３との間の経路設定に要する情報、Ｌ−ＧＷ１４２とＬ−ＧＷ１４３との間の経路設定に要する情報等が含まれる。
【００８５】
ＮＷ側の経路変更処理の省略可否情報は、ステップＳ８１０における判定結果を示す情報であり、図８に示す例では省略可を示す情報となる。基地局１２３とＬ−ＧＷ１４３間の経路設定に要する情報は、たとえばＳ５  ＴＥＩＤが含まれる。Ｌ−ＧＷ１４２とＬ−ＧＷ１４３との間の経路設定に要する情報には、たとえばＨＯ元の基地局１２２のセルＩＤ、ＨＯを行う端末１１２のＩＰアドレス、端末１１２と通信を行っている端末１１１のＩＰアドレスが含まれる。ＨＯ要求については後述する（たとえば図１１参照）。
【００８６】
つぎに、基地局１２３が、端末１１２の基地局１２３へのＨＯを受け入れ可能か否かを判断する受入制御を行う（ステップＳ８１２）。図８に示す例では、基地局１２３は、端末１１２の基地局１２３へのＨＯを受け入れ可能と判断したとする。つぎに、基地局１２３が、端末１１２のＨＯを受け入れ可能であることを示すＨＯ要求ＡＣＫを基地局１２２に送信する（ステップＳ８１３）。
【００８７】
つぎに、基地局１２２が、基地局１２２から基地局１２３への無線リンクの変更を指示するＲＲＣ（Ｒａｄｉｏ  Ｒｅｓｏｕｒｃｅ  Ｃｏｎｔｒｏｌ：無線リソース制御）コネクションリコンフィギュレーション（ＲＲＣ  Ｃｏｎｎｅｃｔｉｏｎ  Ｒｅｃｏｎｆｉｇｕｒａｔｉｏｎ）を端末１１２に送信する（ステップＳ８１４）。また、基地局１２２が、ステップＳ８１０による判定結果に基づいて、ＨＯ元に対応するＬ−ＧＷ１４２に対して経路変更を要求するか否かを判定するＨＯ元経路判定の処理を行う（ステップＳ８１５）。ＨＯ元経路判定の処理については後述する（たとえば図１５参照）。図８に示す例では、ステップＳ８１５において、Ｌ−ＧＷ１４２に対して経路変更を要求すると判定された場合について説明する。
【００８８】
つぎに、基地局１２２が、Ｌ−ＧＷ１４２にＨＯ元経路変更要求を送信する（ステップＳ８１６）。ＨＯ元経路変更要求には、たとえばＨＯ先の基地局１２３のセルを示すターゲットセルＩＤや、ＨＯを行う端末１１２（ＨＯ端末）のＩＰアドレスが含まれる。ＨＯ元経路変更要求については後述する（たとえば表５参照）。つぎに、ＨＯ元経路変更要求を受信したＬ−ＧＷ１４２が、ＨＯを行う端末１１２についてのＬ−ＧＷ１４２における通信経路を変更するＨＯ元経路変更の処理を行う（ステップＳ８１７）。ＨＯ元経路変更の処理については後述する（たとえば図１６参照）。
【００８９】
また、ＲＲＣコネクションリコンフィギュレーションを受信した端末１１２が、ＨＯ元の基地局１２２からＨＯ先の基地局１２３へ無線リンクの切り替えを行う（ステップＳ８１８）。つぎに、端末１１２が、無線リンクの切り替えが完了したことを示すＲＲＣコネクションリコンフィギュレーションコンプリート（ＲＲＣ  Ｃｏｎｎｅｃｔｉｏｎ  Ｒｅｃｏｎｆｉｇｕｒａｔｉｏｎ  Ｃｏｍｐｌｅｔｅ）を基地局１２３に送信する（ステップＳ８１９）。
【００９０】
つぎに、ＲＲＣコネクションリコンフィギュレーションコンプリートを受信した基地局１２３が、ＨＯ先に対応するＬ−ＧＷ１４３に対して経路変更を要求するか否かを判定するＨＯ先経路判定の処理を行う（ステップＳ８２０）。ＨＯ先経路判定の処理については後述する（たとえば図１７参照）。図８に示す例では、ステップＳ８２０において、Ｌ−ＧＷ１４３に対して経路変更を要求すると判断された場合について説明する。
【００９１】
つぎに、基地局１２３が、Ｌ−ＧＷ１４３にＨＯ先経路変更要求を送信する（ステップＳ８２１）。ＨＯ先経路変更要求には、たとえばＨＯ元の基地局１２２のセルを示すソースセルＩＤ、ＨＯを行う端末１１２のＩＰアドレス、端末１１２と通信を行っている端末１１１のＩＰアドレスが含まれる。ＨＯ先経路変更要求については後述する（たとえば表６参照）。また、基地局１２３が、ＵＥコンテキストの解放を要求するＵＥコンテキストリリース（ＵＥ  Ｃｏｎｔｅｘｔ  Ｒｅｌｅａｓｅ）を基地局１２２に送信する（ステップＳ８２２）。
【００９２】
つぎに、ＨＯ先経路変更要求を受信したＬ−ＧＷ１４３が、ＨＯを行う端末１１２と通信を行っている端末１１１についてのＬ−ＧＷ１４３における通信経路を変更するＨＯ先経路変更の処理を行う（ステップＳ８２３）。ＨＯ先経路変更の処理については後述する（たとえば図１８参照）。また、ＵＥコンテキストリリースを受信した基地局１２２が、ＨＯを行った端末１１２に関連するリソース（コンテキスト）を解放する（ステップＳ８２４）。
【００９３】
これにより、たとえば図４に示したように、端末１１１と端末１１２との間で、基地局１２１、Ｌ−ＧＷ１４１〜１４３、基地局１２３を経由する経路によって通信が再開（通信再開）される（ステップＳ８２５）。
【００９４】
図８に示す例においては、端末１１１，１１２の間のＬ−ＧＷ経由の折り返し通信が切断されずに、ステップＳ８２３によるＬ−ＧＷ１４３における経路変更によりＨＯが行われている。また、Ｓ−ＧＷ１３１、Ｐ−ＧＷ１３２およびＭＭＥ１３３などのＮＷ側の経路変更処理は省略されている。
【００９５】
（実施の形態１においてＨＯ要求を送信しＮＷ側の経路変更処理を省略しない場合の処理）
図９は、実施の形態１においてＨＯ要求を送信しＮＷ側の経路変更処理を省略しない場合の処理の一例を示すシーケンス図である。図９に示す例では、端末１１２が基地局１２２から基地局１２３へＨＯする際に、ＨＯ要求を送信しＮＷ側の経路変更処理を省略しない場合の処理について説明する。
【００９６】
図９に示すステップＳ９０１〜Ｓ９１０は、図８に示したステップＳ８０１〜Ｓ８１０と同様である。ただし、図９に示す例では、ステップＳ９１０のＨＯ元省略判定処理において、基地局１２３へＨＯ要求を送信し、ＮＷ側の経路変更処理を省略しないと判定される場合について説明する。
【００９７】
この場合は、ステップＳ９１０のつぎに、ＨＯ元の基地局１２２が、基地局１２２（ＨＯ元ｅＮＢ）とのＬＩＰＡ  ＰＤＮコネクションを解放する（ステップＳ９１１）。これにより、端末１１１，１１２の間のＬ−ＧＷ経由の折り返し通信が一旦切断される。
【００９８】
つぎに、基地局１２２が、ＨＯ先の基地局１２３へＨＯ要求を送信する（ステップＳ９１２）。図９に示す例では、ステップＳ９１０のＨＯ元省略判定処理においてＮＷ側の経路変更処理を省略しないと判定されているため、ステップＳ９１２によって送信されるＨＯ要求に含まれる省略可否情報は、省略不可を示す情報となる。
【００９９】
ステップＳ９１３〜Ｓ９１６は、図８に示したステップＳ８１２〜Ｓ８１５と同様である。ただし、図９に示す例では、省略可否情報が省略不可であることにより、ステップＳ９１６のＨＯ元経路判定の処理（たとえば図１５参照）において、Ｌ−ＧＷ１４２に対して経路変更を要求しないと判断される。この場合は、図８に示したステップＳ８１６のようなＨＯ元経路変更要求はＬ−ＧＷ１４２へ送信されない。このため、たとえば図８に示したステップＳ８１７のようなＬ−ＧＷ１４２によるＨＯ元経路変更は行われない。
【０１００】
ステップＳ９１７，Ｓ９１８は、図８に示したステップＳ８１８，Ｓ８１９と同様である。ステップＳ９１８のつぎに、ＲＲＣコネクションリコンフィギュレーションコンプリートを受信した基地局１２３が、ＨＯ先経路判定の処理を行う（ステップＳ９１９）。ＨＯ先経路判定の処理については後述する（たとえば図１７参照）。図９に示す例では、省略可否情報が省略不可であり、Ｐ−ＧＷ１３２を経由する通信の経路変更を行うために、基地局１２３は、経路変更を要求するパススイッチリクエスト（Ｐａｔｈ  ｓｗｉｔｃｈ  Ｒｅｑｕｅｓｔ）をＭＭＥ１３３に送信する（ステップＳ９２０）。
【０１０１】
つぎに、ＭＭＥ１３３が、受信したパススイッチリクエストに基づく経路変更を要求するモディファイベアラリクエスト（Ｍｏｄｉｆｙ  Ｂｅａｒｅｒ  Ｒｅｑｕｅｓｔ）をＳ−ＧＷ１３１およびＰ−ＧＷ１３２に送信する（ステップＳ９２１）。つぎに、Ｓ−ＧＷ１３１およびＰ−ＧＷ１３２が、受信したモディファイベアラリクエストに基づく通信経路変更を行う（ステップＳ９２２）。
【０１０２】
つぎに、Ｓ−ＧＷ１３１およびＰ−ＧＷ１３２が、通信経路変更を行ったことを示すモディファイベアラレスポンス（Ｍｏｄｉｆｙ  Ｂｅａｒｅｒ  Ｒｅｓｐｏｎｓｅ）をＭＭＥ１３３に送信する（ステップＳ９２３）。つぎに、ＭＭＥ１３３が、経路変更を行ったことを示すパススイッチリクエスト応答（Ｐａｔｈ  Ｓｗｉｔｃｈ  Ｒｅｑｕｅｓｔ  ＡＣＫ）を基地局１２３に送信する（ステップＳ９２４）。
【０１０３】
つぎに、パススイッチリクエスト応答を受信した基地局１２３が、ＵＥコンテキストのリリース（解放）を要求するＵＥコンテキストリリースを基地局１２２に送信する（ステップＳ９２５）。つぎに、ＵＥコンテキストリリースを受信した基地局１２２が、ＨＯを行った端末１１２に関連するリソースを解放するリソース解放を行い（ステップＳ９２６）、端末１１２におけるＰ−ＧＷ１３２を経由する通信についてのＨＯが完了する。
【０１０４】
つぎに、たとえば端末１１２がＬ−ＧＷ経由の通信を要求したとする。この場合に、ＨＯ先の基地局１２２（ＨＯ先ｅＮＢ）とのＬＩＰＡ  ＰＤＮコネクションが確立される（ステップＳ９２７）。これにより、たとえば図４に示したように、端末１１１と端末１１２との間で、基地局１２１、Ｌ−ＧＷ１４１〜１４３、基地局１２３を経由する経路によって通信が再開（通信再開）される（ステップＳ９２８）。図９に示す例においては、Ｓ−ＧＷ１３１、Ｐ−ＧＷ１３２およびＭＭＥ１３３などのＮＷ側の経路変更処理（たとえばステップＳ９２０〜Ｓ９２４）が行われている。
【０１０５】
（実施の形態１においてＨＯ要求を送信しない場合の処理）
図１０は、実施の形態１においてＨＯ要求を送信しない場合の処理の一例を示すシーケンス図である。図１０に示す例では、端末１１２が基地局１２２から基地局１２３へＨＯする際に、ＨＯ要求を送信しない場合の処理について説明する。
【０１０６】
図１０に示すステップＳ１００１〜Ｓ１０１０は、図８に示したステップＳ８０１〜Ｓ８１０と同様である。ただし、図１０に示す例では、ステップＳ１０１０のＨＯ元省略判定処理において、基地局１２３へＨＯ要求を送信しないと判定される場合について説明する。この場合は、ステップＳ１０１０のつぎに、ＨＯ元の基地局１２２が、Ｌ−ＧＷ経由の通信である基地局１２２（ＨＯ元ｅＮＢ）とのＬＩＰＡ  ＰＤＮコネクションを解放する（ステップＳ１０１１）。
【０１０７】
つぎに、たとえば端末１１２がＬ−ＧＷ経由の通信を要求したとする。この場合に、ＨＯ先の基地局１２３（ＨＯ先ｅＮＢ）とのＬＩＰＡ  ＰＤＮコネクションが確立される（ステップＳ１０１２）。これにより、たとえば図４に示したように、端末１１１と端末１１２との間で、基地局１２１、Ｌ−ＧＷ１４１〜１４３、基地局１２３を経由する経路によって通信が再開（通信再開）される（ステップＳ１０１３）。
【０１０８】
図１０に示す例においては、ステップＳ１０１１によってＬ−ＧＷ経由の通信が切断した後に、Ｐ−ＧＷ経由の通信が存在しないため、ＨＯのシーケンスの実行は不要となる。このため、Ｓ−ＧＷ１３１、Ｐ−ＧＷ１３２およびＭＭＥ１３３などのＮＷ側の経路変更処理も行われない。
【０１０９】
（実施の形態１にかかるＨＯ元のＬ−ＧＷにおけるＬ−ＧＷ間通信経路記憶部に記憶される情報）
表１は、実施の形態１にかかるＨＯ元のＬ−ＧＷにおけるＬ−ＧＷ間通信経路記憶部に記憶される情報の一例を示す表である。たとえば図８に示したステップＳ８０１の隣接Ｌ−ＧＷ設定により、ＨＯ元のＬ−ＧＷ１４２のＬ−ＧＷ間通信経路記憶部５１６には、たとえば表１に示すＬ−ＧＷ間通信経路情報が記憶される。表１に示すＬ−ＧＷ間通信経路情報においては、Ｌ−ＧＷ１４２と接続されたＬ−ＧＷごとに、該Ｌ−ＧＷに対応する基地局のセルＩＤと、該Ｌ−ＧＷと接続されたＬ−ＧＷ１４２の出力ポートと、が対応付けられている。
【０１１０】
【表１】
2016185531.tif 000058
【０１１１】
たとえば、Ｌ−ＧＷ１４２にはＬ−ＧＷ１４１が接続されている（たとえば図３，図４参照）。このため、表１に示すＬ−ＧＷ間通信経路情報においては、Ｌ−ＧＷ１４１に対応する基地局１２１のセルＩＤ＝１と、Ｌ−ＧＷ１４１と接続されたＬ−ＧＷ１４２の出力ポート＝（３）と、が対応付けられている。また、Ｌ−ＧＷ１４２にはＬ−ＧＷ１４３が接続されているため、表１に示すＬ−ＧＷ間通信経路情報においては、Ｌ−ＧＷ１４３に対応する基地局１２３のセルＩＤ＝３と、Ｌ−ＧＷ１４３と接続されたＬ−ＧＷ１４２の出力ポート＝（４）と、が対応付けられている。
【０１１２】
（実施の形態１にかかるＨＯ先のＬ−ＧＷにおけるＬ−ＧＷ間通信経路記憶部に記憶される情報）
表２は、実施の形態１にかかるＨＯ先のＬ−ＧＷにおけるＬ−ＧＷ間通信経路記憶部に記憶される情報の一例を示す表である。たとえば図８に示したステップＳ８０２の隣接Ｌ−ＧＷ設定により、ＨＯ先のＬ−ＧＷ１４３のＬ−ＧＷ間通信経路記憶部５１６には、たとえば表２に示すＬ−ＧＷ間通信経路情報が記憶される。表２に示すＬ−ＧＷ間通信経路情報においては、Ｌ−ＧＷ１４３と接続されたＬ−ＧＷごとに、該Ｌ−ＧＷに対応する基地局のセルＩＤと、該Ｌ−ＧＷと接続されたＬ−ＧＷ１４３の出力ポートと、が対応付けられている。
【０１１３】
【表２】
2016185531.tif 000059
【０１１４】
たとえば、Ｌ−ＧＷ１４３にはＬ−ＧＷ１４２が接続されている。このため、表２に示すＬ−ＧＷ間通信経路情報においては、Ｌ−ＧＷ１４２に対応する基地局１２２のセルＩＤ＝２と、Ｌ−ＧＷ１４２と接続されたＬ−ＧＷ１４３の出力ポート＝（７）と、が対応付けられている。
【０１１５】
（実施の形態１にかかる通信種別問い合わせの処理）
表３は、実施の形態１にかかる通信種別問い合わせの一例を示す表である。たとえば図８に示したステップＳ８０７において、ＨＯ元の基地局１２２は、Ｌ−ＧＷ１４２に対して、たとえば表３に示す通信種別問い合わせを送信する。表３に示す通信種別問い合わせには、ＨＯを行う端末１１２の端末識別子と、ＨＯ先の基地局１２３のセルを示すターゲットセルＩＤと、が含まれる。
【０１１６】
【表３】
2016185531.tif 000060
【０１１７】
（実施の形態１にかかる通信種別問い合わせ応答）
表４は、実施の形態１にかかる通信種別問い合わせ応答の一例を示す表である。たとえば図８に示したステップＳ８０９において、Ｌ−ＧＷ１４２は、基地局１２２に対して、たとえば表４に示す通信種別問い合わせ応答を送信する。表４に示す通信種別問い合わせ応答には、通信種別と、Ｌ−ＧＷ間直接通信可否と、ＨＯを行う端末１１２のＩＰアドレスと、端末１１２と通信中の端末１１１のＩＰアドレスと、が含まれる。
【０１１８】
【表４】
2016185531.tif 000061
【０１１９】
通信種別は、Ｌ−ＧＷ折り返し通信が可能か否かを示す情報である。この通信種別は、たとえば図１３に示すステップＳ１３０２によって取得された情報である。Ｌ−ＧＷ間直接通信可否は、Ｌ−ＧＷ間における直接通信の可否を示す情報である。このＬ−ＧＷ間直接通信可否は、図１３に示すステップＳ１３０４またはステップＳ１３０５によって判断される。
【０１２０】
（実施の形態１にかかるＨＯ要求）
図１１は、実施の形態１にかかるＨＯ要求の一例を示す図である。たとえば図８に示したステップＳ８１１において、基地局１２２は、たとえば図１１に示すＨＯ要求１１００を基地局１２３に送信する。ＨＯ要求１１００は、３ＧＰＰに規定された「Ｘ２  ＡＰ：ＨＡＮＤＯＶＥＲ  ＲＥＱＵＥＳＴ」において、省略可否情報１１０１、Ｓ５トンネル終端点識別子１１０２（Ｓ５  ＴＥＩＤ）、ＩＰアドレス１１０３，１１０４と、ソースセルＩＤ１１０５と、を追加したＨＯ要求である。
【０１２１】
省略可否情報１１０１は、ＮＷ側の経路変更の省略可否をＨＯ先へ通知する情報である。Ｓ５トンネル終端点識別子１１０２は、ＨＯ先の基地局１２３とＬ−ＧＷ１４３の間のパスを生成するための情報である。
【０１２２】
ＩＰアドレス１１０３，１１０４およびソースセルＩＤ１１０５は、ＨＯ元のＬ−ＧＷ１４２とＨＯ先のＬ−ＧＷ１４３と間の直接通信経路を設定するための情報である。ＩＰアドレス１１０３には、ＨＯを行う端末１１２のＩＰアドレス＝Ｂが格納される。ＩＰアドレス１１０４には、ＨＯを行う端末１１２と通信を行っている端末１１１のＩＰアドレス＝Ａが格納される。ソースセルＩＤ１１０５には、ＨＯ元の基地局１２２のセルのＩＤ＝２が格納される。
【０１２３】
このように、ＨＯ要求１１００は、端末１１２の通信がＬ−ＧＷ折り返し通信か否か（ローカルネットワーク１０２を経由するか否か）に応じた省略可否情報１１０１を含む。なお、図８に示したステップＳ８１１において送信されるＨＯ要求は図１１に示したＨＯ要求１１００に限らず、各種のフォーマットの制御信号を用いることができる。
【０１２４】
（実施の形態１にかかるＨＯ元経路変更要求）
表５は、実施の形態１にかかるＨＯ元経路変更要求の一例を示す表である。たとえば図８に示したステップＳ８１６において、基地局１２２は、Ｌ−ＧＷ１４２に対して、たとえば表５に示すＨＯ元経路変更要求を送信する。表５に示すＨＯ元経路変更要求には、ＨＯ先の基地局１２３のセルを示すターゲットセルＩＤと、ＨＯを行う端末１１２のＩＰアドレスが含まれる。
【０１２５】
【表５】
2016185531.tif 000062
【０１２６】
（実施の形態１にかかるＨＯ先経路変更要求）
表６は、実施の形態１にかかるＨＯ先経路変更要求の一例を示す図である。たとえば図８に示したステップＳ８２１において、基地局１２３は、Ｌ−ＧＷ１４３に対して、たとえば表６に示すＨＯ先経路変更要求を送信する。表６に示すＨＯ先経路変更要求には、ＨＯ元の基地局１２２のセルを示すソースセルＩＤと、ＨＯを行う端末１１２のＩＰアドレスと、ＨＯを行う端末１１２と通信を行っている端末１１１のＩＰアドレスと、が含まれる。
【０１２７】
【表６】
2016185531.tif 000063
【０１２８】
（実施の形態１にかかる通信種別検出の処理）
図１２は、実施の形態１にかかる通信種別検出の処理の一例を示すフローチャートである。たとえば図８に示したステップＳ８０３において、Ｌ−ＧＷ１４２は、通信種別検出の処理として、たとえば図１２に示す各ステップを実行する。
【０１２９】
まず、Ｌ−ＧＷ１４２は、Ｌ−ＧＷ１４２のポートごとに方向属性を設定する（ステップＳ１２０１）。ポートごとの方向属性の設定については後述する（たとえば表７参照）。ステップＳ１２０１は、たとえばＬ−ＧＷ１４２の置局時に行われた設定を読み込むことで行うことができる。
【０１３０】
つぎに、Ｌ−ＧＷ１４２は、ＮＷ側経路記憶部５１２に宛先ＩＰアドレスと出力ポートとの対応情報を設定する（ステップＳ１２０２）。ＮＷ側経路記憶部５１２への宛先ＩＰアドレスおよび出力ポートの設定については後述する（たとえば表８参照）。ステップＳ１２０２は、たとえば端末１１１と端末１１２との間の通信開始時に行われた情報を読み込むことで行うことができる。
【０１３１】
つぎに、Ｌ−ＧＷ１４２は、宛先または送信元が端末１１２であるパケットを受信すると、受信したパケット（受信パケット）の宛先ＩＰアドレスおよび送信元ＩＰアドレスを取得する（ステップＳ１２０３）。つぎに、Ｌ−ＧＷ１４２は、ステップＳ１２０３によって取得した宛先ＩＰアドレスに対応する出力ポートの方向属性がＮＷ方向であるか否かを判断する（ステップＳ１２０４）。
【０１３２】
ステップＳ１２０４において、宛先ＩＰアドレスに対応する出力ポートの方向属性がＮＷ方向である場合（ステップＳ１２０４：Ｙｅｓ）は、端末１１２における通信は、ローカルネットワーク１０２を経由するものであると判断することができる。この場合は、Ｌ−ＧＷ１４２は、端末１１２の通信種別として非Ｌ−ＧＷ折り返し通信を設定し（ステップＳ１２０５）、ステップＳ１２０８へ移行する。宛先ＩＰアドレスに対応する出力ポートの方向属性がＮＷ方向でない場合（ステップＳ１２０４：Ｎｏ）は、ステップＳ１２０６へ移行する。
【０１３３】
すなわち、Ｌ−ＧＷ１４２は、ステップＳ１２０３によって取得した送信元ＩＰアドレスに対応する出力ポートの方向属性がＮＷ方向であるか否かを判断する（ステップＳ１２０６）。方向属性がＮＷ方向である場合（ステップＳ１２０６：Ｙｅｓ）は、端末１１２における通信は、ローカルネットワーク１０２を経由するものであると判断することができる。この場合は、Ｌ−ＧＷ１４２は、ステップＳ１２０５へ移行する。
【０１３４】
ステップＳ１２０６において、方向属性がＮＷ方向でない場合（ステップＳ１２０６：Ｎｏ）は、端末１１２における通信は、ローカルネットワーク１０２を経由しないものであると判断することができる。この場合は、Ｌ−ＧＷ１４２は、端末１１２の通信種別としてＬ−ＧＷ折り返し通信を設定する（ステップＳ１２０７）。
【０１３５】
つぎに、Ｌ−ＧＷ１４２は、通信種別記憶部５１５に、ステップＳ１２０５またはステップＳ１２０７により設定した通信種別と、ステップＳ１２０３により取得した宛先ＩＰアドレスおよび送信元ＩＰアドレスと、を対応付けて設定する（ステップＳ１２０８）。そして、Ｌ−ＧＷ１４２は、一連の処理を終了する。
【０１３６】
このように、Ｌ−ＧＷ１４２は、各通信ポートのうちの、Ｌ−ＧＷ１４２を経由する端末１１２の通信におけるデータの宛先および送信元の少なくともいずれかに対応する通信ポートがローカルネットワーク１０２へ接続されているか否かを判定する。これにより、Ｌ−ＧＷ１４２を経由する端末１１２の通信が、ローカルネットワーク１０２を経由するか否か（非Ｌ−ＧＷ折り返し通信かＬ−ＧＷ折り返し通信か）を判定することができる。
【０１３７】
（実施の形態１にかかるＨＯ元のＬ−ＧＷにおけるポート方向属性記憶部に記憶される情報）
表７は、実施の形態１にかかるＨＯ元のＬ−ＧＷにおけるポート方向属性記憶部に記憶される情報の一例を示す表である。たとえば図１２に示したステップＳ１２０１により、ＨＯ元に対応するＬ−ＧＷ１４２のポート方向属性記憶部５１４には、たとえば表７に示すポート方向属性情報が記憶される。表７に示すポート方向属性情報においては、Ｌ−ＧＷ１４２の出力ポートごとに方向属性が対応付けられている。
【０１３８】
【表７】
2016185531.tif 000064
【０１３９】
方向属性は、出力ポートに対応する送信先を示す情報である。表７に示す例では、方向属性には、端末１１２などのＵＥが送信先となるＵＥ方向、Ｌ−ＧＷ１４１，１４３などの他のＬ−ＧＷが送信先となるＬ−ＧＷ方向、ローカルネットワーク１０２が送信先となるＮＷ方向がある。Ｌ−ＧＷ１４２は基地局１２２を介して端末１１２へパケットを送信するため、基地局１２２に接続された出力ポートの方向属性もＵＥ方向となる。
【０１４０】
たとえば、図３，図４に示したように、Ｌ−ＧＷ１４２の出力ポート＝（１）は基地局１２２に接続されているため、出力ポート＝（１）の方向属性はＵＥ方向となっている。また、Ｌ−ＧＷ１４２の出力ポート＝（２）はローカルネットワーク１０２に接続されているため、出力ポート＝（２）の方向属性はＮＷ方向となっている。また、Ｌ−ＧＷ１４２の出力ポート＝（３）はＬ−ＧＷ１４１に接続されているため、出力ポート＝（３）の方向属性はＬ−ＧＷ方向となっている。また、Ｌ−ＧＷ１４２の出力ポート＝（４）はＬ−ＧＷ１４３に接続されているため、出力ポート＝（４）の方向属性はＬ−ＧＷ方向となっている。
【０１４１】
（実施の形態１にかかるＨＯ元のＬ−ＧＷのＮＷ側経路記憶部に記憶される情報）
表８は、実施の形態１にかかるＨＯ元のＬ−ＧＷのＮＷ側経路記憶部に記憶される情報の一例を示す表である。たとえば図１２に示したステップＳ１２０２により、ＨＯ元のＬ−ＧＷ１４２のＮＷ側経路記憶部５１２には、たとえば表８に示すＮＷ側経路情報が記憶される。表８に示すＮＷ側経路情報においては、宛先ＩＰアドレスごとに、Ｌ−ＧＷ１４２の出力ポートが対応付けられている。
【０１４２】
【表８】
2016185531.tif 000065
【０１４３】
たとえば、図３，図４に示したように、宛先ＩＰアドレス＝Ａは端末１１１のアドレスであるため、宛先ＩＰアドレス＝Ａには端末１１１（基地局１２１）の方向に対応する出力ポート＝（３）が対応付けられている。また、宛先ＩＰアドレス＝Ｂは端末１１２のアドレスであるため、宛先ＩＰアドレス＝Ｂには端末１１２（基地局１２２）の方向に対応する出力ポート＝（１）が対応付けられている。
【０１４４】
また、宛先ＩＰアドレス＝Ｃはサーバ３０１のアドレスであるため、宛先ＩＰアドレスのＣにはサーバ３０１（ローカルネットワーク１０２）の方向に対応する出力ポート＝（２）が対応付けられている。また、宛先ＩＰアドレス＝Ｄはサーバ３０２のアドレスであるため、宛先ＩＰアドレス＝Ｄにはサーバ３０２（ローカルネットワーク１０２）の方向に対応する出力ポート＝（２）が対応付けられている。
【０１４５】
（実施の形態１にかかるＨＯ元のＬ−ＧＷの通信種別記憶部に記憶される情報）
表９は、実施の形態１にかかるＨＯ元のＬ−ＧＷの通信種別記憶部に記憶される情報の一例を示す図である。たとえば図１２に示したステップＳ１２０８により、ＨＯ元のＬ−ＧＷ１４２の通信種別記憶部５１５には、たとえば表９に示す通信種別情報が記憶される。表９に示す通信種別情報においては、送信元ＩＰアドレスと、宛先ＩＰアドレスと、通信種別と、が対応付けられている。
【０１４６】
【表９】
2016185531.tif 000066
【０１４７】
たとえば図１２に示したステップＳ１２０３において、Ｌ−ＧＷ１４２は、端末１１１のＩＰアドレス＝Ａを送信元とし、端末１１２のＩＰアドレス＝Ｂを宛先とするパケットを受信したとする。この場合に、ＩＰアドレス＝Ａに対応する出力ポートは出力ポート＝（３）であり（表８参照）、出力ポート＝（３）の方向属性はＬ−ＧＷ方向である（表７参照）。また、ＩＰアドレス＝Ｂに対応する出力ポートは出力ポート＝（１）であり（表８参照）、出力ポート＝（１）の方向属性はＵＥ方向である（表７参照）。
【０１４８】
このため、Ｌ−ＧＷ１４２は、受信したパケットの通信種別としてＬ−ＧＷ折り返し通信を設定する。したがって、Ｌ−ＧＷ１４２は、表９の通信種別情報に示すように、送信元ＩＰアドレス＝Ａと、宛先ＩＰアドレス＝Ｂと、通信種別＝Ｌ−ＧＷ折り返し通信と、を対応付けて通信種別記憶部５１５に記憶する。
【０１４９】
（実施の形態１にかかるＨＯ元のＬ−ＧＷによる通信種別取得の処理）
図１３は、実施の形態１にかかるＨＯ元のＬ−ＧＷによる通信種別取得の処理の一例を示すフローチャートである。ＨＯ元のＬ−ＧＷ１４２は、たとえば図８に示したステップＳ８０８において、通信種別取得の処理として、たとえば図１３に示す各ステップを実行する。
【０１５０】
まず、Ｌ−ＧＷ１４２は、ＨＯを行う端末（端末１１２）の端末識別子をＩＰアドレスに変換する（ステップＳ１３０１）。端末識別子は、表３に示した通信種別問い合わせに含まれる、ＨＯを行う端末（端末１１２）のＩＰアドレスを識別可能な情報である。
【０１５１】
つぎに、Ｌ−ＧＷ１４２は、ステップＳ１３０１によって変換した端末１１２のＩＰアドレスに基づいて通信種別記憶部５１５を参照し、端末１１２の通信相手のＩＰアドレスと通信種別を取得する（ステップＳ１３０２）。たとえば表９に示した例では、端末１１２のＩＰアドレス＝Ｂと端末１１１のＩＰアドレス＝Ａとが対応付けられている。このため、ステップＳ１３０２において、端末１１２の通信相手のＩＰアドレスとして端末１１１のＩＰアドレス＝Ａが取得される。
【０１５２】
つぎに、Ｌ−ＧＷ１４２は、Ｌ−ＧＷ間通信経路記憶部５１６に、端末１１２のＨＯ先の基地局１２３のターゲットセルＩＤが存在するか否かを判断する（ステップＳ１３０３）。ターゲットセルＩＤは、表３に示した通信種別問い合わせに含まれる情報である。たとえば表１に示した例では、Ｌ−ＧＷ間通信経路情報において、端末１１２のＨＯ先の基地局１２３のセルＩＤ＝３が存在する。
【０１５３】
ステップＳ１３０３において、ターゲットセルＩＤが存在すると判断した場合（ステップＳ１３０３：Ｙｅｓ）は、Ｌ−ＧＷ１４２は、Ｌ−ＧＷ間直接通信可能と判断し（ステップＳ１３０４）、一連の処理を終了する。ターゲットセルＩＤが存在しないと判断した場合（ステップＳ１３０３：Ｎｏ）は、Ｌ−ＧＷ１４２は、Ｌ−ＧＷ間直接通信不可能と判断し（ステップＳ１３０５）、一連の処理を終了する。
【０１５４】
（実施の形態１にかかるＨＯ元省略判定の処理およびＨＯ元省略判定の処理に基づく処理）
図１４は、実施の形態１にかかるＨＯ元省略判定の処理およびＨＯ元省略判定の処理に基づく処理の一例を示すフローチャートである。ＨＯ元の基地局１２２は、図８に示したステップＳ８１０，Ｓ８１１において、ＨＯ元省略判定の処理およびＨＯ要求の送信として、たとえば図１４に示す各ステップを実行する。
【０１５５】
まず、基地局１２２は、Ｌ−ＧＷ１４２から受信した通信種別問い合わせ応答に基づいて、Ｌ−ＧＷ間直接通信可能か否かを判断する（ステップＳ１４０１）。Ｌ−ＧＷ間直接通信は、Ｌ−ＧＷ１４２とＬ−ＧＷ１４３との間の直接通信である。Ｌ−ＧＷ間直接通信可能でない場合（ステップＳ１４０１：Ｎｏ）は、基地局１２２は、ステップＳ１４０６へ移行する。Ｌ−ＧＷ間直接通信可能である場合（ステップＳ１４０１：Ｙｅｓ）は、基地局１２２は、ＨＯを行う端末１１２の通信中のベアラがＰ−ＧＷ１３２を経由するベアラを含むか否かを判断する（ステップＳ１４０２）。
【０１５６】
ステップＳ１４０２において、Ｐ−ＧＷ１３２を経由するベアラを含む場合（ステップＳ１４０２：Ｙｅｓ）は、基地局１２２は、ステップＳ１４０６へ移行する。Ｐ−ＧＷ１３２を経由するベアラを含まない場合（ステップＳ１４０２：Ｎｏ）は、基地局１２２は、通信種別がＬ−ＧＷ折り返し通信か否かを判断する（ステップＳ１４０３）。
【０１５７】
ステップＳ１４０３において、通信種別がＬ−ＧＷ折り返し通信である場合（ステップＳ１４０３：Ｙｅｓ）は、基地局１２２は、省略可否記憶部７２１の省略可否情報に省略可を設定する（ステップＳ１４０４）。つぎに、基地局１２２は、端末１１２についてのＬＩＰＡ  ＰＤＮコネクションを解放せずに、省略可を示す省略可否情報を含むＨＯ要求をＨＯ先の基地局１２３（ＨＯ先ｅＮＢ）に送信し（ステップＳ１４０５）、一連の処理を終了する。この場合は、たとえば図８に示した処理となる。
【０１５８】
ステップＳ１４０３において、通信種別がＬ−ＧＷ折り返し通信でない場合（ステップＳ１４０３：Ｎｏ）は、基地局１２２は、端末１１２についてのＬＩＰＡ  ＰＤＮコネクションを解放する（ステップＳ１４０６）。つぎに、基地局１２２は、ＨＯを行う端末１１２の通信中のベアラがＰ−ＧＷ１３２を経由するベアラを含むか否かを判断する（ステップＳ１４０７）。
【０１５９】
ステップＳ１４０７において、Ｐ−ＧＷ１３２を経由するベアラを含まない場合（ステップＳ１４０７：Ｎｏ）は、基地局１２２は、ＨＯ要求を送信せずに一連の処理を終了する。この場合は、たとえば図１０に示した処理となる。
【０１６０】
ステップＳ１４０７において、Ｐ−ＧＷ１３２を経由するベアラを含む場合（ステップＳ１４０７：Ｙｅｓ）は、基地局１２２は、省略可否記憶部７２１の省略可否情報に省略不可を設定する（ステップＳ１４０８）。つぎに、基地局１２２は、省略不可を示す省略可否情報を含むＨＯ要求をＨＯ先の基地局１２３（ＨＯ先ｅＮＢ）に送信し（ステップＳ１４０９）、一連の処理を終了する。この場合は、たとえば図９に示した処理となる。
【０１６１】
このように、基地局１２２は、Ｌ−ＧＷ１４２とＬ−ＧＷ１４３が直接通信可能、かつ、ＨＯを行う端末１１２の通信中のベアラがＰ−ＧＷ経由の通信を含まない、かつ、端末１１２がＬ−ＧＷ折り返し通信を行う端末の場合に、省略可否情報を省略可とする。すなわち、この場合に、基地局１２２は、ＬＩＰＡ  ＰＤＮコネクションの解放を行わず、ＨＯ先でのＮＷ側の経路変更処理の省略をＨＯ先の基地局１２３に指示する。
【０１６２】
（実施の形態１にかかるＨＯ元経路判定の処理およびＨＯ元経路設定要求の送信）
図１５は、実施の形態１にかかるＨＯ元経路判定の処理およびＨＯ元経路設定要求の送信の一例を示すフローチャートである。たとえば図８に示したステップＳ８１５において、ＨＯ元の基地局１２２は、ＨＯ元経路判定の処理として、たとえば図１５に示す各ステップを実行する。
【０１６３】
まず、基地局１２２は、図１４に示したＨＯ元省略判定の処理によって省略可否記憶部７２１に設定した省略可否情報が省略可であるか否かを判断する（ステップＳ１５０１）。省略可否情報が省略可である場合（ステップＳ１５０１：Ｙｅｓ）は、基地局１２２は、ＨＯ元のＬ−ＧＷ１４２にＨＯ元経路設定要求を送信する（ステップＳ１５０２）。この場合は、たとえば図８に示した処理となる。省略可否情報が省略可でない場合（ステップＳ１５０１：Ｎｏ）は、基地局１２２は、ＨＯ元経路設定要求を送信せずに一連の処理を終了する。この場合は、たとえば図９に示した処理となる。
【０１６４】
（実施の形態１にかかるＨＯ元経路変更の処理）
図１６は、実施の形態１にかかるＨＯ元経路変更の処理の一例を示すフローチャートである。たとえば図８に示したステップＳ８１７において、ＨＯ元のＬ−ＧＷ１４２は、ＨＯ元経路変更の処理として、たとえば図１６に示す各ステップを実行する。
【０１６５】
まず、Ｌ−ＧＷ１４２は、Ｌ−ＧＷ間通信経路記憶部５１６を参照し、基地局１２２からのＨＯ元経路変更要求に含まれるＨＯ先のターゲットセルＩＤをポート番号に変換する（ステップＳ１６０１）。つぎに、Ｌ−ＧＷ１４２は、ＮＷ側経路記憶部５１２におけるＨＯを行う端末１１２のＩＰアドレスに対応する出力ポートを、ステップＳ１６０１による変換後のポート番号に変更し（ステップＳ１６０２）、一連の処理を終了する。
【０１６６】
たとえば、ＨＯ先は基地局１２３であり、ターゲットセルＩＤ＝３であるため、ステップＳ１６０１によって基地局１２３に対応する出力ポート＝（４）が得られる（たとえば表１参照）。また、ステップＳ１６０２により、表８に示した例では、ＮＷ側経路情報における、端末１１２のＩＰアドレス＝Ｂに対応する出力ポート＝（１）が出力ポート＝（４）に変更される。以降、Ｌ−ＧＷ１４２は、宛先ＩＰアドレスがＢであるパケットを出力ポート＝（４）から出力する。これにより、Ｌ−ＧＷ１４２が受信した端末１１２へのパケットがＬ−ＧＷ１４３へ転送される。
【０１６７】
（実施の形態１にかかるＨＯ先経路判定の処理およびＨＯ先経路判定の処理に基づく処理）
図１７は、実施の形態１にかかるＨＯ先経路判定の処理およびＨＯ先経路判定の処理に基づく処理の一例を示すフローチャートである。たとえば図８に示したステップＳ８２０において、ＨＯ先の基地局１２３は、ＨＯ先経路判定の処理として、たとえば図１７に示す各ステップを実行する。
【０１６８】
まず、基地局１２３は、基地局１２２から受信したＨＯ要求に含まれる省略可否情報が省略可であるか否かを判断する（ステップＳ１７０１）。省略可否情報が省略可である場合（ステップＳ１７０１：Ｙｅｓ）は、基地局１２３は、ＨＯ先のＬ−ＧＷ１４３にＨＯ先経路設定要求を送信する（ステップＳ１７０２）。つぎに、基地局１２３は、ＵＥコンテキストリリースをＨＯ元の基地局１２２（ＨＯ元ｅＮＢ）に送信し（ステップＳ１７０３）、一連の処理を終了する。この場合は、たとえば図８に示した処理となる。
【０１６９】
ステップＳ１７０１において、省略可否情報が省略可でない場合（ステップＳ１７０１：Ｎｏ）は、基地局１２３は、パススイッチリクエストをＭＭＥ１３３に送信し（ステップＳ１７０４）、一連の処理を終了する。この場合はたとえば図９に示した処理となる。
【０１７０】
（実施の形態１にかかるＨＯ先経路変更の処理）
図１８は、実施の形態１にかかるＨＯ先経路変更の処理の一例を示すフローチャートである。たとえば図８に示したステップＳ８２３において、ＨＯ先のＬ−ＧＷ１４３は、ＨＯ先経路変更の処理として、たとえば図１８に示す各ステップを実行する。
【０１７１】
まず、Ｌ−ＧＷ１４３は、ＨＯを行う端末１１２のＩＰアドレス＝Ｂに対応する出力ポートをＵＥ方向に設定する（ステップＳ１８０１）。つぎに、Ｌ−ＧＷ１４３は、Ｌ−ＧＷ間通信経路記憶部５１６を参照し、基地局１２３からのＨＯ先経路変更要求に含まれるソースセルＩＤをポート番号に変換する（ステップＳ１８０２）。
【０１７２】
つぎに、Ｌ−ＧＷ１４３は、ＮＷ側経路記憶部５１２におけるＨＯを行う端末１１２と通信を行っている端末１１１のＩＰアドレスに対応する出力ポートを、ステップＳ１８０２による変換後のポート番号に変更し（ステップＳ１８０３）、一連の処理を終了する。
【０１７３】
たとえば、ＨＯ元は基地局１２２であり、ソースセルＩＤ＝２であるため、ステップＳ１８０２によって基地局１２２に対応する出力ポート＝（７）が得られる（たとえば図３，図４参照）。また、ステップＳ１８０３により、Ｌ−ＧＷ１４３におけるＮＷ側経路記憶部５１２のＮＷ側経路情報における、端末１１１のＩＰアドレス＝Ａに対応する出力ポートが出力ポート＝（７）に変更される。以降、Ｌ−ＧＷ１４３は、宛先ＩＰアドレスがＡであるパケットを出力ポート＝（７）から出力する。これにより、Ｌ−ＧＷ１４３が受信した端末１１１へのパケットがＬ−ＧＷ１４２へ転送される。
【０１７４】
（実施の形態１においてＨＯ要求を送信しＮＷ側の経路変更処理を省略しない場合のＨＯによる通信経路の変化）
図１９は、実施の形態１においてＨＯ要求を送信しＮＷ側の経路変更処理を省略しない場合のＨＯによる通信経路の変化の一例を示す図である。図１９において、図３，図４に示した部分と同様の部分については同一の符号を付して説明を省略する。図１９においては、図９に示した例のように、端末１１２が基地局１２２から基地局１２３へＨＯする際に、ＨＯ要求を送信しＮＷ側の経路変更処理を省略しない場合の処理について説明する。
【０１７５】
図１９に示す例においては、端末１１１，１１２がともに基地局１２２に接続しており、ローカルネットワーク１０２を経由せずＬ−ＧＷ１４２において折り返す経路によって端末１１１，１１２の間の通信が行われている。また、Ｌ−ＧＷ間直接通信経路１９０１が設定可能である。また、端末１１２は、Ｓ−ＧＷ１３１およびＰ−ＧＷ１３２を経由する通信も行っている。
【０１７６】
この場合に、端末１１２の移動にともなって端末１１２の基地局１２２から基地局１２３へのＨＯが発生すると、Ｌ−ＧＷ経由の通信とＰ−ＧＷ経由の通信が存在するため、Ｌ−ＧＷ経由の通信が切断され、Ｐ−ＧＷ経由の通信がＨＯされる（図１４参照）。したがって、この場合はＮＷ側の経路変更処理が行われる（図９参照）。
【０１７７】
（実施の形態１においてＨＯ要求を送信しない場合のＨＯによる通信経路の変化）
図２０は、実施の形態１においてＨＯ要求を送信しない場合のＨＯによる通信経路の変化の一例を示す図である。図２０において、図３，図４に示した部分と同様の部分については同一の符号を付して説明を省略する。図２０においては、図１０に示した例のように、端末１１２が基地局１２２から基地局１２３へＨＯする際に、ＨＯ要求を送信しない場合の処理について説明する。
【０１７８】
図２０に示す例においては、端末１１１，１１２がともに基地局１２２に接続しており、Ｌ−ＧＷ１４２、ローカルネットワーク１０２およびサーバ３０１によって端末１１１，１１２の間の非折り返し通信が行われている。一方、図１９に示した例と異なり、端末１１２は、Ｓ−ＧＷ１３１およびＰ−ＧＷ１３２を経由する通信（Ｐ−ＧＷ経由の通信）は行っていない。
【０１７９】
この場合に、端末１１２の移動にともなって端末１１２の基地局１２２から基地局１２３へのＨＯが発生すると、Ｌ−ＧＷ経由の通信のみが存在し、非折り返し通信であるため、Ｌ−ＧＷ経由の通信が切断される（図１４参照）。この場合は、端末１１２におけるＰ−ＧＷ経由の通信は存在しないため、ＨＯシーケンス自体が不要となる（図１０参照）。
【０１８０】
これにより、たとえば端末１１２がＬ−ＧＷ経由の通信を再度要求することによりＬＩＰＡ  ＰＤＮコネクションが確立され、端末１１１，１１２の間の通信を再開することができる。
【０１８１】
（実施の形態１においてＨＯ要求を送信しＮＷ側の経路変更処理を省略する場合のＨＯによる通信経路の変化）
図２１は、実施の形態１においてＨＯ要求を送信しＮＷ側の経路変更処理を省略する場合のＨＯによる通信経路の変化の一例を示す図である。図２１において、図３，図４に示した部分と同様の部分については同一の符号を付して説明を省略する。図２１においては、図８に示した例のように、端末１１２が基地局１２２から基地局１２３へＨＯする際に、ＨＯ要求を送信する場合の処理について説明する。
【０１８２】
図２１に示す例においては、端末１１１，１１２がともに基地局１２２に接続しており、Ｌ−ＧＷ１４２において折り返す経路によって端末１１１，１１２の間の通信が行われている。また、Ｌ−ＧＷ間直接通信経路１９０１が設定可能である。また、端末１１２は、Ｓ−ＧＷ１３１およびＰ−ＧＷ１３２を経由する通信（Ｐ−ＧＷ経由の通信）は行っていない。
【０１８３】
この場合に、端末１１２の移動にともなって端末１１２の基地局１２２から基地局１２３へのＨＯが発生すると、Ｌ−ＧＷ経由の通信のみが存在し、折り返し通信であるため、Ｌ−ＧＷ経由の通信が切断されない。そして、Ｌ−ＧＷ１４２，１４３の間のＬ−ＧＷ間直接通信経路１９０１が設定されるとともに、ＮＷ側の経路変更処理を省略したＨＯが行われる（図８参照）。
【０１８４】
（非折り返し通信においてＨＯ時に経路変更処理を省略した場合の例）
図２２は、非折り返し通信においてＨＯ時に経路変更処理を省略した場合の例を参考として示す図である。図２２において、図３，図４に示した部分と同様の部分については同一の符号を付して説明を省略する。図２２においては、端末１１２が基地局１２２、Ｌ−ＧＷ１４２およびローカルネットワーク１０２を介してサーバ３０１との間で通信を行っている場合に、端末１１２が基地局１２３へＨＯを行う場合について説明する。
【０１８５】
この場合に、仮に、図２１に示したようにＨＯ要求を送信しＮＷ側の経路変更処理を省略する処理を適応すると、ＨＯ先のＬ−ＧＷ１４３からＨＯ元のＬ−ＧＷ１４２へ方向のＬ−ＧＷ間の直接通信経路を設定することができない。これは、Ｌ−ＧＷ１４２，１４３がサーバ３０１のＩＰアドレスを認識していないためである。
【０１８６】
図２２においては端末１１２がサーバ３０１との間で通信を行っている場合について説明したが、端末１１２がサーバ３０１を介して端末１１１との間で通信を行っている場合についても同様である。このため、Ｌ−ＧＷ経由の通信のみが存在し非折り返し通信の場合には、図２０に示したように、Ｌ−ＧＷ経由の通信を切断する処理としている。これにより、たとえば端末１１２がＬ−ＧＷ経由の通信を再度要求することによりＬＩＰＡ  ＰＤＮコネクションが確立され、端末１１１，１１２の間の通信を再開することができる。
【０１８７】
このように、実施の形態１にかかる無線通信システム１００においては、ＨＯ対象の端末１１２における端末間通信がＬ−ＧＷ経由の折り返し通信であるか否かが判定される。そして、Ｌ−ＧＷ経由の折り返し通信である場合は、Ｌ−ＧＷ経由の通信を切断せずにＨＯを行うことができる。Ｌ−ＧＷ経由の通信を切断せずにＨＯを行うことにより（たとえば図８，図２１参照）、ＨＯ時の瞬断時間を削減することができる。
【０１８８】
（実施の形態２）
実施の形態２について、実施の形態１と異なる部分について説明する。実施の形態１においてはＬ−ＧＷと基地局が物理的に別の装置として設けられる構成について説明したが、実施の形態２においてはＬ−ＧＷとｅＮＢが物理的に一体の装置として設けられる構成について説明する。
【０１８９】
（実施の形態２にかかるＬ−ＧＷの構成およびＨＯ）
図２３および図２４は、実施の形態２にかかるＬ−ＧＷの構成およびＨＯの一例を示す図である。図２３，図２４において、図３，図４に示した部分と同様の部分については同一の符号を付して説明を省略する。図２３，図２４に示す例では、Ｌ−ＧＷ１４１〜１４３の機能がそれぞれ基地局１２１〜１２３に設けられている。
【０１９０】
まず、図２３に示すように、端末１１１，１１２がそれぞれ基地局１２１，１２２に接続しており、端末１１１，１１２の間で基地局１２１、基地局１２２を経由するデータパスによって通信が行われているとする。つぎに、図２４に示すように、端末１１２の移動等に伴い、端末１１２が基地局１２２から基地局１２３へＨＯしたとする。これにより、端末１１１，１１２の間で、基地局１２１〜１２３を経由するデータパスによって通信が行われる。
【０１９１】
図２３，図２４に示す（１）〜（４）は、ＨＯ元の基地局１２２における各出力ポートの番号を示している。たとえば、（１）は、基地局１２２における端末側に接続された出力ポート（ＵＥ方向）、すなわち無線通信の出力ポートの番号を示している。（２）は、基地局１２２におけるローカルネットワーク１０２に接続された出力ポート（ＮＷ方向）の番号を示している。（３）は、基地局１２２における基地局１２１に接続された出力ポート（ｅＮＢ方向）の番号を示している。（４）は、基地局１２２における基地局１２３に接続された出力ポート（ｅＮＢ方向）の番号を示している。
【０１９２】
図２３，図２４に示す（５）〜（７）は、ＨＯ先の基地局１２３における各出力ポートの番号を示している。たとえば、（５）は、基地局１２３における端末側に接続された出力ポート（ＵＥ方向）、すなわち無線通信の出力ポートの番号を示している。（６）は、基地局１２３におけるローカルネットワーク１０２に接続された出力ポート（ＮＷ方向）の番号を示している。（７）は、基地局１２３における基地局１２２に接続された出力ポート（ｅＮＢ方向）の番号を示している。
【０１９３】
（実施の形態２にかかる基地局）
図２５は、実施の形態２にかかる基地局の一例を示す図である。図２５において、図５，図７に示した部分と同様の部分については同一の符号を付して説明を省略する。図２５においては基地局１２１の構成について説明するが、基地局１２２，１２３の各構成も基地局１２１の構成と同様である。
【０１９４】
図２５に示すように、実施の形態２にかかる基地局１２１は、図７に示した基地局１２１の構成に加えて、図５に示したＬ−ＧＷ１４１の構成を加えたものである。ただし図５に示した基地局インタフェース５３０は基地局１２１に設けなくてもよい。すなわち、基地局１２１は、図７に示した基地局１２１の構成に加えて、ネットワークインタフェース５４１，５４２と、スイッチ５５０と、を備える。
【０１９５】
また、基地局１２１のメモリ７２０においては、図７に示した構成に加えて、ｅＮＢ間通信経路記憶部２５２１が実現されている。ｅＮＢ間通信経路記憶部２５２１は、図５に示したＬ−ＧＷ間通信経路記憶部５１６に対応する記憶部である。ｅＮＢ間通信経路記憶部２５２１に記憶される情報については後述する（たとえば表１０，表１１参照）。
【０１９６】
また、基地局１２１の上位処理用プロセッサ７４０においては、図７に示したＬ３処理部７４２に加えて、Ｌ−ＧＷ１４１の機能に対応するＬ−ＧＷ部２５１０が実現される。Ｌ−ＧＷ部２５１０は、図５に示したプロトコル変換部５２１、通信種別検出部５２２、通信種別取得部５２３、ＨＯ元経路判定／変更部２５１１、ＨＯ先経路判定／変更部２５１２を含む。
【０１９７】
ＨＯ元経路判定／変更部２５１１は、図７に示したＨＯ元経路判定部７５３と、図５に示したＨＯ元経路変更部５２４と、の機能を有する。ＨＯ先経路判定／変更部２５１２は、図７に示したＨＯ先経路判定部７５４と、図５に示したＨＯ先経路変更部５２５と、の機能を有する。
【０１９８】
（実施の形態２においてＨＯ要求を送信し経路変更処理を省略する場合の処理）
図２６は、実施の形態２においてＨＯ要求を送信し経路変更処理を省略する場合の処理の一例を示すシーケンス図である。実施の形態２にかかる無線通信システム１００においては、たとえば図２６に示す各ステップが実行される。図２６に示す例では、端末１１２が基地局１２２から基地局１２３へＨＯする際に、ＨＯ要求を送信し経路変更処理を省略する場合について説明する。
【０１９９】
図２６に示すステップＳ２６０１〜Ｓ２６１９は、図８に示したステップＳ８０１〜Ｓ８２５と同様である。ただし、実施の形態２においては、Ｌ−ＧＷ１４２の機能が基地局１２２に設けられているため、ステップＳ２６０１，Ｓ２６０２は隣接Ｌ−ＧＷ設定ではなく隣接ｅＮＢ設定となる。
【０２００】
また、図８に示したＬ−ＧＷ１４２による処理は基地局１２２によって実行される。また、図８に示した基地局１２２とＬ−ＧＷ１４２との間の通信は行われない。また、実施の形態２においては、Ｌ−ＧＷ１４３の機能が基地局１２３に設けられているため、図８に示したＬ−ＧＷ１４３による処理は基地局１２３によって実行される。また、図８に示した基地局１２３とＬ−ＧＷ１４３との間の通信は行われない。
【０２０１】
また、ステップＳ２６１４のＨＯ元経路判定／変更の処理は、図８に示したステップＳ８１５の基地局１２２によるＨＯ元経路判定の処理と、ステップＳ８１７のＬ−ＧＷ１４２によるＨＯ元経路変更の処理と、を統合した処理である。ＨＯ元経路判定／変更の処理については後述する（たとえば図３１参照）。
【０２０２】
また、ステップＳ２６１６のＨＯ先経路判定／変更の処理は、図８に示したステップＳ８２０の基地局１２３によるＨＯ先経路判定の処理と、ステップＳ８２３のＬ−ＧＷ１４３によるＨＯ先経路変更の処理と、を統合した処理である。ＨＯ先経路判定／変更の処理については後述する（たとえば図３２参照）。
【０２０３】
また、実施の形態２においては、ステップＳ２６０９によって送信されるＨＯ要求について、図１１に示したＳ５トンネル終端点識別子１１０２を省略してもよい。
【０２０４】
（実施の形態２においてＨＯ要求を送信しＮＷ側の経路変更処理を省略しない場合の処理）
図２７は、実施の形態２においてＨＯ要求を送信しＮＷ側の経路変更処理を省略しない場合の処理の一例を示すシーケンス図である。図２７に示す例では、端末１１２が基地局１２２から基地局１２３へＨＯする際に、ＨＯ要求を送信しＮＷ側の経路変更処理を省略しない場合の処理について説明する。
【０２０５】
図２７に示すステップＳ２７０１〜Ｓ２７２５は、図９に示したステップＳ９０１〜Ｓ９２８と同様である。ただし、実施の形態２においては、Ｌ−ＧＷ１４２の機能が基地局１２２に設けられているため、図９に示したＬ−ＧＷ１４２による処理は基地局１２２によって実行される。また、図９に示した基地局１２２とＬ−ＧＷ１４２との間の通信は行われない。また、実施の形態２においては、Ｌ−ＧＷ１４３の機能が基地局１２３に設けられているため、図９に示したＬ−ＧＷ１４３による処理は基地局１２３によって実行される。また、図９に示した基地局１２３とＬ−ＧＷ１４３との間の通信は行われない。
【０２０６】
（実施の形態２においてＨＯ要求を送信しない場合の処理）
図２８は、実施の形態２においてＨＯ要求を送信しない場合の処理の一例を示すシーケンス図である。図２８に示す例では、端末１１２が基地局１２２から基地局１２３へＨＯする際に、端末１１２の通信中のベアラがＰ−ＧＷ１３２を経由する通信を含まず、ＨＯ要求を送信しない場合の処理について説明する。
【０２０７】
図２８に示すステップＳ２８０１〜Ｓ２８１１は、図１０に示したステップＳ１００１〜Ｓ１０１３と同様である。ただし、実施の形態２においては、Ｌ−ＧＷ１４２の機能が基地局１２２に設けられているため、図１０に示したＬ−ＧＷ１４２による処理は基地局１２２によって実行される。また、図１０に示した基地局１２２とＬ−ＧＷ１４２との間の通信は行われない。また、実施の形態２においては、Ｌ−ＧＷ１４３の機能が基地局１２３に設けられているため、図１０に示したＬ−ＧＷ１４３による処理は基地局１２３によって実行される。また、図１０に示した基地局１２３とＬ−ＧＷ１４３との間の通信は行われない。
【０２０８】
（実施の形態２にかかるＨＯ元の基地局におけるｅＮＢ間通信経路記憶部に記憶される情報）
表１０は、実施の形態２にかかるＨＯ元の基地局におけるｅＮＢ間通信経路記憶部に記憶される情報の一例を示す表である。たとえば図２６に示したステップＳ２６０１の隣接ｅＮＢ設定により、ＨＯ元の基地局１２２のｅＮＢ間通信経路記憶部２５２１には、たとえば表１０に示すｅＮＢ間通信経路情報が記憶される。表１０に示すｅＮＢ間通信経路情報においては、基地局１２２と接続された基地局ごとに、該基地局のセルＩＤと、該基地局と接続された基地局１２２の出力ポートと、が対応付けられている。
【０２０９】
【表１０】
2016185531.tif 000067
【０２１０】
たとえば、基地局１２２には基地局１２１が接続されているため（たとえば図２３，図２４参照）、表１０に示すｅＮＢ間通信経路情報においては、基地局１２１のセルＩＤ＝１と、基地局１２１と接続された基地局１２２の出力ポート＝（３）と、が対応付けられている。また、基地局１２２には基地局１２３が接続されているため、表１０に示すｅＮＢ間通信経路情報においては、基地局１２３のセルＩＤ＝３と、基地局１２３と接続された基地局１２２の出力ポート＝（４）と、が対応付けられている。
【０２１１】
（実施の形態２にかかるＨＯ先の基地局におけるｅＮＢ間通信経路記憶部に記憶される情報）
表１１は、実施の形態２にかかるＨＯ先の基地局におけるｅＮＢ間通信経路記憶部に記憶される情報の一例を示す表である。たとえば図２６に示したステップＳ２６０２の隣接ｅＮＢ設定により、ＨＯ先の基地局１２３のｅＮＢ間通信経路記憶部２５２１には、たとえば表１１に示すｅＮＢ間通信経路情報が記憶される。表１１に示すｅＮＢ間通信経路情報においては、基地局１２３と接続された基地局ごとに、該基地局のセルＩＤと、該基地局と接続された基地局１２３の出力ポートと、が対応付けられている。
【０２１２】
【表１１】
2016185531.tif 000068
【０２１３】
たとえば、基地局１２３には基地局１２２が接続されているため、表１１に示すｅＮＢ間通信経路情報においては、基地局１２２に対応する基地局１２２のセルＩＤ＝２と、基地局１２２と接続された基地局１２３の出力ポート＝（７）と、が対応付けられている。
【０２１４】
（実施の形態２にかかる通信種別検出の処理）
図２９は、実施の形態２にかかる通信種別検出の処理の一例を示すフローチャートである。たとえば図２６に示したステップＳ２６０３において、基地局１２２は、通信種別検出の処理として、たとえば図２９に示す各ステップを実行する。
【０２１５】
図２９に示すステップＳ２９０１〜Ｓ２９０８は、図１２に示したＬ−ＧＷ１４２によるステップＳ１２０１〜Ｓ１２０８と同様である。ただし、ステップＳ２９０５において、基地局１２２は、端末１１２の通信種別として、非Ｌ−ＧＷ折り返し通信ではなく非ｅＮＢ折り返し通信を設定する（ステップＳ２９０５）。また、ステップＳ２９０７において、基地局１２２は、端末１１２の通信種別として、Ｌ−ＧＷ折り返し通信ではなくｅＮＢ折り返し通信を設定する（ステップＳ２９０７）。
【０２１６】
このように、実施の形態２においては、Ｌ−ＧＷとｅＮＢが物理的に一体の装置として設けられるため、折り返し通信は基地局（ｅＮＢ）において折り返すｅＮＢ折り返し通信となる。このため、基地局１２２は、端末１１２の通信種別として、ｅＮＢ折り返し通信または非ｅＮＢ折り返し通信を設定する。
【０２１７】
（実施の形態２にかかるＨＯ元の基地局におけるポート方向属性記憶部に記憶される情報）
表１２は、実施の形態２にかかるＨＯ元の基地局におけるポート方向属性記憶部に記憶される情報の一例を示す表である。たとえば図２９に示したステップＳ２９０１により、ＨＯ元の基地局１２２のポート方向属性記憶部５１４には、たとえば表１２に示すポート方向属性情報が記憶される。表１２に示すポート方向属性情報においては、基地局１２２の出力ポートごとに方向属性が対応付けられている。
【０２１８】
【表１２】
2016185531.tif 000069
【０２１９】
たとえば、図２３，図２４に示したように、基地局１２２の出力ポート＝（１）は端末側に対応しているため、出力ポート＝（１）の方向属性はＵＥ方向となっている。また、基地局１２２の出力ポート＝（２）はローカルネットワーク１０２に接続されているため、出力ポート＝（２）の方向属性はＮＷ方向となっている。また、基地局１２２の出力ポート＝（３）は基地局１２１に接続されているため、出力ポート＝（３）の方向属性はｅＮＢ方向となっている。また、基地局１２２の出力ポート＝（４）は基地局１２３に接続されているため、出力ポート＝（４）の方向属性はｅＮＢ方向となっている。
【０２２０】
（実施の形態２にかかるＨＯ元の基地局のＮＷ側経路記憶部に記憶される情報）
図２９に示したステップＳ２９０２によりＨＯ元の基地局１２２のＮＷ側経路記憶部５１２に記憶されるＮＷ側経路情報は、たとえば表８に示したＮＷ側経路情報と同様である。
【０２２１】
（実施の形態２にかかるＨＯ元の基地局の通信種別記憶部に記憶される情報）
表１３は、実施の形態２にかかるＨＯ元の基地局の通信種別記憶部に記憶される情報の一例を示す表である。たとえば図２９に示したステップＳ２９０８により、ＨＯ元の基地局１２２の通信種別記憶部５１５には、たとえば表１３に示す通信種別情報が記憶される。表１３に示す通信種別情報においては、送信元ＩＰアドレスと、宛先ＩＰアドレスと、通信種別と、が対応付けられている。
【０２２２】
【表１３】
2016185531.tif 000070
【０２２３】
表１３に示す通信種別情報は、たとえば表９に示した通信種別情報と同様である。ただし、実施の形態２においてはＬ−ＧＷとｅＮＢが物理的に一体の装置として設けられるため、表１３に示す通信種別情報における通信種別はｅＮＢ折り返し通信または非ｅＮＢ折り返し通信となる。
【０２２４】
（実施の形態２にかかるＨＯ元の基地局による通信種別取得の処理）
図３０は、実施の形態２にかかるＨＯ元の基地局による通信種別取得の処理の一例を示すフローチャートである。ＨＯ元の基地局１２２は、たとえば図２６に示したステップＳ２６０７において、通信種別取得の処理として、たとえば図３０に示す各ステップを実行する。図３０に示すステップＳ３００１〜Ｓ３００５は、図１３に示したＬ−ＧＷ１４２によるステップＳ１３０１〜Ｓ１３０５と同様である。
【０２２５】
ただし、ステップＳ３００３において、基地局１２２は、ｅＮＢ間通信経路記憶部２５２１に、端末１１２のＨＯ先の基地局１２３のターゲットセルＩＤが存在するか否かを判断する（ステップＳ３００３）。また、ステップＳ３００４において、基地局１２２は、端末１１２についてｅＮＢ間直接通信可能と判断する（ステップＳ３００４）。また、ステップＳ３００５において、基地局１２２は、端末１１２についてｅＮＢ間直接通信不可能と判断する（ステップＳ３００５）。
【０２２６】
（実施の形態２にかかるＨＯ元省略判定の処理およびＨＯ元省略判定の処理に基づく処理）
たとえば図２６に示したステップＳ２６０８，Ｓ２６０９においてＨＯ元の基地局１２２が実行するＨＯ元省略判定の処理およびＨＯ元省略判定の処理に基づく処理は、たとえば図１４に示した処理と同様である。
【０２２７】
（実施の形態２にかかるＨＯ元経路判定の処理およびＨＯ元経路変更の処理）
図３１は、実施の形態２にかかるＨＯ元経路判定の処理およびＨＯ元経路変更の処理の一例を示すフローチャートである。図２６に示したステップＳ２６１４において、ＨＯ元の基地局１２２は、ＨＯ元経路判定の処理およびＨＯ元経路変更の処理（ＨＯ元経路判定／変更の処理）として、たとえば図３１に示す各ステップを実行する。
【０２２８】
図３１に示す各ステップは、図１５に示した基地局１２２によるＨＯ元経路判定の処理と、図１６に示したＬ−ＧＷ１４２によるＨＯ元経路変更の処理と、を統合したものである。すなわち、まず、基地局１２２は、図１４に示したＨＯ元省略判定の処理によって省略可否記憶部７２１に設定した省略可否情報が省略可であるか否かを判断する（ステップＳ３１０１）。
【０２２９】
ステップＳ３１０１において、省略可否情報が省略可である場合（ステップＳ３１０１：Ｙｅｓ）は、基地局１２２は、ｅＮＢ間通信経路記憶部２５２１を参照し、基地局１２２からのＨＯ元経路変更要求に含まれるＨＯ先のターゲットセルＩＤをポート番号に変換する（ステップＳ３１０２）。
【０２３０】
つぎに、基地局１２２は、ＮＷ側経路記憶部５１２におけるＨＯを行う端末１１２のＩＰアドレスに対応する出力ポートを、ステップＳ３１０２による変換後のポート番号に変更し（ステップＳ３１０３）、一連の処理を終了する。
【０２３１】
ステップＳ３１０１において、省略可否情報が省略可でない場合（ステップＳ３１０１：Ｎｏ）は、基地局１２２は、ＨＯ元経路変更の処理を行わずに一連の処理を終了する。この場合は、たとえば図２７に示した処理となる。
【０２３２】
（実施の形態２にかかるＨＯ先経路判定の処理およびＨＯ先経路変更の処理）
図３２は、実施の形態２にかかるＨＯ先経路判定の処理およびＨＯ先経路変更の処理の一例を示すフローチャートである。図２６に示したステップＳ２６１６において、ＨＯ先の基地局１２３は、ＨＯ先経路判定の処理およびＨＯ先経路変更の処理として、たとえば図３２に示す各ステップを実行する。
【０２３３】
図３２に示す各ステップは、図１７に示した基地局１２３によるＨＯ先経路判定の処理と、図１８に示したＬ−ＧＷ１４３によるＨＯ先経路変更の処理と、を統合したものである。すなわち、まず、基地局１２３は、基地局１２２から受信したＨＯ要求に含まれる省略可否情報が省略可であるか否かを判断する（ステップＳ３２０１）。
【０２３４】
ステップＳ３２０１において、省略可否情報が省略可である場合（ステップＳ３２０１：Ｙｅｓ）は、基地局１２３は、ＨＯを行う端末１１２のＩＰアドレス＝Ｂに対応する出力ポートをＵＥ方向に設定する（ステップＳ３２０２）。つぎに、基地局１２３は、ｅＮＢ間通信経路記憶部２５２１を参照し、基地局１２３のＩＤであるソースセルＩＤをポート番号に変換する（ステップＳ３２０３）。
【０２３５】
つぎに、基地局１２３は、ＮＷ側経路記憶部５１２におけるＨＯを行う端末１１２と通信を行っている端末１１１のＩＰアドレスに対応する出力ポートを、ステップＳ３２０３による変換後のポート番号に変更する（ステップＳ３２０４）。
【０２３６】
つぎに、基地局１２３は、ＵＥコンテキストリリースをＨＯ元の基地局１２２（ＨＯ元ｅＮＢ）に送信し（ステップＳ３２０５）、一連の処理を終了する。この場合は、たとえば図２６に示した処理となる。
【０２３７】
ステップＳ３２０１において、省略可否情報が省略可でない場合（ステップＳ３２０１：Ｎｏ）は、基地局１２３は、パススイッチリクエストをＭＭＥ１３３に送信し（ステップＳ３２０６）、一連の処理を終了する。この場合は、たとえば図２７に示した処理となる。
【０２３８】
このように、実施の形態２にかかる無線通信システム１００によれば、Ｌ−ＧＷとｅＮＢが物理的に一体の装置として設けられる構成においても、実施の形態１にかかる無線通信システム１００と同様に、ＨＯ時の瞬断時間を削減することができる。
【０２３９】
（実施の形態３）
実施の形態３について、実施の形態１と異なる部分について説明する。実施の形態１においては基地局ごとにＬ−ＧＷが設けられる構成について説明したが、実施の形態３においては複数の基地局が同一のＬ−ＧＷを共用する構成について説明する。
【０２４０】
（実施の形態３にかかるＬ−ＧＷの構成およびＨＯ）
図３３および図３４は、実施の形態３にかかるＬ−ＧＷの構成およびＨＯの一例を示す図である。図３３，図３４において、図３，図４に示した部分と同様の部分については同一の符号を付して説明を省略する。図３３，図３４に示す例では、基地局１２１〜１２３が１つのＬ−ＧＷ１４１に接続されている。
【０２４１】
まず、図３３に示すように、端末１１１，１１２がそれぞれ基地局１２１，１２２に接続しており、端末１１１，１１２の間で基地局１２１、Ｌ−ＧＷ１４１、基地局１２２を経由するデータパスによって通信が行われているとする。つぎに、図３４に示すように、端末１１２の移動等に伴い、端末１１２が基地局１２２から基地局１２３へＨＯしたとする。これにより、端末１１１，１１２の間で、基地局１２１、Ｌ−ＧＷ１４１、基地局１２３を経由するデータパスによって通信が行われる。
【０２４２】
図３３，図３４に示す（１）〜（４）は、基地局１２１〜１２３によって共用されるＬ−ＧＷ１４１における各出力ポートの番号を示している。たとえば、（１）は、Ｌ−ＧＷ１４１における基地局１２１に接続された出力ポート（ＵＥ方向）の番号を示している。（２）は、Ｌ−ＧＷ１４１における基地局１２２に接続された出力ポート（ＵＥ方向）の番号を示している。（３）は、Ｌ−ＧＷ１４１における基地局１２３に接続された出力ポート（ＵＥ方向）の番号を示している。（４）は、Ｌ−ＧＷ１４１におけるローカルネットワーク１０２に接続された出力ポート（ＮＷ方向）の番号を示している。
【０２４３】
（実施の形態３にかかるＬ−ＧＷ）
図３５は、実施の形態３にかかるＬ−ＧＷの一例を示す図である。図３５において、図５に示した部分と同様の部分については同一の符号を付して説明を省略する。図３５に示すように、実施の形態３にかかるＬ−ＧＷ１４１は、図５に示した構成に加えて、基地局インタフェース３５１１，３５１２と、スイッチ３５２０と、を備える。
【０２４４】
基地局インタフェース５３０は、基地局１２１との間の通信インタフェースである。基地局インタフェース３５１１，３５１２（ｅＮＢ  ＩＦ）は、それぞれ基地局１２２，１２３との間の通信インタフェースである。基地局インタフェース５３０，３５１１，３５１２は、スイッチ３５２０（ＳＷ）によって切り替えて用いられる。
【０２４５】
また、実施の形態３にかかるＬ−ＧＷ１４１は、ＨＯ元の基地局１２２およびＨＯ先の基地局１２３の両方に対応するため、図５に示したＨＯ先経路変更部５２５を省くことができる。
【０２４６】
（実施の形態３においてＨＯ要求を送信し経路変更処理を省略する場合の処理）
図３６は、実施の形態３においてＨＯ要求を送信し経路変更処理を省略する場合の処理の一例を示すシーケンス図である。実施の形態３にかかる無線通信システム１００においては、たとえば図３６に示す各ステップが実行される。図３６に示す例では、端末１１２が基地局１２２から基地局１２３へＨＯする際に、ＨＯ要求を送信し経路変更処理を省略する場合について説明する。
【０２４７】
図３６に示すステップＳ３６０１〜Ｓ３６２２は、図８に示したステップＳ８０１〜Ｓ８２５と同様である。ただし、実施の形態３においては基地局１２１〜１２３によってＬ−ＧＷ１４１を共用する構成であるため、図８に示したＬ−ＧＷ１４２による処理はＬ−ＧＷ１４１によって実行される。
【０２４８】
また、図８に示したＬ−ＧＷ１４３による処理は不要となる。たとえば、ステップＳ３６１７におけるＬ−ＧＷ１４１によるＨＯ元経路変更の処理により、Ｌ−ＧＷ経由の直接通信経路の設定が可能である。このため、基地局１２３によるＨＯ先経路変更要求の送信や、ＨＯ先経路変更の処理は不要となる。
【０２４９】
なお、実施の形態３においては、ステップＳ３６１０によって送信されるＨＯ要求について、図１１に示したＩＰアドレス１１０３，１１０４およびソースセルＩＤ１１０５を省略してもよい。
【０２５０】
（実施の形態３においてＨＯ要求を送信しＮＷ側の経路変更処理を省略しない場合の処理）
図３７は、実施の形態３においてＨＯ要求を送信しＮＷ側の経路変更処理を省略しない場合の処理の一例を示すシーケンス図である。図３７に示す例では、端末１１２が基地局１２２から基地局１２３へＨＯする際に、ＨＯ要求を送信しＮＷ側の経路変更処理を省略しない場合の処理について説明する。
【０２５１】
図３７に示すステップＳ３７０１〜Ｓ３７２７は、図９に示したステップＳ９０１〜Ｓ９２８と同様である。ただし、実施の形態３においては基地局１２１〜１２３によってＬ−ＧＷ１４１を共用する構成であるため、図９に示したＬ−ＧＷ１４２による処理はＬ−ＧＷ１４１によって実行される。
【０２５２】
（実施の形態３においてＨＯ要求を送信しない場合の処理）
図３８は、実施の形態３においてＨＯ要求を送信しない場合の処理の一例を示すシーケンス図である。図３８に示す例では、端末１１２が基地局１２２から基地局１２３へＨＯする際に、端末１１２の通信中のベアラがＰ−ＧＷ１３２を経由する通信を含まず、ＨＯ要求を送信しない場合の処理について説明する。
【０２５３】
図３８に示すステップＳ３８０１〜Ｓ３８１２は、図１０に示したステップＳ１００１〜Ｓ１０１３と同様である。ただし、実施の形態３においては基地局１２１〜１２３によってＬ−ＧＷ１４１を共用する構成であるため、図１０に示したＬ−ＧＷ１４２による処理はＬ−ＧＷ１４１によって実行される。
【０２５４】
（実施の形態３にかかるＬ−ＧＷにおけるＬ−ＧＷ間通信経路記憶部に記憶される情報）
表１４は、実施の形態３にかかるＬ−ＧＷにおけるＬ−ＧＷ間通信経路記憶部に記憶される情報の一例を示す表である。たとえば図３６に示したステップＳ３６０１の隣接Ｌ−ＧＷ設定により、Ｌ−ＧＷ１４１のＬ−ＧＷ間通信経路記憶部５１６には、たとえば表１４に示すＬ−ＧＷ間通信経路情報が記憶される。表１４に示すＬ−ＧＷ間通信経路情報においては、Ｌ−ＧＷ１４１と接続された基地局ごとに、該基地局のセルＩＤと、該基地局と接続されたＬ−ＧＷ１４１の出力ポートと、が対応付けられている。
【０２５５】
【表１４】
2016185531.tif 000071
【０２５６】
たとえば、図３３，図３４に示したように、Ｌ−ＧＷ１４１には基地局１２１が接続されている。このため、表１４に示すＬ−ＧＷ間通信経路情報においては、基地局１２１のセルＩＤ＝１と、基地局１２１と接続されたＬ−ＧＷ１４１の出力ポート＝（１）と、が対応付けられている。
【０２５７】
また、Ｌ−ＧＷ１４１には基地局１２２が接続されているため、表１４に示すＬ−ＧＷ間通信経路情報においては、基地局１２２のセルＩＤ＝２と、基地局１２２と接続されたＬ−ＧＷ１４１の出力ポート＝（２）と、が対応付けられている。また、Ｌ−ＧＷ１４１には基地局１２３が接続されているため、表１４に示すＬ−ＧＷ間通信経路情報においては、基地局１２３のセルＩＤ＝３と、基地局１２３と接続されたＬ−ＧＷ１４１の出力ポート＝（３）と、が対応付けられている。
【０２５８】
（実施の形態３にかかる通信種別検出の処理）
たとえば図３６に示したステップＳ３６０２においてＬ−ＧＷ１４１が実行する通信種別検出の処理は、たとえば図１２に示したＬ−ＧＷ１４２による処理と同様である。
【０２５９】
（実施の形態３にかかるＬ−ＧＷにおけるポート方向属性記憶部に記憶される情報）
表１５は、実施の形態３にかかるＬ−ＧＷにおけるポート方向属性記憶部に記憶される情報の一例を示す表である。実施の形態３においては、図１２に示したステップＳ１２０１により、Ｌ−ＧＷ１４１のポート方向属性記憶部５１４には、たとえば表１５に示すポート方向属性情報が記憶される。表１５に示すポート方向属性情報においては、Ｌ−ＧＷ１４１の出力ポートごとに方向属性が対応付けられている。
【０２６０】
【表１５】
2016185531.tif 000072
【０２６１】
たとえば、図３３，図３４に示したように、Ｌ−ＧＷ１４１の出力ポート＝（１）は基地局１２１に接続されているため、出力ポート＝（１）の方向属性はＵＥ方向となっている。また、Ｌ−ＧＷ１４１の出力ポート＝（２）は基地局１２２に接続されているため、出力ポート＝（２）の方向属性はＵＥ方向となっている。
【０２６２】
また、Ｌ−ＧＷ１４１の出力ポート＝（３）は基地局１２３に接続されているため、出力ポート＝（３）の方向属性はＵＥ方向となっている。また、Ｌ−ＧＷ１４１の出力ポート＝（４）はローカルネットワーク１０２に接続されているため、出力ポート＝（４）の方向属性はＮＷ方向となっている。
【０２６３】
（実施の形態３にかかるＬ−ＧＷのＮＷ側経路記憶部に記憶される情報）
表１６は、実施の形態３にかかるＬ−ＧＷのＮＷ側経路記憶部に記憶される情報の一例を示す表である。実施の形態３においては、図１２に示したステップＳ１２０２により、Ｌ−ＧＷ１４１のＮＷ側経路記憶部５１２には、たとえば表１６に示すＮＷ側経路情報が記憶される。表１６に示すＮＷ側経路情報においては、宛先ＩＰアドレスごとに、Ｌ−ＧＷ１４１の出力ポートが対応付けられている。
【０２６４】
【表１６】
2016185531.tif 000073
【０２６５】
たとえば、図３３，図３４に示したように、宛先ＩＰアドレス＝Ａは端末１１１のアドレスであるため、宛先ＩＰアドレス＝Ａには端末１１１（基地局１２１）の方向に対応する出力ポート＝（１）が対応付けられている。また、宛先ＩＰアドレス＝Ｂは端末１１２のアドレスであるため、基地局１２２のＨＯの前においては、宛先ＩＰアドレス＝Ｂには端末１１２（基地局１２２）の方向に対応する出力ポート＝（２）が対応付けられている。また、端末１１２の基地局１２３へのＨＯにより、宛先ＩＰアドレス＝Ｂに対応付けられる出力ポートは、端末１１２（基地局１２３）の方向に対応する出力ポート＝（３）に変更される。
【０２６６】
また、宛先ＩＰアドレス＝Ｃはサーバ３０１のアドレスであるため、宛先ＩＰアドレスのＣにはサーバ３０１（ローカルネットワーク１０２）の方向に対応する出力ポート＝（４）が対応付けられている。また、宛先ＩＰアドレス＝Ｄはサーバ３０２のアドレスであるため、宛先ＩＰアドレス＝Ｄにはサーバ３０２（ローカルネットワーク１０２）の方向に対応する出力ポート＝（４）が対応付けられている。
【０２６７】
（実施の形態３にかかるＨＯ元のＬ−ＧＷの通信種別記憶部に記憶される情報）
実施の形態３において、図１２に示したステップＳ１２０８によりＬ−ＧＷ１４１の通信種別記憶部５１５に記憶される通信種別情報は、たとえば表９に示した通信種別情報と同様である。
【０２６８】
（実施の形態３にかかるＨＯ先経路判定の処理およびＨＯ先経路判定の処理に基づく処理）
図３９は、実施の形態３にかかるＨＯ先経路判定の処理およびＨＯ先経路判定の処理に基づく処理の一例を示すフローチャートである。たとえば図３６に示したステップＳ３６１９において、ＨＯ先の基地局１２３は、ＨＯ先経路判定の処理として、たとえば図３９に示す各ステップを実行する。
【０２６９】
図３９に示す各ステップは、図１７に示した各ステップと同様である。ただし、実施の形態３においては基地局１２１〜１２３によってＬ−ＧＷ１４１を共用する構成であり、図３６に示したステップＳ３６１７によるＨＯ元経路変更の処理によって経路設定は完了している。このため、図３９に示すように、図１７に示したステップＳ１７０２のようなＨＯ先のＬ−ＧＷ１４３にＨＯ先経路設定要求を送信する処理は省くことができる。
【０２７０】
このように、実施の形態３に無線通信システム１００によれば、複数の基地局が同一のＬ−ＧＷを共用する構成においても、実施の形態１にかかる無線通信システム１００と同様に、ＨＯ時の瞬断時間を削減することができる。
【０２７１】
以上説明したように、無線通信システム、無線通信装置およびハンドオーバ制御方法によれば、ハンドオーバ時の瞬断時間を削減することができる。
【符号の説明】
【０２７２】
１００  無線通信システム
１０１  インターネット
１０２  ローカルネットワーク
１１１，１１２  端末
１２１〜１２３  基地局
１２１ａ，１２２ａ  セル
１３１  Ｓ−ＧＷ
１３２  Ｐ−ＧＷ
１３３  ＭＭＥ
１４１〜１４３  Ｌ−ＧＷ
３０１，３０２  サーバ
５１０，７２０  メモリ
５１１  フロー記憶部
５１２  ＮＷ側経路記憶部
５１３  基地局側経路記憶部
５１４  ポート方向属性記憶部
５１５  通信種別記憶部
５１６  Ｌ−ＧＷ間通信経路記憶部
５２０  プロセッサ
５２１  プロトコル変換部
５２２  通信種別検出部
５２３  通信種別取得部
５２４  ＨＯ元経路変更部
５２５  ＨＯ先経路変更部
５３０，３５１１，３５１２  基地局インタフェース
５４１，５４２  ネットワークインタフェース
５５０，３５２０  スイッチ
６０１，６０２  プロトコル変換
６１０，６２０  レイヤ群
７１１  アンテナ
７１２  無線処理回路
７１３  ベースバンド処理回路
７２１  省略可否記憶部
７３０  ベースバンド処理用プロセッサ
７３１  スケジューラ
７４０  上位処理用プロセッサ
７４１  Ｌ２処理部
７４２  Ｌ３処理部
７５１  ＨＯ判定部
７５２  ＨＯ元省略判定部
７５３  ＨＯ元経路判定部
７５４  ＨＯ先経路判定部
７６１  Ｓ−ＧＷインタフェース
７６２  Ｌ−ＧＷインタフェース
７６３  Ｘ２インタフェース
１１００  ＨＯ要求
１１０１  省略可否情報
１１０２  Ｓ５トンネル終端点識別子
１１０３，１１０４  ＩＰアドレス
１１０５  ソースセルＩＤ
１９０１  Ｌ−ＧＷ間直接通信経路
２５１０  Ｌ−ＧＷ部
２５１１  ＨＯ元経路判定／変更部
２５１２  ＨＯ先経路判定／変更部
２５２１  ｅＮＢ間通信経路記憶部
【国際調査報告】
2016185531.tif 000074
2016185531.tif 000075
2016185531.tif 000076
2016185531.tif 000077